(57)【要約】屋外ゲートウェイ（４５０１）及び屋内ゲートウェイ（４５０２）を備える通信システムにおいて、屋外ゲートウェイ（４５０１）は、屋外ネットワーク（４５０３）に接続される通信ＩＦ（４５０１ａ）と、無線通信をする通信ＩＦ（４５０１ｂ）とを備え、屋内ゲートウェイ（４５０２）は、屋内ネットワーク（４５０４）に接続される通信ＩＦ（４５０２ａ）と、屋外ゲートウェイ（４５０１）の通信ＩＦ（４５０１ｂ）と無線通信により接続される通信ＩＦ（４５０２ｂ）とを備える。
2019151513.tif 000002
【特許請求の範囲】
【請求項１】
第一通信装置及び第二通信装置を備える通信システムであって、
前記第一通信装置は、
第一ネットワークに接続される第一通信インタフェースと、
無線通信をする第二通信インタフェースとを備え、
前記第二通信装置は、
第二ネットワークに接続される第三通信インタフェースと、
前記第一通信装置の前記第二通信インタフェースと無線通信により接続される第四通信インタフェースとを備える
通信システム。
【請求項２】
前記第一通信装置は、屋外の第一空間に配置され、
前記第二通信装置は、前記第一空間と板体によって隔てられた、屋内の第二空間に配置され、
前記第二通信インタフェースと前記第四通信インタフェースとは、前記板体を介した電波による無線通信で接続される
請求項１に記載の通信システム。
【請求項３】
前記第二通信装置は、前記第二空間に設置された給電端子から、前記第二通信装置の駆動のための電力を受ける受電部と、
前記第一通信装置に無線で電力を供給する無線給電部とを備え、
前記第一通信装置は、前記無線給電部から無線で前記板体を介して、前記第一通信装置の駆動のための電力の供給を受ける無線受電部を備える
請求項２に記載の通信システム。
【請求項４】
前記第一通信インタフェースは、ＴＤＭＡ（Ｔｉｍｅ  Ｄｉｖｉｓｉｏｎ  Ｍｕｌｔｉｐｌｅ  Ａｃｃｅｓｓ）方式で通信し、
前記第三通信インタフェースは、ＣＳＭＡ（Ｃａｒｒｉｅｒ  Ｓｅｎｓｅ  Ｍｕｌｔｉｐｌｅ  Ａｃｃｅｓｓ）方式で通信する
請求項１〜３のいずれか１項に記載の通信システム。
【請求項５】
前記第一通信インタフェースは、無線通信インタフェースであり、無線ネットワークである前記第一ネットワークに接続され、
前記第三通信インタフェースは、無線通信インタフェースであり、無線ネットワークである前記第二ネットワークに接続される
請求項１〜４のいずれか１項に記載の通信システム。
【請求項６】
前記第一通信インタフェースは、無線マルチホップネットワークである前記第一ネットワークに接続され、
前記第三通信インタフェースは、無線マルチホップネットワークである前記第二ネットワークに接続される
請求項５に記載の通信システム。
【請求項７】
第一通信装置及び第二通信装置を備える通信システムの制御方法であって、
前記第一通信装置によって、第一ネットワークに接続するステップと、
前記第一通信装置によって、無線通信をするステップと、
前記第二通信装置によって、第二ネットワークに接続するステップと、
前記第二通信装置によって、前記第一通信装置と無線通信により接続されるステップとを含む
制御方法。
【発明の詳細な説明】
【技術分野】
【０００１】
本開示は、通信システム、及び、制御方法に関する。
【背景技術】
【０００２】
従来、通信を用いて様々なサービスや機器の機能が提供されている。このようなサービスや機能を提供するために必要である端末間や端末とサーバ間などの通信は、複数の通信装置で構成されるネットワークを介して行われることがある。ここで、例えば、通信を利用した、システムの性能改善、サービスの品質の向上、新たなサービス形態への対応などの要望を実現するためには、特定の通信装置間の通信方式の改善やネットワークを構成する機器間の通信方式の特性を考慮した通信システムの構築が必要となる。【０００３】
例えば、複数アンテナを用いた通信方法であるＭＩＭＯ（Multiple-Input Multiple-Out）に代表されるマルチアンテナ通信では、複数ストリームの送信データを変調し、各変調信号を異なるアンテナから同一周波数（共通の周波数）を用い、同時に送信することで、データの受信品質を高め、および／または、（単位時間当たりの）データの通信速度を高めることができる。例えば、特許文献１では、複数アンテナ通信において、マルチキャスト／ブロードキャスト通信を行う場合、送信装置が、空間の広い方向にわたりほぼ一定のアンテナ利得を有する疑似オムニパターンのアンテナを用いて送信装置が変調信号を送信することが述べられている。
【先行技術文献】
【特許文献】
【０００４】
【特許文献１】国際公開第２０１１／０５５５３６号
【発明の概要】
【発明が解決しようとする課題】
【０００５】
しかしながら、システムの性能改善、サービスの品質の向上、新たなサービス形態への対応などの要望を実現するためには、特定の通信装置間の通信方式の改善や、ネットワークを構成する機器間の通信方式の特性を考慮した通信システムの構築が必要となる。例えば、疑似オムニパターンのアンテナを用いたマルチキャスト／ブロードキャスト通信では十分な伝送品質が得られない場合、特定の通信装置間の通信方式の更なる改善が必要となる。また、例えば、通信経路上の一部において伝送速度の高速化をはかったとしても、周辺のネットワークが低速なために通信速度が低下してしまう場合、ネットワークの構築方法に関して、さらなる改善が必要となる。そこで本開示は、通信を利用した、システムの性能改善、サービスの品質の向上、新たなサービス形態への対応などの要望の実現に貢献し得る様々な態様を提案する。本開示に含まれる複数の態様の一部を以下に例示する。
【課題を解決するための手段】
【０００６】
本開示の一態様の通信システムは、第一通信装置及び第二通信装置を備える通信システムであって、前記第一通信装置は、第一ネットワークに接続される第一通信インタフェースと、無線通信をする第二通信インタフェースとを備え、前記第二通信装置は、第二ネットワークに接続される第三通信インタフェースと、前記第一通信装置の前記第二通信インタフェースと無線通信により接続される第四通信インタフェースとを備える。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示によれば、通信を利用した、システムの性能改善、サービスの品質の向上、新たなサービス形態への対応などを促進することができる。
【図面の簡単な説明】
【０００９】
【図１】図１は、基地局の構成の一例を示す図である。
【図２】図２は、基地局のアンテナ部の構成の一例を示す図である。
【図３】図３は、基地局の構成の一例を示す図である。
【図４】図４は、端末の構成の一例を示す図である。
【図５】図５は、端末のアンテナ部の構成の一例を示す図である。
【図６】図６は、端末の構成の一例を示す図である。
【図７】図７は、基地局と端末の間の通信状態の一例を示す図である。
【図８】図８は、複数ストリームの関係を説明するための図である。
【図９】図９は、フレーム構成の一例を示す図である。
【図１０】図１０は、フレーム構成の一例を示す図である。
【図１１】図１１は、シンボル構成の一例を示す図である。
【図１２】図１２は、基地局と端末の間の通信状態の一例を示す図である。
【図１３】図１３は、複数の変調信号の関係を示す図である。
【図１４】図１４は、フレーム構成の一例を示す図である。
【図１５】図１５は、フレーム構成の一例を示す図である。
【図１６】図１６は、シンボル構成の一例を示す図である。
【図１７】図１７は、基地局と端末の間の通信状態の一例を示す図である。
【図１８】図１８は、基地局と端末の間の通信状態の一例を示す図である。
【図１９】図１９は、基地局と端末の間の通信状態の一例を示す図である。
【図２０】図２０は、基地局と端末の間の通信状態の一例を示す図である。
【図２１】図２１は、複数の変調信号の関係を示す図である。
【図２２】図２２は、基地局と端末の間の通信状態の一例を示す図である。
【図２３】図２３は、基地局と端末の通信を行う手順を示す図である。
【図２４】図２４は、基地局及び端末が送信するシンボルの一例を示す図である。
【図２５】図２５は、基地局が送信するシンボルの一例を示す図である。
【図２６】図２６は、基地局と端末の間の通信状態の一例を示す図である。
【図２７】図２７は、基地局が送信するシンボルの一例を示す図である。
【図２８】図２８は、基地局と端末の通信を行う手順を示す図である。
【図２９】図２９は、基地局と端末の間の通信状態の一例を示す図である。
【図３０】図３０は、基地局と端末の通信を行う手順を示す図である。
【図３１】図３１は、基地局が送信するシンボルの一例を示す図である。
【図３２】図３２は、基地局が送信するシンボルの一例を示す図である。
【図３３】図３３は、基地局と端末の通信を行う手順を示す図である。
【図３４】図３４は、基地局と端末の通信を行う手順を示す図である。
【図３５】図３５は、基地局が送信するシンボルの一例を示す図である。
【図３６】図３６は、基地局と端末の通信を行う手順を示す図である。
【図３７】図３７は、基地局の構成の一例を示す図である。
【図３８】図３８は、フレーム構成の一例を示す図である。
【図３９】図３９は、フレーム構成の一例を示す図である。
【図４０】図４０は、フレーム構成の一例を示す図である。
【図４１】図４１は、フレーム構成の一例を示す図である。
【図４２】図４２は、シンボル領域の端末への割り当ての一例を示す図である。
【図４３】図４３は、シンボル領域の端末への割り当ての一例を示す図である。
【図４４】図４４は、基地局の構成の一例を示す図である。
【図４５】図４５は、ネットワークとゲートウェイの接続の一例を示す図である。
【図４６】図４６は、通信システムの構成の一例を示す図である。
【図４７】図４７は、屋内ネットワークの構成の一例を示す図である。
【図４８】図４８は、フレーム構成の一例を示す図である。
【図４９】図４９は、通信シーケンスの一例を示す図である。
【図５０】図５０は、フレーム構成の一例を示す図である。
【図５１】図５１は、屋内ネットワークの構成の一例を示す図である。
【図５２】図５２は、フレーム構成の一例を示す図である。
【図５３】図５３は、屋内ネットワークの構成の一例を示す図である。
【図５４】図５４は、動作タイミングの一例を示す図である。
【図５５】図５５は、屋内ネットワークの構成の一例を示す図である。
【図５６】図５６は、屋内ネットワークの構成の一例を示す図である。
【図５７】図５７は、屋内ネットワークの構成の一例を示す図である。
【図５８】図５８は、通信シーケンスの一例を示す図である。
【図５９】図５９は、屋内ゲートウェイの構成の一例を示す図である。
【図６０】図６０は、フレームの送受信の一例を示す図である。
【図６１】図６１は、フレーム構成の一例を示す図である。
【図６２】図６２は、屋内ゲートウェイの構成の一例を示す図である。
【図６３】図６３は、フレームの送信時間の一例を示す図である。
【図６４】図６４は、フレームの送信時間の一例を示す図である。
【図６５】図６５は、フレームの送信時間の一例を示す図である。
【図６６】図６６は、システム構成の一例を示す図である。
【図６７】図６７は、システム構成の一例を示す図である。
【図６８】図６８は、装置の構成の一例を示す図である。
【図６９】図６９は、端末の構成の一例を示す図である。
【図７０】図７０は、システムの動作例を示す図である。
【図７１】図７１は、システムの動作例を示す図である。
【図７２】図７２は、システムの動作例を示す図である。
【図７３】図７３は、システムの動作例を示す図である。
【図７４】図７４は、送信情報、受信情報の一例を示す図である。
【図７５】図７５は、送信情報、受信情報の一例を示す図である。
【図７６】図７６は、送信情報、受信情報の一例を示す図である。
【図７７】図７７は、ゲートウェイの構成の一例を示す図である。
【図７８】図７８は、端末、サーバー、装置の動作の一例を示す図である。
【図７９】図７９は、サーバーの構成の一例を示す図である。
【図８０】図８０は、ネットワーク構成の一例を示す図である。
【図８１】図８１は、ネットワーク構成の一例を示す図である。
【図８２】図８２は、サーバーの構成の一例を示す図である。
【図８３】図８３は、ネットワーク構成の一例を示す図である。
【発明を実施するための形態】
【００１０】
本開示に含まれる複数の態様の一部を以下に例示する。本開示の一態様に係る通信システムは、第一通信装置及び第二通信装置を備える通信システムであって、前記第一通信装置は、第一ネットワークに接続される第一通信インタフェースと、無線通信をする第二通信インタフェースとを備え、前記第二通信装置は、第二ネットワークに接続される第三通信インタフェースと、前記第一通信装置の前記第二通信インタフェースと無線通信により接続される第四通信インタフェースとを備える。
【００１１】
上記態様によれば、通信システムは、無線通信によって互いに接続された第一通信装置及び第二通信装置を用いて、第一ネットワークと第二ネットワークとを接続することができる。このように、通信システムは、ネットワークの構築方法を改善できる。
【００１２】
例えば、前記第一通信装置は、屋外の第一空間に配置され、前記第二通信装置は、前記第一空間と板体によって隔てられた、屋内の第二空間に配置され、前記第二通信インタフェースと前記第四通信インタフェースとは、前記板体を介した電波による無線通信で接続されてもよい。
【００１３】
上記態様によれば、屋外の空間と屋内の空間との間で板体を介して行われる無線通信を利用して、通信システムが、第一ネットワークと第二ネットワークとを接続することができる。このように、通信システムは、屋外の空間と屋内の空間とをつなぐネットワークの構築方法を改善できる。
【００１４】
例えば、前記第二通信装置は、前記第二空間に設置された給電端子から、前記第二通信装置の駆動のための電力を受ける受電部と、前記第一通信装置に無線で電力を供給する無線給電部とを備え、前記第一通信装置は、前記無線給電部から無線で前記板体を介して、前記第一通信装置の駆動のための電力の供給を受ける無線受電部を備えてもよい。
【００１５】
上記態様によれば、屋外の空間と屋内の空間との間で板体を介して行われる無線給電を利用して第一通信装置を駆動する電力を供給できる。よって、第一通信装置が電力供給を受けるためのコネクタなどを備える必要がなくなる。また、第一通信装置が、電力供給設備がない場所に配置されることが可能となる。
【００１６】
例えば、前記第一通信インタフェースは、ＴＤＭＡ（Ｔｉｍｅ  Ｄｉｖｉｓｉｏｎ  Ｍｕｌｔｉｐｌｅ  Ａｃｃｅｓｓ）方式で通信し、前記第三通信インタフェースは、ＣＳＭＡ（Ｃａｒｒｉｅｒ  Ｓｅｎｓｅ  Ｍｕｌｔｉｐｌｅ  Ａｃｃｅｓｓ）方式で通信してもよい。
【００１７】
上記態様によれば、通信システムは、屋外の空間においてはＴＤＭＡ方式によって瞬間的な通信量の変動が比較的小さい通信を実現するとともに、屋内の空間においてはＣＳＭＡ方式によって瞬間的な通信量の変動が比較的大きい通信を許容できる。このようにして、通信システムは、ネットワークの構築方法を改善できる。
【００１８】
例えば、前記第一通信インタフェースは、無線通信インタフェースであり、無線ネットワークである前記第一ネットワークに接続され、前記第三通信インタフェースは、無線通信インタフェースであり、無線ネットワークである前記第二ネットワークに接続されてもよい。
【００１９】
上記態様によれば、通信システムは、第一ネットワーク及び第二ネットワークの２つの無線ネットワークを互いに接続することができる。このように、通信システムは、ネットワークの構築方法を改善できる。
【００２０】
例えば、前記第一通信インタフェースは、無線マルチホップネットワークである前記第一ネットワークに接続され、前記第三通信インタフェースは、無線マルチホップネットワークである前記第二ネットワークに接続されてもよい。
【００２１】
上記態様によれば、通信システムは、第一ネットワーク及び第二ネットワークの２つの無線マルチホップネットワークを互いに接続することができる。このように、通信システムは、ネットワークの構築方法を改善できる。
【００２２】
このような問題を解決するために、本開示の一態様に係る通信システムの制御方法は、第一通信装置及び第二通信装置を備える通信システムの制御方法であって、前記第一通信装置によって、第一ネットワークに接続するステップと、前記第一通信装置によって、無線通信をするステップと、前記第二通信装置によって、第二ネットワークに接続するステップと、前記第二通信装置によって、前記第一通信装置と無線通信により接続されるステップとを含む。
【００２３】
上記態様によれば、上記の通信システムと同様の効果を奏する。
【００２４】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２５】
以下、実施の形態について、図面を参照しながら具体的に説明する。
【００２６】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態には視点の異なる複数の態様が開示されており、態様ごとに必要となる構成要素は異なる。独立請求項に記載されていない構成要素については、任意の構成要素として説明される。
【００２７】
（実施の形態１）
以下では、まず、後述する本開示の通信システムに対して適用することができる複数アンテナを用いた通信方式の一例について説明する。図１は、本実施の形態における基地局（または、アクセスポイントなど）の構成の一例を示している。
【００２８】
１０１−１は＃１情報、１０１−２は＃２情報、・・・、１０１−Ｍは＃Ｍ情報を示している。１０１−ｉは、＃ｉ情報を示している。ｉは１以上Ｍ以下の整数とする。なお、Ｍは２以上の整数とする。なお、＃１情報から＃Ｍ情報までのすべてが存在する必要はない。
【００２９】
信号処理部１０２は、＃１情報１０１−１、＃２情報１０１−２、・・・、＃Ｍ情報１０１−Ｍ、および、制御信号１５９を入力とする。信号処理部１０２は、制御信号１５９に含まれる、「誤り訂正符号化の方法（符号化率、符号長（ブロック長））に関する情報」「変調方式に関する情報」、「プリコーディングに関する情報」、「送信方法（多重化方法）」、「マルチキャスト用の送信を行うか／ユニキャスト用の送信を行うか（マルチキャスト用の送信、ユニキャスト用の送信を同時に実現してもよい）」、「マルチキャストを行うときの送信ストリーム数」、「マルチキャスト用の変調信号を送信する場合の送信方法（この点については、後で詳しく説明する）」などの情報に基づき、信号処理を行い、信号処理後の信号１０３−１、信号処理後の信号１０３−２、・・・、信号処理後の信号１０３−Ｍ、つまり、信号処理後の信号１０３−ｉを出力する。なお、信号処理後の信号＃１から信号処理後の信号＃Ｍまでのすべてが存在する必要はない。このとき、＃ｉ情報１０１−ｉに対し、誤り訂正符号化を行い、その後、設定した変調方式によるマッピングを行う。これにより、ベースバンド信号を得る。
【００３０】
そして、各情報に対応するベースバンド信号を集め、プリコーディングを行う。また、例えば、ＯＦＤＭ（Orthogonal Frequency Division Multiplexing）を適用してもよい。
【００３１】
無線部１０４−１は、信号処理後の信号１０３−１、制御信号１５９を入力とし、制御信号１５９に基づいて、帯域制限、周波数変換、増幅などの処理を行い、送信信号１０５−１を出力する。そして、送信信号１０５−１は、アンテナ部１０６−１から電波として出力される。
【００３２】
同様に、無線部１０４−２は、信号処理後の信号１０３−２、制御信号１５９を入力とし、制御信号１５９に基づいて、帯域制限、周波数変換、増幅などの処理を行い、送信信号１０５−２を出力する。そして、送信信号１０５−２は、アンテナ部１０６−２から電波として出力される。無線部１０４−３から無線部１０４−（Ｍ−１）までの説明は省略する。
【００３３】
無線部１０４−Ｍは、信号処理後の信号１０３−Ｍ、制御信号１５９を入力とし、制御信号１５９に基づいて、帯域制限、周波数変換、増幅などの処理を行い、送信信号１０５−Ｍを出力する。そして、送信信号１０５−Ｍは、アンテナ部１０６−Ｍから電波として出力される。
【００３４】
なお、各無線部は、信号処理後の信号が存在していない場合は、上記処理を行わなくてもよい。
【００３５】
無線部群１５３は、受信アンテナ群１５１で受信した受信信号群１５２を入力とし、周波数変換等の処理を行い、ベースバンド信号群１５４を出力する。
【００３６】
信号処理部１５５は、ベースバンド信号群１５４を入力し、復調、誤り訂正復号を行う、つまり、時間同期、周波数同期、チャネル推定などの処理も行う。このとき、信号処理部１５５は、一つ以上の端末が送信した変調信号を受信し、処理を行っているため、各端末が送信したデータと、各端末が送信した制御情報を得る。したがって、信号処理部１５５は、一つ以上の端末に対応するデータ群１５６、および、一つ以上の端末に対応する制御情報群１５７を出力する。
【００３７】
設定部１５８は、制御情報群１５７、設定信号１６０を入力とし、制御情報群１５７に基づき、「誤り訂正符号化の方法（符号化率、符号長（ブロック長））」、「変調方式」、「プリコーディング方法」、「送信方法」、「アンテナの設定」、「マルチキャスト用の送信を行うか／ユニキャスト用の送信を行うか（マルチキャスト及びユニキャストの送信を同時に実現してもよい）」、「マルチキャストを行うときの送信ストリーム数」、「マルチキャスト用の変調信号を送信する場合の送信方法」などを決定し、これらの決定した情報を含んだ制御信号１５９を出力する。
【００３８】
アンテナ部１０６−１、１０６−２、・・・、１０６−Ｍは、制御信号１５９を入力としている。このときの動作について、図２を用いて説明する。
【００３９】
図２は、アンテナ部１０６−１、１０６−２、・・・、１０６−Ｍの構成の一例を示している。各アンテナ部は、図２のように複数のアンテナを具備している。なお、図２では、アンテナを４つ描いているが、各アンテナ部は、複数のアンテナを具備していればよい。なお、アンテナの本数は４に限ったものではない。
【００４０】
図２は、アンテナ部１０６−ｉの構成となる。ｉは１以上Ｍ以下の整数である。
【００４１】
分配部２０２は、送信信号２０１（図１の送信信号１０５−ｉに相当）を入力とし、送信信号２０１を分配し、信号２０３−１、２０３−２、２０３−３、２０３−４を出力する。
【００４２】
乗算部２０４−１は、信号２０３−１、および、制御信号２００（図１の制御信号１５９に相当）を入力とし、制御信号２００に含まれる乗算係数の情報に基づき、信号２０３−１に対し、係数Ｗ１を乗算し、乗算後の信号２０５−１を出力する。なお、係数Ｗ１は複素数で定義する。したがって、Ｗ１は実数をとることもできる。したがって、信号２０３−１をｖ１（ｔ）とすると、乗算後の信号２０５−１はＷ１×ｖ１（ｔ）とあらわすことができる（ｔは時間）。そして、乗算後の信号２０５−１は、アンテナ２０６−１から電波として出力される。
【００４３】
同様に、乗算部２０４−２は、信号２０３−２、および、制御信号２００を入力とし、制御信号２００に含まれる乗算係数の情報に基づき、信号２０３−２に対し、係数Ｗ２を乗算し、乗算後の信号２０５−２を出力する。なお、係数Ｗ２は複素数で定義する。したがって、Ｗ２は実数をとることもできる。したがって、信号２０３−２をｖ２（ｔ）とすると、乗算後の信号２０５−２はＷ２×ｖ２（ｔ）とあらわすことができる（ｔは時間）。そして、乗算後の信号２０５−２は、アンテナ２０６−２から電波として出力される。
【００４４】
乗算部２０４−３は、信号２０３−３、および、制御信号２００を入力とし、制御信号２００に含まれる乗算係数の情報に基づき、信号２０３−３に対し、係数Ｗ３を乗算し、乗算後の信号２０５−３を出力する。なお、係数Ｗ３は複素数で定義する。したがって、Ｗ３は実数をとることもできる。したがって、信号２０３−３をｖ３（ｔ）とすると、乗算後の信号２０５−３はＷ３×ｖ３（ｔ）とあらわすことができる（ｔは時間）。そして、乗算後の信号２０５−３は、アンテナ２０６−３から電波として出力される。
【００４５】
乗算部２０４−４は、信号２０３−４、および、制御信号２００を入力とし、制御信号２００に含まれる乗算係数の情報に基づき、信号２０３−４に対し、係数Ｗ４を乗算し、乗算後の信号２０５−４を出力する。なお、係数Ｗ４は複素数で定義する。したがって、Ｗ４は実数をとることもできる。したがって、信号２０３−４をｖ４（ｔ）とすると、乗算後の信号２０５−４はＷ４×ｖ４（ｔ）とあらわすことができる（ｔは時間）。そして、乗算後の信号２０５−４は、アンテナ２０６−４から電波として出力される。
【００４６】
なお、Ｗ１の絶対値、Ｗ２の絶対値、Ｗ３の絶対値、Ｗ４の絶対値が等しくてもよい。
【００４７】
図３は、本実施の形態における図１の基地局の構成とは異なる基地局の構成を示しており、図３において、図１と同様に動作するものについては、同一番号を付しており、以下では説明を省略する。
【００４８】
重みづけ合成部３０１は、変調信号１０５−１、変調信号１０５−２、・・・、変調信号１０５−Ｍ、および、制御信号１５９を入力とする。そして、重みづけ合成部３０１は、制御信号１５９に含まれる重みづけ合成に関する情報にもとづき、変調信号１０５−１、変調信号１０５−２、・・・、変調信号１０５−Ｍに対し、重みづけ合成を行い、重みづけ合成後の信号３０２−１、３０２−２、・・・、３０２−Ｋを出力する。Ｋは１以上の整数とする。そして、重みづけ合成後の信号３０２−１はアンテナ３０３−１から電波として出力され、重みづけ合成後の信号３０２−２はアンテナ３０３−２から電波として出力され、・・・、重みづけ合成後の信号３０２−Ｋはアンテナ３０３−Ｋから電波として出力される。
【００４９】
重みづけ合成後の信号ｙｉ（ｔ）３０２−ｉ（ｉは、１以上Ｋ以下の整数）は、以下のようにあらわされる（ｔは時間）。
【００５０】
【数１】
2019151513.tif 000003
【００５１】
なお、式（１）において、Ａｉｊは複素数で定義できる値であり、したがって、Ａｉｊは実数をとることもでき、ｘｊ（ｔ）は変調信号１０５−ｊとなる。ｊは１以上Ｍ以下の整数である。
【００５２】
図４は、端末の構成の一例を示している。アンテナ部４０１−１、４０１−２、・・・、４０１−Ｎは、制御信号４１０を入力としている。Ｎは１以上の整数である。
【００５３】
無線部４０３−１は、アンテナ部４０１−１で受信した受信信号４０２−１、および、制御信号４１０を入力とし、制御信号４１０に基づき、受信信号４０２−１に対し、周波数変換等の処理を施し、ベースバンド信号４０４−１を出力する。
【００５４】
同様に、無線部４０３−２は、アンテナ部４０１−２で受信した受信信号４０２−２、および、制御信号４１０を入力とし、制御信号４１０に基づき、受信信号４０２−２に対し、周波数変換等の処理を施し、ベースバンド信号４０４−２を出力する。なお、無線部４０３−３から無線部４０３−（Ｎ−１）までの説明は省略する。
【００５５】
無線部４０３−Ｎは、アンテナ部４０１−Ｎで受信した受信信号４０２−Ｎ、および、制御信号４１０を入力とし、制御信号に基づき、受信信号４０２−Ｎに対し、周波数変換等の処理を施し、ベースバンド信号４０４−Ｎを出力する。
【００５６】
ただし、無線部４０３−１、４０３−２、・・・、４０３−Ｎはすべてが動作しなくてもよい。したがって、ベースバンド信号４０４−１、４０４−２、・・・、４０４−Ｎがすべて存在しているとは限らない。
【００５７】
信号処理部４０５は、ベースバンド信号４０４−１、４０４−２、・・・、４０４−Ｎ、および、制御信号４１０を入力とし、制御信号４１０に基づいて、復調、誤り訂正復号の処理を行い、データ４０６、送信用制御情報４０７、制御情報４０８を出力する。つまり、信号処理部４０５は、時間同期、周波数同期、チャネル推定などの処理も行う。
【００５８】
設定部４０９は、制御情報４０８を入力とし、受信方法に関する設定を行い、制御信号４１０を出力する。
【００５９】
信号処理部４５２は、情報４５１、送信用制御情報４０７を入力とし、誤り訂正符号化、設定した変調方式によるマッピングなどの処理を行い、ベースバンド信号群４５３を出力する。
【００６０】
無線部群４５４は、ベースバンド信号群４５３を入力とし、帯域制限、周波数変換、増幅等の処理を行い、送信信号群４５５を出力し、送信信号群４５５は、送信アンテナ群４５６から、電波として出力される。
【００６１】
図５は、アンテナ部４０１−１、４０１−２、・・・、４０１−Ｎの構成の一例を示している。各アンテナ部は、図５のように複数のアンテナを具備している。なお、図５では、アンテナを４つ描いているが、各アンテナ部は、複数のアンテナを具備していればよい。なお、アンテナ部は、アンテナの本数は４に限ったものではない。
【００６２】
図５は、アンテナ部４０１−ｉの構成となる。ｉは１以上Ｎ以下の整数である。
【００６３】
乗算部５０３−１は、アンテナ５０１−１で受信した受信信号５０２−１、および、制御信号５００（図４の制御信号４１０に相当）を入力とし、制御信号５００に含まれる乗算係数の情報に基づき、受信信号５０２−１に対し、係数Ｄ１を乗算し、乗算後の信号５０４−１を出力する。なお、係数Ｄ１は複素数で定義できる。したがって、Ｄ１は実数をとることもできる。したがって、受信信号５０２−１をｅ１（ｔ）とすると、乗算後の信号５０４−１はＤ１×ｅ１（ｔ）とあらわすことができる（ｔは時間）。
【００６４】
同様に、乗算部５０３−２は、アンテナ５０１−２で受信した受信信号５０２−２、および、制御信号５００を入力とし、制御信号５００に含まれる乗算係数の情報に基づき、受信信号５０２−２に対し、係数Ｄ２を乗算し、乗算後の信号５０４−２を出力する。なお、係数Ｄ２は複素数で定義できる。したがって、Ｄ２は実数をとることもできる。したがって、受信信号５０２−２をｅ２（ｔ）とすると、乗算後の信号５０４−２はＤ２×ｅ２（ｔ）とあらわすことができる（ｔは時間）。
【００６５】
乗算部５０３−３は、アンテナ５０１−３で受信した受信信号５０２−３、および、制御信号５００を入力とし、制御信号５００に含まれる乗算係数の情報に基づき、受信信号５０２−３に対し、係数Ｄ３を乗算し、乗算後の信号５０４−３を出力する。なお、係数Ｄ３は複素数で定義できる。したがって、Ｄ３は実数をとることもできる。したがって、受信信号５０２−３をｅ３（ｔ）とすると、乗算後の信号５０４−３はＤ３×ｅ３（ｔ）とあらわすことができる（ｔは時間）。
【００６６】
乗算部５０３−４は、アンテナ５０１−４で受信した受信信号５０２−４、および、制御信号５００を入力とし、制御信号５００に含まれる乗算係数の情報に基づき、受信信号５０２−４に対し、係数Ｄ４を乗算し、乗算後の信号５０４−４を出力する。なお、係数Ｄ４は複素数で定義できる。したがって、Ｄ４は実数をとろこともできる。したがって、受信信号５０２−４をｅ４（ｔ）とすると、乗算後の信号５０４−４はＤ４×ｅ４（ｔ）とあらわすことができる（ｔは時間）。
【００６７】
合成部５０５は、乗算後の信号５０４−１、５０４−２、５０４−３、５０４−４を入力とし、乗算後の信号５０４−１、５０４−２、５０４−３、５０４−４を加算し、合成後の信号５０６（図４の受信信号４０２−ｉに相当する）を出力とする。したがって、合成後の信号５０６は、Ｄ１×ｅ１（ｔ）＋Ｄ２×ｅ２（ｔ）＋Ｄ３×ｅ３（ｔ）＋Ｄ４×ｅ４（ｔ）とあらわされる。
【００６８】
図６は、本実施の形態における図４の端末の構成とは異なる端末の構成を示しており、図６において、図４と同様に動作するものについては、同一番号を付しており、以下では説明を省略する。
【００６９】
乗算部６０３−１は、アンテナ６０１−１で受信した受信信号６０２−１、および、制御信号４１０を入力とし、制御信号４１０に含まれる乗算係数の情報に基づき、受信信号６０２−１に対し、係数Ｇ１を乗算し、乗算後の信号６０４−１を出力する。なお、係数Ｇ１は複素数で定義できる。したがって、Ｇ１は実数をとることもできる。したがって、受信信号６０２−１をｃ１（ｔ）とすると、乗算後の信号６０４−１はＧ１×ｃ１（ｔ）とあらわすことができる（ｔは時間）。
【００７０】
同様に、乗算部６０３−２は、アンテナ６０１−２で受信した受信信号６０２−２、および、制御信号４１０を入力とし、制御信号４１０に含まれる乗算係数の情報に基づき、受信信号６０２−２に対し、係数Ｇ２を乗算し、乗算後の信号６０４−２を出力する。なお、係数Ｇ２は複素数で定義できる。したがって、Ｇ２は実数をとることもできる。したがって、受信信号６０２−２をｃ２（ｔ）とすると、乗算後の信号６０４−２はＧ２×ｃ２（ｔ）とあらわすことができる（ｔは時間）。乗算部６０３−３から乗算部６０３−（Ｌ−１）までの説明は省略する。
【００７１】
乗算部６０３−Ｌは、アンテナ６０１−Ｌで受信した受信信号６０２−Ｌ、および、制御信号４１０を入力とし、制御信号４１０に含まれる乗算係数の情報に基づき、受信信号６０２−Ｌに対し、係数ＧＬを乗算し、乗算後の信号６０４−Ｌを出力する。なお、係数ＧＬは複素数で定義できる。したがって、ＧＬは実数をとることもできる。したがって、受信信号６０２−ＬをｃＬ（ｔ）とすると、乗算後の信号６０４−ＬはＧＬ×ｃＬ（ｔ）とあらわすことができる（ｔは時間）。
【００７２】
したがって、乗算部６０３−ｉは、アンテナ６０１−ｉで受信した受信信号６０２−ｉ、および、制御信号４１０を入力とし、制御信号４１０に含まれる乗算係数の情報に基づき、受信信号６０２−ｉに対し、係数Ｇｉを乗算し、乗算後の信号６０４−ｉを出力する。なお、係数Ｇｉは複素数で定義できる。したがって、Ｇｉは実数をとることもできる。したがって、受信信号６０２−ｉをｃｉ（ｔ）とすると、乗算後の信号６０４−ｉはＧｉ×ｃｉ（ｔ）とあらわすことができる（ｔは時間）。なお、ｉは１以上Ｌ以下の整数とし、Ｌは２以上の整数である。
【００７３】
処理部６０５は、乗算後の信号６０４−１、乗算後の信号６０４−２、・・・、乗算後の信号６０４−Ｌ、および、制御信号４１０を入力とし、制御信号４１０に基づき、信号処理を行い、処理後の信号６０６−１、６０６−２、・・・、６０６−Ｎを出力する。Ｎは２以上の整数とする。このとき、乗算後の信号６０４−ｉをｐｉ（ｔ）とあらわす。ｉは１以上Ｌ以下の整数とする。すると、処理後の信号６０６−ｊ（ｒｊ（ｔ））は、以下のようにあらわされる（ｊは１以上Ｎ以下の整数）。
【００７４】
【数２】
2019151513.tif 000004
【００７５】
なお、式（２）において、Ｂｊｉは複素数で定義できる値である。したがって、Ｂｊｉは実数をとることもできる。
【００７６】
図７は、基地局と端末の通信状態の一例を示している。なお、基地局は、アクセスポイント、放送局などと呼ぶことがある。
【００７７】
基地局７００は、複数のアンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【００７８】
そして、図７は、ストリーム１のデータを伝送するための送信ビーム７０２−１、ストリーム１のデータを伝送するための送信ビーム７０２−２、ストリーム１のデータを伝送するための送信ビーム７０２−３を示す。
【００７９】
図７は、ストリーム２のデータを伝送するための送信ビーム７０３−１、ストリーム２のデータを伝送するための送信ビーム７０３−２、ストリーム２のデータを伝送するための送信ビーム７０３−３を示す。
【００８０】
なお、図７では、ストリーム１のデータを伝送するための送信ビームの数を３、ストリーム２のデータを伝送するための送信ビームの数を３としているが、これに限ったものではなく、ストリーム１のデータを伝送するための送信ビームが複数、ストリーム２のデータを伝送するための送信ビームが複数であればよい。
【００８１】
図７は、端末７０４−１、７０４−２、７０４−３、７０４−４、７０４−５を含み、例えば、図４、図５に示す端末と同じ構成である。
【００８２】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、ストリーム１のデータを伝送するための送信ビーム７０２−１の受信及び復調が可能となり、受信指向性７０６−１により、端末７０４−１は、ストリーム２のデータを伝送するための送信ビーム７０３−１の受信及び復調が可能となる。
【００８３】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、ストリーム１のデータを伝送するための送信ビーム７０２−１の受信及び復調が可能となり、受信指向性７０６−２により、端末７０４−２は、ストリーム２のデータを伝送するための送信ビーム７０３−１の受信及び復調が可能となる。
【００８４】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【００８５】
そして、受信指向性７０５−３により、端末７０４−３は、ストリーム１のデータを伝送するための送信ビーム７０２−２の受信及び復調が可能となり、受信指向性７０６−３により、端末７０４−３は、ストリーム２のデータを伝送するための送信ビーム７０３−２の受信及び復調が可能となる。
【００８６】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、ストリーム１のデータを伝送するための送信ビーム７０２−３の受信及び復調が可能となり、受信指向性７０６−４により、端末７０４−４は、ストリーム２のデータを伝送するための送信ビーム７０３−２の受信及び復調が可能となる。
【００８７】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、ストリーム１のデータを伝送するための送信ビーム７０２−３の受信及び復調が可能となり、受信指向性７０６−５により、端末７０４−５は、ストリーム２のデータを伝送するための送信ビーム７０３−３の受信及び復調が可能となる。
【００８８】
図７では、端末は、ストリーム１のデータを伝送するための送信ビーム７０２−１、７０２−２、７０２−３のうち、空間的な位置により、少なくとも一つの送信ビームを選択し、受信の指向性を向けることで、ストリーム１のデータを高い品質で得ることができ、また、端末は、ストリーム２のデータを伝送するための送信ビーム７０３−１、７０３−２、７０３−３のうち、空間的な位置により、少なくとも一つの送信ビームを選択し、受信の指向性を向けることで、ストリーム２のデータを高い品質で得ることができる。
【００８９】
なお、基地局７００は、ストリーム１のデータを伝送するための送信ビーム７０２−１とストリーム２のデータを伝送するための送信ビーム７０３−１とを、同一周波数（同一周波数帯）、同一時間を用いて、送信する。そして、基地局７００は、ストリーム１のデータを伝送するための送信ビーム７０２−２とストリーム２のデータを伝送するための送信ビーム７０３−２とを、同一周波数（同一周波数帯）、同一時間を用いて、送信する。また、基地局７００は、ストリーム１のデータを伝送するための送信ビーム７０２−３とストリーム２のデータを伝送するための送信ビーム７０３−３とを、同一周波数（同一周波数帯）、同一時刻を用いて、送信する。
【００９０】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【００９１】
図１、図３における基地局の設定部１５８の動作について、説明する。
【００９２】
設定部１５８は、設定信号１６０を入力としている。設定信号１６０は、「マルチキャスト用の送信を行うか／ユニキャスト用の送信を行うか」の情報を含んでおり、図７のような送信を基地局が行う場合、設定信号１６０により「マルチキャスト用の送信を行う」という情報が、設定部１５８に入力される。
【００９３】
設定信号１６０は、「マルチキャストを行うときの送信ストリーム数」の情報を含んでおり、図７のような送信を基地局が行う場合、設定信号１６０により、「送信ストリーム数は２」という情報が、設定部１５８に入力される。
【００９４】
また、設定信号１６０は、「各ストリームをいくつの送信ビームで送信するか」の情報を含んでいてもよい。図７のような送信を基地局が行う場合、設定信号１６０により、「ストリーム１を送信する送信ビーム数は３、ストリーム２を送信する送信ビーム数は３」という情報が、設定部１５８に入力される。
【００９５】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。制御情報シンボルの構成の詳細については、後で行う。
【００９６】
図８は、図１、図３の＃ｉ情報１０１−ｉと図７を用いて説明した「ストリーム１」「ストリーム２」の関係を説明するための図面である。例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行い、データシンボルを得るが、このデータシンボルをストリーム１用、ストリーム２用に振り分け、ストリーム１のデータシンボル（データシンボル群）、および、ストリーム２のデータシンボル（データシンボル群）を得る。そして、ストリーム１のシンボル群は、ストリーム１のデータシンボル（データシンボル群）を含み、ストリーム１のシンボル群は、図１、図３の基地局から送信される。また、ストリーム２のシンボル群は、ストリーム２のデータシンボル（データシンボル群）を含み、ストリーム２のシンボル群は、図１、図３の基地局から送信される。
【００９７】
図９は、横軸時間としたときのフレーム構成の一例を示している。
【００９８】
図９のストリーム１の＃１シンボル群９０１−１は、図７におけるストリーム１のデータを伝送するための送信ビーム７０２−１のシンボル群である。
【００９９】
図９のストリーム１の＃２シンボル群９０１−２は、図７におけるストリーム１のデータを伝送するための送信ビーム７０２−２のシンボル群である。
【０１００】
図９のストリーム１の＃３シンボル群９０１−３は、図７におけるストリーム１のデータを伝送するための送信ビーム７０２−３のシンボル群である。
【０１０１】
図９のストリーム２の＃１シンボル群９０２−１は、図７におけるストリーム２のデータを伝送するための送信ビーム７０３−１のシンボル群である。
【０１０２】
図９のストリーム２の＃２シンボル群９０２−２は、図７におけるストリーム２のデータを伝送するための送信ビーム７０３−２のシンボル群である。
【０１０３】
図９のストリーム２の＃３シンボル群９０２−３は、図７におけるストリーム２のデータを伝送するための送信ビーム７０３−３のシンボル群である。
【０１０４】
そして、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、ストリーム２の＃３シンボル群９０２−３は、例えば、時間区間１に存在している。
【０１０５】
また、前にも記載したように、ストリーム１の＃１シンボル群９０１−１とストリーム２の＃２シンボル群９０２−１は、同一周波数（同一周波数帯）を用いて送信されており、ストリーム１の＃２シンボル群９０１−２とストリーム２の＃２シンボル群９０２−２は、同一周波数（同一周波数帯）を用いて送信されており、ストリーム１の＃３シンボル群９０１−３とストリーム２の＃３シンボル群９０２−３は、同一周波数（同一周波数帯）を用いて送信されている。
【０１０６】
例えば、図８の手順で、情報から「ストリーム１のデータシンボル群Ａ」および「ストリーム２のデータシンボル群Ａ」を生成した。そして、「ストリーム１のデータシンボル群Ａ」を構成するシンボルと同じシンボルで構成されたシンボル群「ストリーム１のデータシンボル群Ａ−１」、「ストリーム１のデータシンボル群Ａ」を構成するシンボルと同じシンボルで構成されたシンボル群「ストリーム１のデータシンボル群Ａ−２」、「ストリーム１のデータシンボル群Ａ」を構成するシンボルと同じシンボルで構成されたシンボル群「ストリーム１のデータシンボル群Ａ−３」を用意する。
【０１０７】
つまり、「ストリーム１のデータシンボル群Ａ−１」を構成するシンボルと「ストリーム１のデータシンボル群Ａ−２」を構成するシンボルと「ストリーム１のデータシンボル群Ａ−３」を構成するシンボルは同じである。
【０１０８】
このとき、図９のストリーム１の＃１シンボル群９０１−１は、「ストリーム１のデータシンボル群Ａ−１」を含んでおり、図９のストリーム１の＃２シンボル群９０１−２は、「ストリーム１のデータシンボル群Ａ−２」を含んでおり、図９のストリーム１の＃３シンボル群９０１−３は、「ストリーム１のデータシンボル群Ａ−３」を含んでいる。つまり、ストリーム１の＃１シンボル群９０１−１、ストリーム１の＃２シンボル群９０１−２、ストリーム１の＃３シンボル群９０１−３は、同一のデータシンボル群を含んでいる。
【０１０９】
また、「ストリーム２のデータシンボル群Ａ」を構成するシンボルと同じシンボルで構成されたシンボル群「ストリーム２のデータシンボル群Ａ−１」、「ストリーム２のデータシンボル群Ａ」を構成するシンボル群と同じシンボルで構成されたシンボル群「ストリーム２のデータシンボル群Ａ−２」、「ストリーム２のデータシンボル群Ａ」を構成するシンボル群と同じシンボルで構成されたシンボル群「ストリーム２のデータシンボル群Ａ−３」を用意する。
【０１１０】
つまり、「ストリーム２のデータシンボル群Ａ−１」を構成するシンボルと「ストリーム２のデータシンボル群Ａ−２」を構成するシンボルと「ストリーム２のデータシンボル群Ａ−３」を構成するシンボルは同じである。
【０１１１】
このとき、図９のストリーム２の＃１シンボル群９０２−１は、「ストリーム２のデータシンボル群Ａ−１」を含んでおり、図９のストリーム２の＃２シンボル群９０２−２は、「ストリーム２のデータシンボル群Ａ−２」を含んでおり、図９のストリーム２の＃３シンボル群９０２−３は、「ストリーム２のデータシンボル群Ａ−３」を含んでいる。つまり、ストリーム２の＃１シンボル群９０２−１、ストリーム２の＃２シンボル群９０２−２、ストリーム２の＃３シンボル群９０２−３は、同一のデータシンボル群を含んでいる。
【０１１２】
図１０は、図９で説明した「ストリームＸのシンボル群＃Ｙ」（Ｘ＝１，２；Ｙ＝１，２，３）のフレーム構成の一例を示している。図１０において、横軸時間であり、１００１は制御情報シンボル、１００２はストリームのデータシンボル群である。このとき、ストリームのデータシンボル群１００２は、図９を用いて説明した「ストリーム１のデータシンボル群Ａ」または「ストリーム２のデータシンボル群Ａ」を伝送するためのシンボルである。
【０１１３】
なお、図１０のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１０に限ったものではなく、制御情報シンボル１００１、ストリームのデータシンボル群１００２をどのように配置してもよい。なお、リファレンスシンボルは、プリアンブル、パイロットシンボルと呼ぶこともある。
【０１１４】
次に、制御情報シンボル１００１の構成について説明する。
【０１１５】
図１１は、図１０の制御情報シンボルとして送信するシンボルの構成の一例を示しており、横軸は時間である。図１１において、端末は、「端末が受信指向性制御を行うためのトレーニングシンボル」１１０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１１６】
端末は、「マルチキャストを行っているときの送信ストリーム数を通知するためのシンボル」１１０２を受信することで、端末は、得る必要があるストリーム数を知る。
【０１１７】
端末は、「ストリームのデータシンボルがどのストリームのデータシンボルであるかを通知するためのシンボル」１１０３を受信することで、端末は、基地局が送信しているストリームのうち、どのストリームを受信できているか、を知ることができる。
【０１１８】
上記についての例を説明する。
【０１１９】
図７のように、基地局がストリーム、送信ビームを送信している場合について説明する。そして、図９のストリーム１の＃１シンボル群９０１−１における制御情報シンボルの具体的な情報について説明する。
【０１２０】
図７の場合、基地局は「ストリーム１」および「ストリーム２」を送信しているため、「マルチキャストを行っているときの送信ストリーム数を通知するためのシンボル」１１０２の情報は「２」という情報となる。
【０１２１】
また、図９のストリーム１の＃１シンボル群９０１−１は、ストリーム１のデータシンボルを送信しているため、「ストリームのデータシンボルがどのストリームのデータシンボルであるかを通知するためのシンボル」１１０３の情報は「ストリーム１」という情報になる。
【０１２２】
例えば、端末が、図９のストリーム１の＃１シンボル群９０１−１を受信した場合について説明する。このとき、端末は、「マルチキャストを行っているときの送信ストリーム数を通知するためのシンボル」１１０２から「送信ストリーム数が２」、「ストリームのデータシンボル群がどのストリームのデータシンボルであるかを通知するためのシンボル」１１０３から「ストリーム１のデータシンボル」を得たことを認識する。
【０１２３】
その後、端末は、「送信ストリーム数が２」、得ているデータシンボルが「ストリーム１のデータシンボル」であると認識するため、「ストリーム２のデータシンボル」を得る必要があると認識する。よって、端末は、ストリーム２のシンボル群を探す作業を開始することができる。例えば、端末は、図９のストリーム２の＃１シンボル群９０２−１、ストリーム２の＃２シンボル群９０２−２、ストリーム２の＃３シンボル群９０２−３のいずれかの送信ビームを、探す。
【０１２４】
そして、端末は、ストリーム２の＃１シンボル群９０２−１、ストリーム２の＃２シンボル群９０２−２、ストリーム２の＃３シンボル群９０２−３のいずれかの送信ビームを得ることで、ストリーム１のデータシンボルとストリーム２のデータシンボルの両者のデータシンボルを得る。
【０１２５】
このように、制御情報シンボルを構成することで、端末は、的確にデータシンボルを得ることができるという効果を得る。
【０１２６】
以上のように、マルチキャスト伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、送信指向性制御、受信指向性制御を行っているため、高いデータの受信品質が得られるエリアを広くすることができるという効果を得る。
【０１２７】
また、上述の説明では、端末が、受信指向性制御を行っていることを説明したが、端末は、受信指向性制御を行わなくても、上述の効果を得ることは可能である。
【０１２８】
なお、図１０の「ストリームのデータシンボル群」１００２の変調方式は、どのような変調方式であってもよく、「ストリームのデータシンボル群」１００２の変調方式のマッピング方法は、シンボルごとに切り替わってもよい。つまり、マッピング後に同相Ｉ−直交Ｑ平面上において、コンスタレーションの位相が、シンボルごとに切り替わってもよい。
【０１２９】
図１２は、基地局と端末の通信状態の図７とは異なる例である。なお、図１２において、図７と同様に動作するものについては同一番号を付している。
【０１３０】
基地局７００は、複数のアンテナを具備し、送信用のアンテナ７０１から、複数の送信信号を送信する。このとき、基地局７００は、例えば、図１、図３のような構成で構成されており、信号処理部１０２、（および／または、重み付け合成部３０１）において、プリコーディング（重み付け合成）を行うことで、送信ビームフォーミング（指向性制御）を行う。
【０１３１】
そして、図１２は、「変調信号１」を伝送するための送信ビーム１２０２−１、「変調信号１」を伝送するための送信ビーム１２０２−２、「変調信号１」を伝送するための送信ビーム１２０２−３を示す。
【０１３２】
図１２は、「変調信号２」を伝送するための送信ビーム１２０３−１、「変調信号２」を伝送するための送信ビーム１２０３−２、「変調信号２」を伝送するための送信ビーム１２０３−３を示す。
【０１３３】
なお、図１２では、「変調信号１」を伝送するための送信ビームの数を３、「変調信号２」を伝送するための送信ビームの数を３としているが、これに限ったものではなく、「変調信号１」を伝送するための送信ビームが複数、「変調信号２」を伝送するための送信ビームが複数であればよい。そして、「変調信号１」、「変調信号２」については、後で、詳しく説明する。
【０１３４】
図１２は、端末７０４−１、７０４−２、７０４−３、７０４−４、７０４−５を含み、例えば、図４、図５における端末と同じ構成である。
【０１３５】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、「変調信号１」を伝送するための送信ビーム１２０２−１の受信及び復調が可能となり、受信指向性７０６−１により、端末７０４−１は、「変調信号２」を伝送するための送信ビーム１２０３−１の受信及び復調が可能となる。
【０１３６】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、「変調信号１」を伝送するための送信ビーム１２０２−１の受信及び復調が可能となり、受信指向性７０６−２により、端末７０４−２は、「変調信号２」を伝送するための送信ビーム１２０３−１の受信及び復調が可能となる。
【０１３７】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【０１３８】
そして、受信指向性７０５−３により、端末７０４−３は、「変調信号１」を伝送するための送信ビーム１２０２−２の受信及び復調が可能となり、受信指向性７０６−３により、端末７０４−３は、「変調信号２」を伝送するための送信ビーム１２０３−２の受信及び復調が可能となる。
【０１３９】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、「変調信号１」を伝送するための送信ビーム１２０２−３の受信及び復調が可能となり、受信指向性７０６−４により、端末７０４−４は、「変調信号２」を伝送するための送信ビーム１２０３−２の受信及び復調が可能となる。
【０１４０】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、「変調信号１」を伝送するための送信ビーム１２０２−３の受信及び復調が可能となり、受信指向性７０６−５により、端末７０４−５は、「変調信号２」を伝送するための送信ビーム１２０３−３の受信及び復調が可能となる。
【０１４１】
図１２における特長的な点は、端末は、「変調信号１」を伝送するための送信ビーム１２０２−１、１２０２−２、１２０２−３のうち、空間的な位置により、少なくとも一つの送信ビームを選択し、受信の指向性を向けることで、「変調信号１」を高い品質で得ることができ、また、端末は、「変調信号２」を伝送するための送信ビーム１２０３−１、１２０３−２、１２０３−３のうち、空間的な位置により、少なくとも一つの送信ビームを選択し、受信の指向性を向けることで、「変調信号２」を高い品質で得ることができる。
【０１４２】
なお、基地局７００は、「変調信号１」を伝送するための送信ビーム１２０２−１と「変調信号２」を伝送するための送信ビーム１２０３−１とを、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２とを、同一周波数（同一周波数帯）、同一時間を用いて、送信する。また、基地局７００は、「変調信号１」を伝送するための送信ビーム１２０２−３と「変調信号２」を伝送するための送信ビーム１２０３−３とを、同一周波数（同一周波数帯）、同一時刻を用いて、送信する。
【０１４３】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０１４４】
図１、図３における基地局の設定部１５８の動作について、説明する。
【０１４５】
設定部１５８は、設定信号１６０を入力としている。設定信号１６０は、「マルチキャスト用の送信を行うか／ユニキャスト用の送信を行うか」の情報を含んでおり、図１２のような送信を基地局が行う場合、設定信号１６０により「マルチキャスト用の送信を行う」という情報が、設定部１５８に入力される。
【０１４６】
設定信号１６０は、「マルチキャストを行うときの送信変調信号数」の情報を含んでおり、図１２のような送信を基地局が行う場合、設定信号１６０により、「送信変調信号数は２」という情報が、設定部１５８に入力される。
【０１４７】
また、設定信号１６０は、「各変調信号をいくつの送信ビームで送信するか」の情報を含んでいてもよい。図１２のような送信を基地局が行う場合、設定信号１６０により、「変調信号１を送信する送信ビーム数は３、変調信号２を送信する送信ビーム数は３」という情報が、設定部１５８に入力される。
【０１４８】
なお、図１、図３の基地局は、データシンボルが「マルチキャスト用の送信であるか／ユニキャスト用の送信であるか」の情報、「マルチキャストを行うときの送信変調信号数」の情報、「各変調信号をいくつの送信ビームで送信するか」の情報等を含んだ制御情報シンボルを送信してもよい。これにより、端末は、適切な受信が可能となる。制御情報シンボルの構成の詳細については、後で行う。
【０１４９】
図１３は、図１、図３の＃ｉ情報１０１−ｉと図１２を用いて説明した「変調信号１」「変調信号２」の関係を説明するための図面である。
【０１５０】
例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行いデータシンボルを得るが、このデータシンボルをストリーム１用、ストリーム２用に振り分け、ストリーム１のデータシンボル（データシンボル群）、および、ストリーム２のデータシンボル（データシンボル群）を得る。このとき、シンボル番号ｉにおけるストリーム１のデータシンボルをｓ１（ｉ）、ストリーム２のデータシンボルをｓ２（ｉ）とする。すると、シンボル番号ｉにおける「変調信号１」ｔｘ１（ｉ）は、例えば、以下のようにあらわす。
【０１５１】
【数３】
2019151513.tif 000005
【０１５２】
そして、シンボル番号ｉにおける「変調信号２」ｔｘ２（ｉ）は、例えば、以下のようにあらわす。
【０１５３】
【数４】
2019151513.tif 000006
【０１５４】
なお、式（３）、式（４）において、α（ｉ）は複素数で定義することができ（したがって、実数であってもよい）、β（ｉ）は複素数で定義することができ（したがって、実数であってもよい）、γ（ｉ）は複素数で定義することができ（したがって、実数であってもよい）、δ（ｉ）は複素数で定義することができる（したがって、実数であってもよい）。また、α（ｉ）と記載しているが、シンボル番号ｉの関数でなくてもよく（固定の値であってもよい）、β（ｉ）と記載しているが、シンボル番号ｉの関数でなくてもよく（固定の値であってもよい）、γ（ｉ）と記載しているが、シンボル番号ｉの関数でなくてもよく（固定の値であってもよい）、δ（ｉ）と記載しているが、シンボル番号ｉの関数でなくてもよい（固定の値であってもよい）。
【０１５５】
そして、データシンボルから構成された「変調信号１のデータ伝送領域の信号」を含んだ「変調信号１のシンボル群」は、図１、図３の基地局から送信される。また、データシンボルから構成された「変調信号２のデータ伝送領域の信号」を含んだ「変調信号２のシンボル群」は、図１、図３の基地局から送信される。
【０１５６】
なお、「変調信号１」「変調信号２」に対して、位相変更やＣＤＤ(Cyclic Delay Diversity)等の信号処理を行ってもよい。ただし、信号処理の方法はこれに限ったものではない。
【０１５７】
図１４は、横軸時間としたときのフレーム構成の一例を示している。
【０１５８】
図１４の変調信号１の＃１シンボル群（１４０１−１）は、図１２における変調信号１のデータを伝送するための送信ビーム１２０２−１のシンボル群である。
【０１５９】
図１４の変調信号１の＃２シンボル群（１４０１−２）は、図１２における変調信号１のデータを伝送するための送信ビーム１２０２−２のシンボル群である。
【０１６０】
図１４の変調信号１の＃３シンボル群（１４０１−３）は、図１２における変調信号１のデータを伝送するための送信ビーム１２０２−３のシンボル群である。
【０１６１】
図１４の変調信号２の＃１シンボル群（１４０２−１）は、図１２における変調信号２のデータを伝送するための送信ビーム１２０３−１のシンボル群である。
【０１６２】
図１４の変調信号２の＃２シンボル群（１４０２−２）は、図１２における変調信号２のデータを伝送するための送信ビーム１２０３−２のシンボル群である。
【０１６３】
図１４の変調信号２の＃３シンボル群（１４０２−３）は、図１２における変調信号２のデータを伝送するための送信ビーム１２０３−３のシンボル群である。
【０１６４】
そして、変調信号１の＃１シンボル群（１４０１−１）、変調信号１の＃２シンボル群（１４０１−２）、変調信号１の＃３シンボル群（１４０１−３）、変調信号２の＃１シンボル群（１４０２−１）、変調信号２の＃２シンボル群（１４０２−２）、変調信号２の＃３シンボル群（１４０２−３）は、例えば、時間区間１に存在している。
【０１６５】
また、前にも記載したように、変調信号１の＃１シンボル群（１４０１−１）と変調信号２の＃１シンボル群（１４０２−１）は、同一周波数（同一周波数帯）を用いて送信されており、変調信号１の＃２シンボル群（１４０１−２）と変調信号２の＃２シンボル群（１４０２−２）は、同一周波数（同一周波数帯）を用いて送信されており、変調信号１の＃３シンボル群（１４０１−３）と変調信号２の＃３シンボル群（１４０２−３）は、同一周波数（同一周波数帯）を用いて送信されている。
【０１６６】
例えば、図１３の手順で、情報から「変調信号１のデータ伝送領域の信号Ａ」および「変調信号２のデータ伝送領域の信号Ａ」を生成した。
【０１６７】
そして、「変調信号１のデータ伝送領域の信号Ａ」を構成する信号と同等の信号で構成された信号「変調信号１のデータ伝送領域の信号Ａ−１」、「変調信号１のデータ伝送領域の信号Ａ」を構成する信号と同等の信号で構成された信号「変調信号１のデータ伝送領域の信号Ａ−２」、「変調信号１のデータ伝送領域の信号Ａ」を構成する信号と同等の信号で構成された信号「変調信号１のデータ伝送領域の信号Ａ−３」を用意する（つまり、「変調信号１のデータ伝送領域の信号群Ａ−１」を構成する信号と「変調信号１のデータ伝送領域の信号Ａ−２」を構成する信号と「変調信号１のデータ伝送領域の信号Ａ−３」を構成する信号は同じである。）。
【０１６８】
このとき、図１４の変調信号１の＃１シンボル群（１４０１−１）は、「変調信号１のデータ伝送領域の信号Ａ−１」を含んでおり、図１４の変調信号１の＃２シンボル群（１４０１−２）は、「変調信号１のデータ伝送領域の信号Ａ−２」を含んでおり、図１４の変調信号１の＃３シンボル群（１４０１−３）は、「変調信号１のデータ伝送領域の信号Ａ−３」を含んでいる。つまり、変調信号１の＃１シンボル群（１４０１−１）、変調信号１の＃２シンボル群（１４０１−２）、変調信号１の＃３シンボル群（１４０１−３）は、同等の信号を含んでいる。
【０１６９】
また、「変調信号２のデータ伝送領域の信号Ａ」を構成する信号と同等の信号で構成された信号「変調信号２のデータ伝送領域の信号Ａ−１」、「変調信号２のデータ伝送領域の信号Ａ」を構成する信号と同等の信号で構成された信号「変調信号２のデータ伝送領域の信号Ａ−２」、「変調信号２のデータ伝送領域の信号Ａ」を構成する信号と同等の信号で構成された信号「変調信号２のデータ伝送領域の信号Ａ−３」を用意する（つまり、「変調信号２のデータ伝送領域の信号Ａ−１」を構成する信号と「変調信号２のデータ伝送領域の信号Ａ−２」を構成する信号と「変調信号２のデータ伝送領域の信号Ａ−３」を構成する信号は同じである。）。
【０１７０】
このとき、図１４の変調信号２の＃１シンボル群（１４０２−１）は、「変調信号２のデータ伝送領域の信号Ａ−１」を含んでおり、図１４のストリーム２の＃２シンボル群（１４０２−２）は、「変調信号２のデータ伝送領域の信号Ａ−２」を含んでおり、図１４の変調信号２の＃３シンボル群（１４０２−３）は、「変調信号２のデータ伝送領域の信号Ａ−３」を含んでいる。つまり、変調信号２の＃１シンボル群（１４０２−１）、変調信号２の＃２シンボル群（１４０２−２）、変調信号２の＃３シンボル群（１４０２−３）は、同等の信号を含んでいる。
【０１７１】
図１５は、図１４で説明した「変調信号Ｘのシンボル群＃Ｙ」（Ｘ＝１，２；Ｙ＝１，２，３）のフレーム構成の一例を示している。図１５において、横軸時間であり、１５０１は制御情報シンボル、１５０２はデータ伝送用の変調信号送信領域である。このとき、データ伝送用の変調信号送信領域１５０２は、図１４を用いて説明した「変調信号１のデータ伝送領域の信号Ａ」または「変調信号２のデータ伝送領域の信号Ａ」を伝送するためのシンボルである。
【０１７２】
なお、図１５のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１５に限ったものではなく、制御情報シンボル１５０１、データ伝送用の変調信号送信領域１５０２をどのように配置してもよい。リファレンスシンボルは、例えば、プリアンブル、パイロットシンボルと呼んでも良い。
【０１７３】
次に、制御情報シンボル１５０１の構成について説明する。
【０１７４】
図１６は、図１５の制御情報シンボルとして送信するシンボルの構成の一例を示しており、横軸は時間である。図１６において、１６０１は、「端末が受信指向性制御を行うためのトレーニングシンボル」であり、端末は、「端末が受信指向性制御を行うためのトレーニングシンボル」１６０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１７５】
１６０２は、「マルチキャストを行っているときの送信変調信号数を通知するためのシンボル」であり、端末は、「マルチキャストを行っているときの送信変調信号数を通知するためのシンボル」１６０２を受信することで、端末は、得る必要がある変調信号数を知る。
【０１７６】
１６０３は、「変調信号のデータ伝送用の変調信号送信領域がどの変調信号のデータ伝送用の変調信号送信領域であるかを通知するためのシンボル」であり、端末は、「変調信号のデータ伝送用の変調信号送信領域がどの変調信号のデータ伝送用の変調信号送信領域であるかを通知するためのシンボル」１６０３を受信することで、端末は、基地局が送信している変調信号のうち、どの変調信号を受信できているか、を知ることができる。
【０１７７】
上記についての例を説明する。
【０１７８】
図１２のように、基地局が「変調信号」、送信ビームを送信している場合を考える。そして、図１４の変調信号１の＃１シンボル群１４０１−１における制御情報シンボルの具体的な情報について説明する。
【０１７９】
図１２の場合、基地局は「変調信号１」および「変調信号２」を送信しているため、「マルチキャストを行っているときの送信変調信号数を通知するためのシンボル」１６０２の情報は「２」という情報となる。
【０１８０】
また、図１４の変調信号１の＃１シンボル群１４０１−１は、変調信号１のデータ伝送領域の信号を送信しているため、「変調信号のデータ伝送用の変調信号送信領域がどの変調信号のデータ伝送用の変調信号送信領域であるかを通知するためのシンボル」１６０３の情報は「変調信号１」という情報になる。
【０１８１】
例えば、端末が、図１４の変調信号１の＃１シンボル群１４０１−１を受信したとする。このとき、端末は、「マルチキャストを行っているときの送信変調信号数を通知するためのシンボル」１６０２から「変調信号数２」、「変調信号のデータ伝送用の変調信号送信領域がどの変調信号のデータ伝送用の変調信号送信領域であるかを通知するためのシンボル」１６０３から「変調信号１」を得ているということを認識する。
【０１８２】
すると、端末は、存在する「変調信号数２」、得ている変調信号が「変調信号１」であると認識するので、「変調信号２」を得る必要があると認識する。よって、端末は、「変調信号２」を探す作業を開始することができる。例えば、図１４の「変調信号２の＃１シンボル群」１４０２−１、「変調信号２の＃２シンボル群」１４０２−２、「変調信号２の＃３シンボル群」１４０２−３のいずれかの送信ビームを、端末は探す。
【０１８３】
そして、端末は、「変調信号２の＃１シンボル群」１４０２−１、「変調信号２の＃２シンボル群」１４０２−２、「変調信号２の＃３シンボル群」１４０２−３のいずれかの送信ビームを得ることで、「変調信号１」と「変調信号２」の両者を得、ストリーム１のデータシンボル、ストリーム２のデータシンボルを高品質に得ることが可能となる。
【０１８４】
このように、制御情報シンボルを構成することで、端末は、的確にデータシンボルを得ることができるという効果を得ることができる。
【０１８５】
以上のように、マルチキャストデータ伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、高いデータの受信品質が得られるエリアを広くすることができるという効果を得ることができる。これは、基地局が、送信指向性制御、受信指向性制御を行っているためである。
【０１８６】
また、上述の説明では、端末が、受信指向性制御を行っていることを説明したが、端末は、受信指向性制御を行わなくても、上述の効果を得ることは可能である。
【０１８７】
なお、図７において、各端末は、ストリーム１の変調信号と、ストリーム２の変調信号の両者を得ている場合について説明しているが、必ずしもこのような実施の形態に限ったものではない。例えば、ストリーム１の変調信号を得たい端末、ストリーム２の変調信号を得たい端末、ストリーム１の変調信号およびストリーム２の変調信号の両者を得たい端末が存在するというように、端末によって、得たい変調信号が異なるというような実施をしてもよい。
【０１８８】
（実施の形態２）
実施の形態１では、マルチキャストデータ伝送及びブロードキャストデータ伝送において、基地局が、データシンボルを複数の送信ビームを用いて送信する方法について説明した。本実施の形態では、実施の形態１の変形例として、基地局が、マルチキャストデータ伝送及びブロードキャストデータ伝送を行うとともに、ユニキャストのデータ伝送を行う場合について説明する。
【０１８９】
図１７は、基地局（または、アクセスポイントなど）と端末の通信状態の一例を示しており、図７と同様に動作するものについては、同一番号を付しており、詳細の説明は省略する。
【０１９０】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０１９１】
そして、送信ビーム７０２−１、７０２−２、７０２−３、７０３−１、７０３−２、７０３−３の説明については、図７を用いて説明したとおりであるので、説明を省略する。
【０１９２】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０１９３】
図１７において、特徴的な点は、基地局が、図７で説明したように、マルチキャストを行うとともに、基地局７００と端末（例えば１７０２）がユニキャストの通信を行う点である。
【０１９４】
基地局７００は、マルチキャスト用の送信ビーム７０２−１、７０２−２、７０２−３、７０３−１、７０３−２、７０３−３に加え、図１７では、ユニキャスト用の送信ビーム１７０１を生成し、端末１７０２に対し、個別データを伝送する。なお、図１７では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０１９５】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０１９６】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０１９７】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０１９８】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０１９９】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２００】
そして、ユニキャスト用の送信ビーム１７０１は、送信ビーム７０２−１、７０２−２、７０２−３、７０３−１、７０３−２、７０３−３と同一周波数（同一周波数帯）のビームであってもよいし、異なる周波数（異なる周波数帯）のビームであってもよい。
【０２０１】
また、図１７では、ユニキャスト通信を行う端末を１台として記載を進めたが、基地局とユニキャスト通信を行う端末の数は、複数台であってもよい。
【０２０２】
このとき、基地局の構成図１、図３における設定部１５８の動作について、説明する。
【０２０３】
設定部１５８は、設定信号１６０を入力としている。設定信号１６０は、「マルチキャスト用の送信を行うか／ユニキャスト用の送信を行うか」の情報を含んでおり、図１７のような送信を基地局が行う場合、設定信号１６０により「マルチキャスト用の送信、ユニキャスト用の送信両者を行う」という情報が、設定部１５８に入力される。
【０２０４】
あわせて、設定信号１６０は、「マルチキャストを行うときの送信ストリーム数」の情報を含んでおり、図１７のような送信を基地局が行う場合、設定信号１６０により、「送信ストリーム数は２」という情報が、設定部１５８に入力される。
【０２０５】
また、設定信号１６０は、「各ストリームをいくつの送信ビームで送信するか」の情報を含んでいてもよい。図１７のような送信を基地局が行う場合、設定信号１６０により、「ストリーム１を送信する送信ビーム数は３、ストリーム２を送信する送信ビーム数は３」という情報が、設定部１５８に入力される。
【０２０６】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２０７】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２０８】
図１８は、基地局（または、アクセスポイントなど）と端末の通信状態の一例を示しており、図７、図１２と同様に動作するものについては、同一番号を付しており、詳細の説明は省略する。
【０２０９】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２１０】
そして、送信ビーム１２０２−１、１２０２−２、１２０２−３、１２０３−１、１２０３−２、１２０３−３の説明については、図１２を用いて説明したとおりであるので、説明を省略する。
【０２１１】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２を用いて説明したとおりであるので、説明を省略する。
【０２１２】
図１８において、特徴的な点は、基地局が、図１２で説明したように、マルチキャストを行うとともに、基地局７００と端末（例えば１７０２）がユニキャストの通信を行う点である。
【０２１３】
基地局７００は、マルチキャスト用の送信ビーム１２０２−１、１２０２−２、１２０２−３、１２０３−１、１２０３−２、１２０３−３に加え、図１８では、ユニキャスト用の送信ビーム１７０１を生成し、端末１７０２に対し、個別データを伝送する。なお、図１８では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０２１４】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０２１５】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０２１６】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０２１７】
なお、「変調信号１」を伝送するための送信ビーム１２０２−１と「変調信号２」を伝送するための送信ビーム１２０３−１は、同一周波数（同一周波数帯）、同一時間を用いて、基地局７００は送信する。そして、「変調信号１」を伝送するための送信ビーム１２０２−２と「変調信号２」を伝送するための送信ビーム１２０３−２は、同一周波数（同一周波数帯）、同一時間を用いて、基地局７００は送信する。また、「変調信号１」を伝送するための送信ビーム１２０２−３と「変調信号２」を伝送するための送信ビーム１２０３−３は、同一周波数（同一周波数帯）、同一時刻を用いて、基地局７００は送信する。
【０２１８】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０２１９】
そして、ユニキャスト用の送信ビーム１７０１は、送信ビーム１２０２−１、１２０２−２、１２０２−３、１２０３−１、１２０３−２、１２０３−３と同一周波数（同一周波数帯）のビームであってもよいし、異なる周波数（異なる周波数帯）のビームであってもよい。
【０２２０】
また、図１８では、ユニキャスト通信を行う端末を１台として記載を進めたが、基地局とユニキャスト通信を行う端末の数は、複数台であってもよい。
【０２２１】
このとき、基地局の構成図１、図３における設定部１５８の動作について、説明する。
【０２２２】
設定部１５８は、設定信号１６０を入力としている。設定信号１６０は、「マルチキャスト用の送信を行うか／ユニキャスト用の送信を行うか」の情報を含んでおり、図１８のような送信を基地局が行う場合、設定信号１６０により「マルチキャスト用の送信、ユニキャスト用の送信両者を行う」という情報が、設定部１５８に入力される。
【０２２３】
あわせて、設定信号１６０は、「マルチキャストを行うときの送信ストリーム数」の情報を含んでおり、図１８のような送信を基地局が行う場合、設定信号１６０により、「送信ストリーム数は２」という情報が、設定部１５８に入力される。
【０２２４】
また、設定信号１６０は、「各ストリームをいくつの送信ビームで送信するか」の情報を含んでいてもよい。図１８のような送信を基地局が行う場合、設定信号１６０により、「ストリーム１を送信する送信ビーム数は３、ストリーム２を送信する送信ビーム数は３」という情報が、設定部１５８に入力される。
【０２２５】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２２６】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２２７】
次に、実施の形態１の変形例として、基地局が、マルチキャストデータ伝送を複数送信する場合について説明する。
【０２２８】
図１９は、基地局（または、アクセスポイントなど）と端末の通信状態の一例を示しており、図７と同様に動作するものについては、同一番号を付しており、詳細の説明は省略する。
【０２２９】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２３０】
そして、送信ビーム７０２−１、７０２−２、７０２−３、７０３−１、７０３−２、７０３−３の説明については、図７を用いて説明したとおりであるので、説明を省略する。
【０２３１】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０２３２】
基地局７００は、送信ビーム７０２−１、７０２−２、７０２−３、７０３−１、７０３−２、７０３−３に加えて送信ビーム１９０１−１、１９０１−２、１９０２−１、１９０２−２を送信する。
【０２３３】
送信ビーム１９０１−１は、ストリーム３のデータを伝送するための送信ビームである。また、送信ビーム１９０１−２も、ストリーム３のデータを伝送するための送信ビームである。
【０２３４】
送信ビーム１９０２−１は、ストリーム４のデータを伝送するための送信ビームである。また、送信ビーム１９０２−２も、ストリーム４のデータを伝送するための送信ビームである。
【０２３５】
７０４−１、７０４−２、７０４−３、７０４−４、７０４−５、１９０３−１、１９０３−２、１９０３−３は端末であり、例えば、図４、図５のような構成で構成されている。なお、端末７０４−１、７０４−２、７０４−３、７０４−４、７０４−５の動作については、図７を用いて説明したとおりである。
【０２３６】
端末１９０３−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−１、および、受信指向性１９０５−１を形成する。そして、受信指向性１９０４−１により、端末１９０３−１は、ストリーム３のデータを伝送するための送信ビーム１９０１−２の受信及び復調が可能となり、受信指向性１９０５−１により、端末１９０３−１は、ストリーム４のデータを伝送するための送信ビーム１９０２−２の受信及び復調が可能となる。
【０２３７】
端末１９０３−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−２、および、受信指向性１９０５−２を形成する。そして、受信指向性１９０４−２により、端末１９０３−２は、ストリーム４のデータを伝送するための送信ビーム１９０２−１の受信及び復調が可能となり、受信指向性１９０５−２により、端末１９０３−２は、ストリーム３のデータを伝送するための送信ビーム１９０１−２の受信及び復調が可能となる。
【０２３８】
端末１９０３−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−３、および、受信指向性１９０５−３を形成する。そして、受信指向性１９０４−３により、端末１９０３−３は、ストリーム３のデータを伝送するための送信ビーム１９０１−１の受信及び復調が可能となり、受信指向性１９０５−３により、端末１９０３−３は、ストリーム４のデータを伝送するための送信ビーム１９０２−１の受信及び復調が可能となる。
【０２３９】
端末１９０３−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−４、および、受信指向性１９０５−４を形成する。そして、受信指向性１９０４−４により、端末１９０３−４は、ストリーム２のデータを伝送するための送信ビーム７０３−１の受信及び復調が可能となり、受信指向性１９０５−４により、端末１９０３−４は、ストリーム３のデータを伝送するための送信ビーム１９０１−１の受信及び復調が可能となる。
【０２４０】
図１９において、特徴的な点は、基地局が、マルチキャスト用のデータを含むストリームを複数送信するとともに、各ストリームは、複数の送信ビームで送信されており、各端末は、複数のストリームのうち一つ以上のストリームの送信ビームを選択的に受信する点である。
【０２４１】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０２４２】
ストリーム３のデータを伝送するための送信ビーム１９０１−１とストリーム４のデータを伝送するための送信ビーム１９０２−１は、同一周波数（同一周波数帯）、同一時間を用いて、基地局７００は送信する。そして、ストリーム３のデータを伝送するための送信ビーム１９０１−２とストリーム４のデータを伝送するための送信ビーム１９０２−２は、同一周波数（同一周波数帯）、同一時間を用いて、基地局７００は送信する。
【０２４３】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２４４】
ストリーム３のデータを伝送するための送信ビーム１９０１−１、１９０１−２は、同一周波数（同一周波数帯）のビームであってもよいし、それぞれ、異なる周波数（異なる周波数帯）のビームであってもよい。また、ストリーム４のデータを伝送するための送信ビーム１９０２−１、１９０２−２は、同一周波数（同一周波数帯）のビームであってもよいし、それぞれ、異なる周波数（異なる周波数帯）のビームであってもよい。
【０２４５】
そして、図１の＃１情報１０１−１からストリーム１のデータシンボルを生成してもよいし、ストリーム２のデータシンボルを生成し、＃２情報１０１−２からストリーム３のデータシンボル、ストリーム４のデータシンボルを生成してもよい。なお、＃１情報１０１−１、＃２情報１０１−２はそれぞれ誤り訂正符号化を行い、その後、データシンボルを生成してもよい。
【０２４６】
また、図１の＃１情報１０１−１からストリーム１のデータシンボルを生成し、図１の＃２情報１０１−２からストリーム２のデータシンボルを生成し、図１の＃３情報１０１−３からストリーム３のデータシンボルを生成し、図１の＃４情報１０１−４からストリーム４のデータシンボルを生成するとしてもよい。なお、＃１情報１０１−１、＃２情報１０１−２、＃３情報１０１−３、＃４情報１０１−４は、それぞれ、誤り訂正符号化を行い、その後データシンボルを生成してもよい。
【０２４７】
つまり、各ストリームのデータシンボルは、図１の情報のいずれから生成してもよい。このため、端末は、マルチキャスト用のストリームを選択的に得ることができるという効果を得る。
【０２４８】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９のような送信を基地局が行う場合、設定信号１６０により「マルチキャスト用の送信を行う」という情報が、設定部１５８に入力される。
【０２４９】
設定信号１６０は、「マルチキャストを行うときの送信ストリーム数」の情報を含んでおり、図１９のような送信を基地局が行う場合、設定信号１６０により、「送信ストリーム数は４」という情報が、設定部１５８に入力される。
【０２５０】
また、設定信号１６０は、「各ストリームをいくつの送信ビームで送信するか」の情報を含んでいてもよい。図１９のような送信を基地局が行う場合、設定信号１６０により、「ストリーム１を送信する送信ビーム数は３、ストリーム２を送信する送信ビーム数は３、ストリーム３を送信する送信ビーム数は２、ストリーム４を送信する送信ビーム数は２」という情報が、設定部１５８に入力される。
【０２５１】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２５２】
次に、実施の形態１の変形例として、基地局が、マルチキャストデータ伝送を複数送信する場合について説明する。
【０２５３】
図２０は、基地局（または、アクセスポイントなど）と端末の通信状態の一例を示しており、図７、図１２、図１９と同様に動作するものについては、同一番号を付しており、詳細の説明は省略する。
【０２５４】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２５５】
そして、送信ビーム１２０２−１、１２０２−２、１２０２−３、１２０３−１、１２０３−２、１２０３−３の説明については、図１２の説明と重複するので、説明を省略する。
【０２５６】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２の説明と重複するので、説明を省略する。
【０２５７】
基地局７００は、送信ビーム１２０２−１、１２０２−２、１２０２−３、１２０３−１、１２０３−２、１２０３−３に加えて送信ビーム２００１−１、２００１−２、２００２−１、２００２−２を送信する。
【０２５８】
送信ビーム２００１−１は、「変調信号３」を伝送するための送信ビームである。また、送信ビーム２００１−２も、「変調信号３」を伝送するための送信ビームである。
【０２５９】
送信ビーム２００２−１は、「変調信号４」を伝送するための送信ビームである。また、送信ビーム２００２−２も、「変調信号４」を伝送するための送信ビームである。
【０２６０】
端末７０４−１、７０４−２、７０４−３、７０４−４、７０４−５、１９０３−１、１９０３−２、１９０３−３は、例えば、図４、図５と同じ構成である。なお、端末７０４−１、７０４−２、７０４−３、７０４−４、７０４−５の動作については、図７の説明と同じである。
【０２６１】
端末１９０３−１は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−１、および、受信指向性１９０５−１を形成する。そして、受信指向性１９０４−１により、端末１９０３−１は、「変調信号３」を伝送するための送信ビーム２００１−２の受信及び復調が可能となり、受信指向性１９０５−１により、端末１９０３−１は、「変調信号４」を伝送するための送信ビーム２００２−２の受信及び復調が可能となる。
【０２６２】
端末１９０３−２は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−２、および、受信指向性１９０５−２を形成する。そして、受信指向性１９０４−２により、端末１９０３−２は、「変調信号４」を伝送するための送信ビーム２００２−１の受信及び復調が可能となり、受信指向性１９０５−２により、端末１９０３−２は、「変調信号３」を伝送するための送信ビーム２００１−２の受信及び復調が可能となる。
【０２６３】
端末１９０３−３は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−３、および、受信指向性１９０５−３を形成する。そして、受信指向性１９０４−３により、端末１９０３−３は、「変調信号３」を伝送するための送信ビーム２００１−１の受信及び復調が可能となり、受信指向性１９０５−３により、端末１９０３−３は、「変調信号４」を伝送するための送信ビーム２００２−１の受信及び復調が可能となる。
【０２６４】
端末１９０３−４は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−４、および、受信指向性１９０５−４を形成する。そして、受信指向性１９０４−４により、端末１９０３−４は、「変調信号３」を伝送するための送信ビーム２００１−１の受信及び復調が可能となり、受信指向性１９０５−４により、端末１９０３−４は、「変調信号４」を伝送するための送信ビーム２００２−１の受信及び復調が可能となる。
【０２６５】
図２０において、基地局が、マルチキャスト用のデータを含む変調信号を複数送信し、各変調信号は、複数の送信ビームで送信されており、各端末は、複数の変調信号のうち一つ以上のストリームの送信ビームを選択的に受信する。
【０２６６】
なお、基地局７００は、「変調信号１」を伝送するための送信ビーム１２０２−１と「変調信号２」を伝送するための送信ビーム１２０３−１を、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２を、同一周波数（同一周波数帯）、同一時間を用いて、送信する。また、基地局７００は、「変調信号１」を伝送するための送信ビーム１２０２−３と「変調信号２」を伝送するための送信ビーム１２０３−３を、同一周波数（同一周波数帯）、同一時刻を用いて、送信する。
【０２６７】
基地局７００は、「変調信号３」を伝送するための送信ビーム２００１−１と「変調信号４」を伝送するための送信ビーム２００２−１を、同一周波数（同一周波数帯）、同一時間を用いて、送信する。そして、基地局７００は、「変調信号３」を伝送するための送信ビーム２００１−２と「変調信号４」を伝送するための送信ビーム２００２−２を、同一周波数（同一周波数帯）、同一時間を用いて、送信する。
【０２６８】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２６９】
「変調信号３」を伝送するための送信ビーム２００１−１、２００１−２は、同一周波数（同一周波数帯）のビームであってもよいし、それぞれ、異なる周波数（異なる周波数帯）のビームであってもよい。また、「変調信号４」を伝送するための送信ビーム２００２−１、２００２−２は、同一周波数（同一周波数帯）のビームであってもよいし、それぞれ、異なる周波数（異なる周波数帯）のビームであってもよい。
【０２７０】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９に示す送信を基地局が行う場合、設定信号１６０により「マルチキャスト用の送信を行う」という情報が、設定部１５８に入力される。
【０２７１】
設定信号１６０は、「マルチキャストを行うときの送信変調信号数」の情報を含んでおり、図２０に示す送信を基地局が行う場合、設定信号１６０により、「送信変調信号数は４」という情報が、設定部１５８に入力される。
【０２７２】
また、設定信号１６０は、「各変調信号をいくつの送信ビームで送信するか」の情報を含んでいてもよい。図２０に示す送信を基地局が行う場合、設定信号１６０により、「変調信号１を送信する送信ビーム数は３、変調信号２を送信する送信ビーム数は３、変調信号３を送信する送信ビーム数は２、変調信号４を送信する送信ビーム数は２」という情報が、設定部１５８に入力される。
【０２７３】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２７４】
なお、図２０では、端末は、「変調信号１」の送信ビームと「変調信号２」の送信ビームの両者を受信すると、高い受信品質でストリーム１のデータとストリーム２のデータを得ることができる。
【０２７５】
同様に、端末は、「変調信号３」の送信ビームと「変調信号４」の送信ビームの両者を受信すると、高い受信品質でストリーム３のデータとストリーム４のデータを得ることができる。
【０２７６】
そして、図２０では、基地局が「変調信号１」、「変調信号２」、「変調信号３」、「変調信号４」を送信する例を説明しているが、基地局は、ストリーム５のデータ及びストリーム６のデータを伝送する「変調信号５」及び「変調信号６」を送信してもよいし、それよりも多くのストリームを伝送するためにより多くの変調信号を送信してもよい。なお、変調信号のそれぞれは１以上の送信ビームを用いて送信される。
【０２７７】
さらに、図１７、図１８で説明したように、ユニキャスト用の送信ビーム（または受信指向性制御）が一つ以上存在していてもよい。
【０２７８】
「変調信号１」、「変調信号２」の関係については、図１３の説明と重複するので省略する。ここでは、「変調信号３」、「変調信号４」の関係について、図２１を用いて説明する。
【０２７９】
例えば、＃２情報１０１−２に対して、誤り訂正符号化などの処理を施し、誤り訂正符号化後のデータを得る。この誤り訂正符号化後のデータを＃２送信データと名付ける。そして、＃２送信データに対してマッピングを行い、データシンボルを得るが、このデータシンボルをストリーム３用、ストリーム４用に振り分け、ストリーム３のデータシンボル（データシンボル群）、および、ストリーム４のデータシンボル（データシンボル群）を得る。このとき、シンボル番号ｉにおけるストリーム３のデータシンボルをｓ３（ｉ）、ストリーム４のデータシンボルをｓ４（ｉ）とする。すると、シンボル番号ｉにおける「変調信号３」ｔｘ３（ｉ）は、例えば、以下のようにあらわす。
【０２８０】
【数５】
2019151513.tif 000007
【０２８１】
そして、シンボル番号ｉにおける「変調信号４」ｔｘ４（ｉ）は、例えば、以下のようにあらわす。
【０２８２】
【数６】
2019151513.tif 000008
【０２８３】
なお、式（５）、式（６）において、ｅ（ｉ）、ｆ（ｉ）、ｇ（ｉ）、ｈ（ｉ）は、それぞれ、複素数で定義することができ、したがって、実数であってもよい。
【０２８４】
また、ｅ（ｉ）、ｆ（ｉ）、ｇ（ｉ）、ｈ（ｉ）と記載しているが、それらはシンボル番号ｉの関数でなくてもよく、固定の値であってもよい。
【０２８５】
そして、データシンボルから構成された「変調信号３のデータ伝送領域の信号」を含んだ「変調信号３のシンボル群」は、図１、図３の基地局から送信される。また、データシンボルから構成された「変調信号４のデータ伝送領域の信号」を含んだ「変調信号４のシンボル群」は、図１、図３の基地局から送信される。
【０２８６】
（補足）
当然であるが、本明細書において説明した実施の形態、その他の内容を複数組み合わせて、実施してもよい。
【０２８７】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０２８８】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）、ＰＡＭ（Pulse Amplitude Modulation）、ＰＳＫ（Phase Shift Keying）、ＱＡＭ（Quadrature Amplitude Modulation）を適用してもよいし、各変調方式において、均一マッピング、非均一マッピングとしてもよい。ＡＰＳＫは、例えば、16APSK, 64APSK, 128APSK, 256APSK, 1024APSK, 4096APSKを含み、ＰＡＭは、例えば、4PAM, 8PAM, 16PAM, 64PAM, 128PAM, 256PAM, 1024PAM, 4096PAMを含み、ＰＳＫは、例えば、BPSK, QPSK, 8PSK, 16PSK, 64PSK, 128PSK, 256PSK, 1024PSK,4096PSKを含み、ＱＡＭは、例えば、4QAM, 8QAM, 16QAM, 64QAM, 128QAM, 256QAM, 1024QAM, 4096QAMを含む。
【０２８９】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０２９０】
本明細書で記載した「基地局」は、例えば、放送局、基地局、アクセスポイント、端末、携帯電話（mobile phone）などであってもよい。そして、本明細書で記載している「端末」は、テレビ、ラジオ、端末、パーソナルコンピュータ、携帯電話、アクセスポイント、基地局などであってもよい。また、本開示における「基地局」、「端末」は、通信機能を有している機器であって、その機器が、テレビ、ラジオ、パーソナルコンピュータ、携帯電話等のアプリケーションを実行するための装置に何らかのインターフェースを解して接続できるようなに構成されてもよい。また、本実施の形態では、データシンボル以外のシンボル、例えば、パイロットシンボル、制御情報用のシンボルなどが、フレームにおいて、どのように配置されていてもよい。
【０２９１】
そして、パイロットシンボル、制御情報用のシンボルは、どのような名付け方を行ってもよく、例えば、送受信機において、ＰＳＫ変調を用いて変調した既知のシンボルであればよく、または、受信機が同期することによって、受信機は、送信機が送信したシンボルを知ることができてもよい。受信機は、このシンボルを用いて、周波数同期、時間同期、各変調信号のチャネル推定（ＣＳＩ（Channel State Information）の推定）、信号の検出等を行う。なお、パイロットシンボルは、プリアンブル、ユニークワード、ポストアンブル、リファレンスシンボル等と呼ぶことがある。
【０２９２】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０２９３】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２９４】
なお、例えば、上記通信方法を実行するプログラムを予めＲＯＭ（Read Only Memory）に格納しておき、そのプログラムをＣＰＵ（Central Processor Unit）によって動作させるようにしても良い。
【０２９５】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０２９６】
そして、上記の各実施の形態などの各構成は、典型的には、入力端子及び出力端子を有する集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０２９７】
（実施の形態３）
本実施の形態では、実施の形態１、実施の形態２と異なるビームフォーミングを適用したときのマルチキャスト通信方法について説明する。
【０２９８】
基地局の構成については、実施の形態１の図１から図３を用いて説明したとおりであるため、実施の形態１と同様に動作する部分についての説明は省略する。また、基地局と通信を行う端末の構成についても、実施の形態１の図４から図６を用いて説明したとおりであるため、実施の形態１と同様に動作する部分についての説明は省略する。
【０２９９】
以下では、本実施の形態における基地局と端末の動作の例を説明する。
【０３００】
図２２は、基地局が１つの端末に対して、マルチキャスト用送信ストリームを送信している場合を示している。
【０３０１】
図２２において、基地局７００は、送信用アンテナから「（マルチキャスト用）ストリーム１−１（ストリーム１の第１ビーム）」の送信ビーム２２０１−１を端末２２０２−１に対して送信しており、端末２２０２−１は、指向性制御を行うことで、受信指向性２２０３−１を生成し、「ストリーム１−１」の送信ビーム２２０１−１を受信している。
【０３０２】
図２３は、図２２のような基地局と端末の通信状態のために行う「基地局と端末の通信を行うための手順」の説明を行う。
【０３０３】
［２３−１］端末は、まず、基地局に対し、「ストリーム１のマルチキャスト送信の要求」を行う。
【０３０４】
［２３−２］基地局は、［２３−１］を受け、「ストリーム１のマルチキャスト送信を行っていない」ことを認識する。そこで、基地局は、端末に対し、ストリーム１のマルチキャスト送信を行うために、送信指向性制御用のトレーニングシンボル、受信指向性制御用のトレーニングシンボルを送信する。
【０３０５】
［２３−３］端末は、基地局が送信した送信指向性制御用のトレーニングシンボル、および、受信指向性制御用のトレーニングシンボルを受信し、基地局が送信指向性制御、端末が受信指向性制御を行うために、基地局に対し、フィードバック情報を送信する。
【０３０６】
［２３−４］基地局は、端末が送信したフィードバック情報に基づいて、送信指向性制御の方法（指向性制御を行うときに使用する重み付け係数の決定など）の決定を行い、送信指向性制御を行い、ストリーム１のデータシンボルを送信する。
【０３０７】
［２３−５］端末は、受信指向性制御方法（指向性制御を行うときに使用する重み付け係数の決定など）の決定を行い、基地局が送信したストリーム１のデータシンボルの受信を開始する。
【０３０８】
なお、図２３の「基地局と端末の通信を行うための手順」は一例であり、各情報の送信の順番は、図２３に限ったものではなく、各情報の送信の順番が入れ替わっても同様に実施することができる。また、図２３では、端末が受信指向性制御を行う場合を例に説明しているが、端末が受信指向性制御を行わない場合であってもよい。このとき、図２３において、基地局は、受信指向性制御用トレーニングシンボルを送信しなくてもよく、また、端末は受信指向性制御方法の決定を行わない。
【０３０９】
また、基地局が送信指向性制御を行う際、基地局が図１の構成の場合、例えば、図２の乗算部２０４−１、２０４−２、２０４−３、２０４−４における乗算係数が設定され、また、基地局が図３の構成の場合、例えば、重み付け合成部３０１において、重み付け係数が設定される。なお、送信するストリーム数は、図２２の場合「１」としているが、これに限ったものではない。
【０３１０】
そして、端末が受信指向性制御を行う際、端末が図４の構成の場合、例えば、図５の乗算部５０３−１、５０３−２、５０３−３、５０３−４における乗算係数が設定され、また、端末が図６の構成の場合、例えば、乗算部６０３−１、６０３−２、・・・、６０３−Ｌにおける乗算係数が設定される。
【０３１１】
図２４は、図２３における基地局が、送信指向性制御用シンボル、および、受信指向性制御用シンボル、データシンボルを送信する際、基地局が送信するシンボルと端末が送信するシンボルの一例を時間軸において示す図である。図２４における（ａ）は基地局が送信するシンボルの一例を時間軸において示す図であり、図２４における（ｂ）は端末が送信するシンボルの一例を時間軸において示す図であり、いずれも横軸は時間である。
【０３１２】
図２３のように基地局と端末の通信が行われた場合、図２４に示すように、まず、「基地局送信指向性制御トレーニングシンボル」２４０１を、基地局は送信する。例えば、「基地局送信指向性制御トレーニングシンボル」２４０１は、制御情報シンボルと既知のＰＳＫシンボルで構成されている。
【０３１３】
そして、端末は、基地局が送信した「基地局送信指向性制御トレーニングシンボル」２４０１を受信し、例えば、基地局が送信に使用するアンテナの情報、指向性制御で使用する乗算係数（または、重み付け係数）に関する情報をフィードバック情報シンボル２４０２として送信する。
【０３１４】
基地局は、端末が送信した「フィードバック情報シンボル」２４０２を受信し、フィードバック情報シンボル２４０２から送信に使用するアンテナを決定し、また、フィードバック情報シンボル２４０２から送信指向性制御に用いる係数を決定する。その後、基地局は、「端末受信指向性制御トレーニングシンボル」２４０３を送信する。例えば、「端末受信指向性制御トレーニングシンボル」２４０３は、制御情報シンボルと既知ＰＳＫシンボルで構成されている。
【０３１５】
そして、端末は、基地局が送信した「端末受信指向性制御トレーニングシンボル」２４０３を受信し、例えば、端末が受信に使用するアンテナ、端末が受信指向性制御に使用する乗算係数を決定する。そして、端末は、データシンボルを受信する準備が完了したことをフィードバック情報シンボル２４０４として送信する。
【０３１６】
そして、基地局は、端末が送信した「フィードバック情報シンボル」２４０４を受信し、フィードバック情報シンボル２４０４に基づき、データシンボル２４０５を出力する。
【０３１７】
なお、図２４の基地局と端末の通信は、一例であり、シンボルの送信の順番や基地局の送信と端末の送信の順番については、これに限ったものではない。また、「基地局送信指向性制御トレーニングシンボル」２４０１、「フィードバック情報シンボル」２４０２、「端末受信指向性制御トレーニングシンボル」２４０３、「フィードバック情報シンボル」２４０４、「データシンボル」２４０５のそれぞれに、信号検出、時間同期、周波数同期、周波数オフセット推定及びチャネル推定のためのプリアンブル、リファレンスシンボル、パイロットシンボル、また、制御情報を伝送するためのシンボルなどが含まれていてもよい。
【０３１８】
図２５は、図２３における基地局と端末の通信が完了した後、基地局がストリーム１のデータシンボルを送信する際の、基地局が送信するシンボルの例であり、横軸を時間とする。
【０３１９】
図２５では、基地局は、「（マルチキャスト用）ストリーム１−１データシンボル（１）」２５０１−１−１として、ストリーム１の送信ビーム１の第１番目のデータシンボルを送信する。その後、データシンボル送信可能な区間２５０２−１が配置される。
【０３２０】
その後、基地局は、「（マルチキャスト用）ストリーム１−１データシンボル（２）」２５０１−１−２として、（マルチキャスト用）ストリーム１の送信ビーム１の第２番目のデータシンボルを送信する。その後、データシンボル送信可能な区間２５０２−２が配置される。
【０３２１】
その後、基地局は、「（マルチキャスト用）ストリーム１−１データシンボル（３）」２５０１−１−３として、（マルチキャスト用）ストリーム１の送信ビーム１の第３番目のデータシンボルを送信する。
【０３２２】
このようにして、基地局は、図２２に示した「（マルチキャスト用）ストリーム１−１」２２０１−１のデータシンボルを、基地局は送信する。なお、図２５において、「（マルチキャスト用）ストリーム１−１データシンボル（１）」２５０１−１−１、「（マルチキャスト用）ストリーム１−１データシンボル（２）」２５０１−１−２、「（マルチキャスト用）データシンボル１−１データシンボル（３）」２５０１−１−３、・・・には、データシンボル以外に、信号検出、時間同期、周波数同期、周波数オフセット推定、チャネル推定のためのプリアンブル、リファレンスシンボル、パイロットシンボル、また、制御情報を伝送するためのシンボルなどが含まれていてもよい。
【０３２３】
なお、図２５では、データシンボル送信可能な区間２５０２−１は、ユニキャスト送信区間２５０３−１を含み、また、データシンボル送信可能な区間２５０２−２は、ユニキャスト送信区間２５０３−２を含む。
【０３２４】
図２５では、フレームは、ユニキャスト送信区間２５０３−１、２５０３−２を含む。例えば、図２５では、基地局は、データシンボル送信可能な区間２５０２−１のユニキャスト送信区間２５０３−１を除く区間、および、データシンボル送信可能区間２５０２−２のユニキャスト送信区間２５０３−２を除く区間では、マルチキャスト用のシンボルを送信してもよい。この点については、後で、例を用いて説明する。
【０３２５】
このように、ユニキャスト送信区間をフレームに設けることは、無線通信システムを安定的に動作させるために有用な構成要件となる。この点については、後で例を説明する。なお、ユニキャスト送信区間は、図２５のような時間的位置でなくてもよく、どのように時間的に配置してもよい。なお、ユニキャスト送信区間は、基地局がシンボルを送信してもよいし、端末がシンボルを送信してもよい。
【０３２６】
また、基地局によって、直接的に、ユニキャスト送信区間を設定できるような構成であってもよいが、別の方法として、基地局が、マルチキャスト用のシンボルを送信するための最大送信データ伝送速度を設定するようにしてもよい。
【０３２７】
例えば、基地局が送信可能なデータの伝送速度が２Ｇｂｐｓ（ｂｐｓ： bits per second）であり、基地局において、マルチキャスト用のシンボルを送信するのに割り当てることができるデータの最大伝送速度を１．５Ｇｂｐｓとする場合、５００Ｍｂｐｓに相当するユニキャスト送信区間を設定することができる。
【０３２８】
このように、ユニキャスト送信区間を基地局において間接的に設定できるような構成であってもよい。なお、別の具体的な例については後で説明を行う。
【０３２９】
なお、図２２の状態に伴い、図２５では、「（マルチキャスト用）ストリーム１−１データシンボル（１）」２５０１−１−１、「（マルチキャスト用）ストリーム１−１データシンボル（２）」２５０１−１−２、「（マルチキャスト用）ストリーム１−１データシンボル（３）」２５０１−１−３が存在するフレーム構成を記載しているが、これに限ったものではない。例えば、ストリーム１（ストリーム１−１）以外のマルチキャスト用のストリームのデータシンボルが存在してもよいし、ストリーム１の第２の送信ビームであるストリーム１−２のデータシンボル、ストリーム１の第３の送信ビームであるストリーム１−３データストリームが存在していてもよい。この点については、後で説明を行う。
【０３３０】
図２６は、図２２の基地局が１つの端末に対して、マルチキャスト用送信ストリームを送信している状態に対し、新たに端末が１つ追加されたときの状態を示しており、図２２と同様に動作するものについては同一番号を付している。
【０３３１】
図２６において、新たに追加された端末は２２０２−２である。端末２２０２−２は、指向性制御を行うことで、受信指向性２２０３−２を生成し、「（マルチキャスト用）ストリーム１−１」の送信ビーム２２０１−１を受信する。
【０３３２】
次に、図２６について説明する。
【０３３３】
以下の説明では、図２６において、基地局７００と端末２２０２−１がマルチキャスト通信を行っている状態に対し、新たに端末２２０２−２がマルチキャスト通信に参加するという状態である。したがって、図２７に示すように基地局は、「端末受信指向性制御トレーニングシンボル」２７０１と「データシンボル」２７０２を送信しており、図２４に示した「基地局送信トレーニングシンボル」は送信しない。なお、図２７において、横軸は時間である。
【０３３４】
図２８は、図２６のように基地局が２つの端末にマルチキャスト用の送信ビームを送信している状態になるために行われる動作の例を示している。
【０３３５】
［２８−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３３６】
［２８−２］基地局は、［２８−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信される。
【０３３７】
［２８−３］端末２２０２−２は、［２８−２］を受け、マルチキャスト用のストリーム１の受信を開始するために、受信指向性制御を実施する。そして、端末２２０２−２は、受信指向性制御を行い、「マルチキャスト用のストリーム１」の受信ができたことを、基地局に通知する。
【０３３８】
［２８−４］基地局は、［２８−３］を受け、端末が「マルチキャスト用のストリーム１」を受信できたことを確認する。
【０３３９】
［２８−５］端末２２０２−２は、受信指向性制御を行い、「マルチキャスト用のストリーム１」の受信を開始する。
【０３４０】
図２９は、図２２の基地局が一つの端末に対して、マルチキャスト用送信ストリームを送信している状態に対し、新たに端末一つが追加されたときの状態を示しており、図２２と同様に動作するものについては同一番号を付している。
【０３４１】
図２９において、新たに追加された端末は２２０２−２である。このとき、図２６と異なる点は、基地局７００は、「（マルチキャスト用）ストリーム１−２（ストリーム１の第２）」の送信ビーム２２０１−２を新たに送信し、端末２２０２−２は、指向性制御を行うことで、受信指向性２２０３−２を生成し、「（マルチキャスト用）ストリーム１−２」の送信ビーム２２０１−２を受信する。
【０３４２】
次に、図２９のような状態のために行われる制御について説明する。
【０３４３】
以下の説明では、図２９において、基地局７００と端末２２０２−１がマルチキャスト通信を行っている状態に対し、新たに端末２２０２−２がマルチキャスト通信に参加するという状態である。
【０３４４】
図３０は、図２９のように基地局が２つの端末にマルチキャスト用の送信ビームを送信している状態になるために行われる動作の例を示している。
【０３４５】
［３０−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３４６】
［３０−２］基地局は、［３０−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信されている。
【０３４７】
［３０−３］端末２２０２−２は、［３０−２］を受け、「マルチキャスト用のストリーム１を受信していないこと」を基地局に通知する。なお、「マルチキャスト用のストリーム１を受信していないこと」の通知は、図２５におけるユニキャスト送信区間に送信されている。
【０３４８】
［３０−４］基地局は、［３０−３］を受け、マルチキャスト用のストリーム１の別の送信ビーム（つまり、図２９の送信ビーム２２０１−２）を送信すると決定する。なお、ここでは、マルチキャスト用のストリーム１の別の送信ビームを送信すると判断しているが、マルチキャスト用のストリーム１の別の送信ビームを送信しないと判断してもよい。この点については、後で説明する。
【０３４９】
そこで、基地局は、端末２２０２−２に対し、ストリーム１のマルチキャスト送信を行うために、送信指向性制御用のトレーニングシンボル、受信指向性制御用のトレーニングシンボルを送信する。なお、これらのシンボルの送信とは別に、図２９におけるストリーム１−１の送信ビームを、基地局は送信している。この点については、後で説明する。
【０３５０】
［３０−５］端末２２０２−２は、基地局が送信した送信指向性制御用のトレーニングシンボル、および、受信指向性制御用のトレーニグンシンボルを受信し、基地局が送信指向性制御、端末２２０２−２が受信指向性制御を行うために、基地局に対し、フィードバック情報を送信する。
【０３５１】
［３０−６］基地局は、端末２２０２−２が送信したフィードバック情報に基づいて、送信指向性制御の方法（指向性制御を行うときに使用する重み付け係数の決定など）の決定を行い、ストリーム１のデータシンボル（図２９のストリーム１−２の送信ビーム２２０１−２）を送信する。
【０３５２】
［３０−７］端末２２０２−２は、受信指向性制御方法（指向性制御を行うときに使用する重み付け係数の決定など）の決定を行い、基地局が送信したストリーム１のデータシンボル（図２９のストリーム１−２の送信ビーム２２０１−２）の受信を開始する。
【０３５３】
なお、図３０の「基地局と端末の通信を行うための手順」は一例であり、各情報の送信の順番は、図３０に限ったものではなく、各情報の送信の順番が入れ替わっても同様に実施することができる。
【０３５４】
また、図３０では、端末の受信指向性制御を行う場合を例に説明しているが、端末が受信指向性制御を行わないような場合であってもよい。このとき、図３０において、基地局は、受信指向性制御用のトレーニングシンボルを送信しなくてもよく、また、端末は受信指向性制御方法の決定を行わなくてもよい。
【０３５５】
また、基地局が送信指向性制御を行う際、基地局の構成が図１の構成の場合、例えば、図２の乗算部２０４−１、２０４−２、２０４−３、２０４−４における乗算係数が設定され、また、基地局の構成が図３の構成の場合、例えば、重み付け合成部３０１において、重み付け係数が設定される。なお、送信するストリーム数は、図２９の場合、「２」としているが、これに限ったものではない。
【０３５６】
そして、端末２２０２−１、２２０２−２が受信指向性制御を行う際、端末の構成が図４の構成の場合、例えば、図５の乗算部５０３−１、５０３−２、５０３−３、５０３−４における乗算係数が設定され、また、端末の構成が図６の構成の場合、例えば、乗算部６０３−１、６０３−２、・・・、６０３−Ｌにおける乗算係数が設定される。
【０３５７】
図３１は、図３０における基地局と端末の通信が完了した後、基地局がストリーム１のデータシンボルを送信する際の、基地局が送信するシンボルの例であり、横軸を時間とする。
【０３５８】
図３１では、図２９の「ストリーム１−１」が存在しているので、図２５と同様に、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−Ｍ＋２が存在する。なお、「（Ｍ）、（Ｍ＋１）、（Ｍ＋２）」と記載しているが、（マルチキャスト用）ストリーム１−１は、（マルチキャスト用）ストリーム１−２が存在する前から存在しているからである。したがって、図３１では、Ｍは２以上の整数とする。
【０３５９】
そして、図３１に示すように、ユニキャスト送信区間２５０３−１、２５０３−２以外の区間において、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３が存在している。
【０３６０】
これまでの説明のように、以下のような特長をもつ。
【０３６１】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０３６２】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０３６３】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３６４】
以上より、基地局が送信したマルチキャストストリームを２つの端末が受信できるようになる。このとき、送受信で指向性制御を行っているため、マルチキャスト用のストリームを受信することができるエリアを広範にすることができるという効果を得る。また、ストリームの追加、送信ビームの追加は必要なときに限って行うため、データを伝送するための周波数、時間、空間の資源を有効に活用することができるという効果を得る。
【０３６５】
なお、以降で説明するような制御を行うことがある。制御の詳細は以下のとおりである。
【０３６６】
図３２は、図３１と異なる「図３０における基地局と端末の通信が完了した後、基地局が（ストリーム１の）データシンボルを送信する際の、基地局が送信するシンボルの例」であり、横軸を時間とする。なお、図３２において、図２５、図３１と同様に動作するものについては、同一番号を付している。
【０３６７】
図３２において、図３１と異なる点は、ユニキャスト送信区間２５０３−１、２５０３−２を時間的に長く設定しているため、基地局は、これ以上のマルチキャスト用のシンボルを追加して、送信しない点である。
【０３６８】
図３３は、図２９のように基地局が２つの端末（端末２２０２−１、２２０２−２）にマルチキャスト用の送信ビームを送信しているのに加え、新たな端末２２０２−３が基地局に対し、送信ビームの追加の要求を行ったときの動作の例を示している。なお、基地局が送信している変調信号のフレームは、図３２に示す。
【０３６９】
［３３−１］端末２２０２−３は、基地局に対して、「ストリーム１のマルチキャスト送信の要求」を行う。なお、「ストリーム１のマルチキャスト送信の要求」は、図３２におけるユニキャスト送信区間に送信される。
【０３７０】
［３３−２］基地局は、［３３−１］を受け、「マルチキャスト用のストリーム１の送信を行っていること」を端末２２０２−３に通知する。なお、「マルチキャスト用のストリーム１の送信を行っていることの通知」は、図３２におけるユニキャスト送信区間に送信される。
【０３７１】
［３３−３］端末２２０２−３は、［３３−２］を受け、「マルチキャスト用のストリーム１を受信していないこと」を基地局に通知する。なお、「マルチキャスト用のストリーム１を受信していないことの通知」は、図３２におけるユニキャスト送信区間に送信されている。
【０３７２】
［３３−４］基地局は、［３３−３］を受け、マルチキャスト用ストリーム１の送信ビームとして、ストリーム１−１の送信ビーム、ストリーム１−２の送信ビームとは別の送信ビームを送信することができるかの判定を行う。このとき、図３２に示すフレームであることを考慮し、基地局は、マルチキャスト用ストリーム１の別の送信ビームを送信しないと判定する。よって、基地局は、「マルチキャスト用ストリーム１の別の送信ビームを送信しないこと」を端末２２０２−３に通知する。なお、「マルチキャスト用ストリーム１の別の送信ビームを送信しないことの通知」は、図３２におけるユニキャスト送信区間に送信される。
【０３７３】
［３３−５］端末２２０２−３は、「マルチキャスト用ストリーム１の別の送信ビームを送信しないことの通知」を受信する。
【０３７４】
なお、図３３の「基地局と端末の通信の手順」は一例であり、各情報の送信の順番は、図３３に限ったものではなく、各送信の順番が入れ替わっても同様に実施することができる。このように、マルチキャスト送信のための通信資源が不足している場合、マルチキャスト送信ビームの追加を行わなくてもよい。
【０３７５】
図３４は、図２９に示す基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示している。なお、基地局が送信している変調信号のフレームは、図３１のような状態である。
【０３７６】
［３４−１］端末２２０２−３は、基地局に対して、「ストリーム２のマルチキャスト送信の要求」を行う。なお、「ストリーム２のマルチキャスト送信の要求」は、図３１におけるユニキャスト送信区間２５０３に送信される。
【０３７７】
［３４−２］基地局は、［３４−１］を受け、「マルチキャスト用のストリーム２の送信を行っていないこと」を端末２２０２−３に通知する。また、「マルチキャスト用のストリーム２の送信ビームを基地局が追加して送信できるかの判定を行う。このとき図３１のようなフレーム状態であることを考慮し、「マルチキャスト用のストリーム２の送信ビームの送信に対応していること」を端末２２０２−３に通知する。なお、「マルチキャスト用のストリーム２の送信を行っていないことの通知」、および、「マルチキャスト用のストリーム２の送信ビームが送信可能であることの通知」は、図３１におけるユニキャスト送信区間２５０３に送信される。
【０３７８】
［３４−３］端末２２０３−３は、［３４−２］を受け、「マルチキャスト用のストリーム２の受信準備が完了したこと」を基地局に通知する。なお、「マルチキャスト用のストリーム２の受信準備が完了したこと」の通知は、図３１におけるユニキャスト送信区間２５０３に送信される。
【０３７９】
［３４−４］基地局は、［３４−３］を受け、マルチキャスト用のストリーム２の送信ビームを送信することを決定する。そこで、基地局は、端末２２０２−３に対し、ストリーム２のマルチキャスト送信を行うために、送信指向性制御用のトレーニングシンボル、受信指向性制御用のトレーニングシンボルを送信する。なお、これらのシンボルの送信とは別に、図３１のようにストリーム１−１の送信ビーム、ストリーム１−２の送信ビームを基地局は送信している。この点については、後で説明する。
【０３８０】
［３４−５］端末２２０２−３は、基地局が送信した送信指向性制御用のトレーニングシンボル、および、受信指向性制御用のトレーニングシンボルを受信し、基地局は送信指向性制御、端末２２０２−３が受信指向性制御を行うために、基地局に対し、フィードバック情報を送信する。
【０３８１】
［３４−６］基地局は、端末２２０２−３が送信したフィードバック情報に基づいて、送信指向性制御の方法（指向性制御を行うときに使用する重み付け係数の決定など）の決定を行い、ストリーム２のデータシンボルを送信する。
【０３８２】
［３４−７］端末２２０２−３は、受信指向性制御方法（指向性制御を行うときに使用する重み付け係数の決定など）の決定を行い、基地局が送信したストリーム２のデータシンボルの受信を開始する。
【０３８３】
なお、図３４の「基地局と端末の通信を行うための手順」は、一例であり、各情報の送信の順番は、図３４に限ったものではなく、各情報の送信の順番が入れ替わっても同様に実施することができる、また、図３４では、端末の受信指向性制御を行う場合を例に説明しているが、端末が受信指向性制御を行わないような場合であってもよい。このとき、図３４において、基地局は受信指向性制御用のトレーニングシンボルを送信しなくてもよく、また、端末は受信指向性制御方法の決定を行わない。
【０３８４】
また、基地局が送信指向性制御を行う際、基地局が図１の構成の場合、例えば、図２の乗算部２０４−１、２０４−２、２０４−３、２０４−４における乗算係数が設定される。
【０３８５】
そして、端末２２０２−１、２２０２−２、２２０２−３が受信指向性制御を行う際、端末が図４の構成の場合、例えば、図５の乗算部５０３−１、５０３−２、５０３−３、５０３−４における乗算係数が設定されることになり、また、端末の構成が図６の構成の場合、例えば、乗算部６０３−１、６０３−２、・・・、６０３−Ｌにおける乗算係数が設定される。
【０３８６】
図３５は、図３４における基地局と端末の通信が完了した後、基地局がストリーム１、ストリーム２のデータシンボルを送信する際の、基地局が送信するシンボルの例であり、横軸を時間とする。
【０３８７】
図３５において、図３１に示す「ストリーム１−１」、「ストリーム１−２」が存在しているので、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）が存在し、また、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）が存在する。なお、Ｎ、Ｍは２以上の整数とする。
【０３８８】
そして、図３５に示すように、ユニキャスト送信区間２５０３−１、２５０３−２以外の区間において、「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３が存在している。
【０３８９】
これまでの説明のように、このとき、以下のような特長をもつ。
【０３９０】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０３９１】
・端末は、「ストリーム１−１のデータシンボル」を得ることで、「ストリーム１のデータ」を得る。また、端末は、「ストリーム１−２のデータシンボル」を得ることで、「ストリーム１のデータ」を得る。
【０３９２】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。
【０３９３】
したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３９４】
・「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３は「ストリーム２」を伝送するためのデータシンボルである。
【０３９５】
・端末は、「ストリーム２−１のデータシンボル」を得ることで、「ストリーム２」のデータを得る。以上より、端末は、基地局が送信した複数のマルチキャストストリーム（ストリーム１とストリーム２）を受信できる。このとき、送受信で指向性制御を行っているため、マルチキャスト用のストリームが受信可能なエリアを広範にすることができるという効果を得る。また、ストリームの追加、送信ビームの追加は必要なときに限って行うため、データを伝送するための周波数、時間、空間の資源を有効に活用することができるという効果を得る。
【０３９６】
なお、以降で説明するような制御を行なってもよい。制御の詳細は以下のとおりである。
【０３９７】
図３２は、図３５と異なる「基地局が（ストリーム１の）データシンボルを送信する際の、基地局が送信するシンボルの例」であり、横軸を時間とする。なお、図３２において、図２５と図３１と同様に動作するものについては、同一番号を付している。
【０３９８】
図３２において、図３５と異なる点は、ユニキャスト送信区間２５０３−１、２５０３−２を時間的に長く設定しているため、基地局は、これ以上のマルチキャスト用のシンボル、例えば、新しいストリームのシンボルを追加して、送信しない点である。
【０３９９】
図３６は、図２９のように基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示す。なお、基地局が送信する変調信号のフレームを、図３２に示す。
【０４００】
［３６−１］端末２２０２−３は、基地局に対して、「ストリーム２のマルチキャスト送信の要求」を行う。なお、「ストリーム２のマルチキャスト送信の要求」は、図３２におけるユニキャスト送信区間に送信される。
【０４０１】
［３６−２］基地局は、［３６−１］を受け、「マルチキャスト用のストリーム２の送信を行っていないこと」を端末２２０２−３に通知する。なお、「マルチキャスト用のストリーム２の送信を行っていないこと」は、図３２におけるユニキャスト送信区間に送信される。また、基地局は、マルチキャスト用ストリーム２の送信ビームを送信することができるかの判定を行う。基地局は、図３２に示すフレームを考慮し、マルチキャスト用ストリーム２の送信ビームを送信しないと判定する。よって、基地局は、「マルチキャスト用ストリーム２の送信ビームを送信しないこと」を端末２２０２−３に通知する。なお、「マルチキャスト用ストリーム２の送信ビームを送信しないことの通知」は、図３２におけるユニキャスト送信区間に送信される。
【０４０２】
［３６−３］端末２２０２−３は、「マルチキャスト用ストリーム２の送信ビームを送信しないことの通知」を受信する。
【０４０３】
なお、図３６の「基地局と端末の通信の手順」は一例であり、各情報の送信の順番は、図３６に限ったものではなく、各送信の手順が入れ替わっても同様に実施することができる。このように、マルチキャスト送信のための通信資源が不足している場合、ストリームの追加、マルチキャスト送信ビームの追加を行わなくてもよい。
【０４０４】
なお、図３５などで示したユニキャスト送信区間２５０３−１、２５０３−２の設定方法について補足説明をする。
【０４０５】
例えば、図３５において、マルチキャスト用の送信ビームの数の最大値をあらかじめ決めておく、または、設定する。
【０４０６】
そして、各端末の要求を受け、基地局は、マルチキャスト用の送信ビームの数の最大値以下となる、マルチキャスト用の送信ビームを送信する。例えば、図３５の場合、マルチキャスト用の送信ビーム数は３である。そして、基地局は、マルチキャスト用の複数の送信ビームを送信するが、これらを送信した後の時間的な空き時間をユニキャスト送信区間と定める。
【０４０７】
以上のように、ユニキャスト送信区間を定めてもよい。
【０４０８】
（補足１）
補足１では、基地局が、複数の端末とユニキャスト通信、つまり、個別通信を行っている場合について説明する。
【０４０９】
このとき、例えば、図９のストリーム１の＃１シンボル群９０１−１、ストリーム１の＃２シンボル群９０１−２、および、ストリーム１の＃３シンボル群９０１−３が、ブロードキャストチャネル、つまり、基地局が複数の端末とデータ通信を行うために、基地局が複数の端末に対してブロードキャスト送信を行う制御情報であってもよい。なお、制御情報とは、例えば、基地局と端末がデータ通信を実現するために必要となる制御情報である。
【０４１０】
また、例えば、図９のストリーム１の＃１シンボル群９０１−１、ストリーム１の＃２シンボル群９０１−２、および、ストリーム１の＃３シンボル群９０１−３が、コモンサーチスペース（common search space）であってもよい。なお、コモンサーチスペースとは、セル制御を行うための制御情報である。そして、コモンサーチスペースは、複数の端末に対し、ブロードキャストされる制御情報である。
【０４１１】
同様に、例えば、図９のストリーム２の＃１シンボル群９０２−１、ストリーム２の＃２シンボル群９０２−２、および、ストリーム２の＃３シンボル群９０２−３が、ブロードキャストチャネル、つまり、基地局が複数の端末とデータ通信を行うために、基地局が複数の端末に対してブロードキャスト送信を行う制御情報であってもよい。
【０４１２】
また、例えば、図９のストリーム２の＃１シンボル群９０２−１、ストリーム２の＃２シンボル群９０２−２、および、ストリーム２の＃３シンボル群９０２−３が、コモンサーチスペースであってもよい。
【０４１３】
なお、図９のストリーム１の＃１シンボル群９０１−１、ストリーム１の＃２シンボル群９０１−２、および、ストリーム１の＃３シンボル群９０１−３、ストリーム２の＃１シンボル群９０２−１、ストリーム２の＃２シンボル群９０２−２、および、ストリーム２の＃３シンボル群９０２−３の特徴については、これまでに説明した実施の形態に記載したとおりである。
【０４１４】
例えば、図１４の変調信号１の＃１シンボル群１４０１−１、変調信号１の＃２シンボル群１４０１−２、および、変調信号１の＃３シンボル群１４０１−３が、ブロードキャストチャネル、つまり、基地局が複数の端末とデータ通信を行うために、基地局が複数の端末に対してブロードキャスト送信を行う制御情報であってもよい。
【０４１５】
また、例えば、図１４の変調信号１の＃１シンボル群１４０１−１、変調信号１の＃２シンボル群１４０１−２、および、変調信号１の＃３シンボル群１４０１−３が、コモンサーチスペースであってもよい。
【０４１６】
例えば、図１４の変調信号２の＃１シンボル群１４０２−１、変調信号２の＃２シンボル群１４０２−２、および、変調信号２の＃３シンボル群１４０２−３が、ブロードキャストチャネル、つまり、基地局が複数の端末とデータ通信を行うために、基地局が複数の端末に対してブロードキャスト送信を行う制御情報であってもよい。
【０４１７】
また、例えば、図１４の変調信号２の＃１シンボル群１４０２−１、変調信号２の＃２シンボル群１４０２−２、および、変調信号２の＃３シンボル群１４０２−３が、コモンサーチスペースであってもよい。
【０４１８】
なお、図１４の変調信号１の＃１シンボル群１４０１−１、変調信号１の＃２シンボル群１４０１−２、および、変調信号１の＃３シンボル群１４０１−３は、これまでに説明した実施の形態に記載したとおりであり、図１４の変調信号２の＃１シンボル群１４０２−１、変調信号２の＃２シンボル群１４０２−２、および、変調信号２の＃３シンボル群１４０２−３は、これまでに説明した実施の形態に記載したとおりである。
【０４１９】
例えば、図２５のストリーム１−１データシンボル（１）２５０１−１−１、ストリーム１−１データシンボル（２）２５０１−１−２、および、ストリーム１−１データシンボル（３）２５０１−１−３は、ブロードキャストチャネル、つまり、基地局が複数の端末とデータ通信を行うために、基地局が複数の端末に対してブロードキャスト送信を行う制御情報であってもよい。
【０４２０】
また、図２５のストリーム１−１データシンボル（１）２５０１−１−１、ストリーム１−１データシンボル（２）２５０１−１−２、および、ストリーム１−１データシンボル（３）２５０１−１−３は、コモンサーチスペースであってもよい。
【０４２１】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４２２】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、ブロードキャストチャネル、つまり、基地局が複数の端末とデータ通信を行うために、基地局が複数の端末に対してブロードキャスト送信を行う制御情報であってもよい。
【０４２３】
また、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、コモンサーチスペースであってもよい。
【０４２４】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、これまでに説明した実施の形態に記載したとおりである。
【０４２５】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、ブロードキャストチャネル、つまり、基地局が複数の端末とデータ通信を行うために、基地局が複数の端末に対してブロードキャスト送信を行う制御情報であってもよい。
【０４２６】
また、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、コモンサーチスペースであってもよい。
【０４２７】
例えば、図３５のストリーム２−１データシンボル（１）３５０１−１、ストリーム２−１データシンボル（２）３５０１−２、および、ストリーム２−１データシンボル（３）３５０１−３は、ブロードキャストチャネル、つまり、基地局が複数の端末とデータ通信を行うために、基地局が複数の端末に対してブロードキャスト送信を行う制御情報であってもよい。
【０４２８】
また、図３５のストリーム２−１データシンボル（１）３５０１−１、ストリーム２−１データシンボル（２）３５０１−２、および、ストリーム２−１データシンボル（３）３５０１−３は、コモンサーチスペースであってもよい。
【０４２９】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、これまでに説明した実施の形態に記載したとおりであり、図３５のストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４３０】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４３１】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４３２】
（補足２）
補足２では、基地局が複数の端末とユニキャスト通信、つまり、個別通信を行っている場合について説明する。
【０４３３】
このとき、例えば、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、基地局宛てのデータ又は通信を行っている複数端末のいずれかの端末宛のデータであってもよい。このとき、データの中には、制御情報が含まれていてもよい。
【０４３４】
なお、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、これまでに説明した実施の形態に記載したとおりである。
【０４３５】
例えば、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、基地局宛てのデータ又は通信を行っている複数端末のいずれかの端末宛のデータであってもよい。このとき、データの中には、制御情報が含まれていてもよい。
【０４３６】
なお、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、これまでに説明した実施の形態に記載したとおりである。
【０４３７】
例えば、図２５のストリーム１−１データシンボル（１）２５０１−１−１、ストリーム１−１データシンボル（２）２５０１−１−２、および、ストリーム１−１データシンボル（３）２５０１−１−３は、基地局宛てのデータ又は通信を行っている複数端末のいずれかの端末宛のデータであってもよい。このとき、データの中には、制御情報が含まれていてもよい。
【０４３８】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４３９】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、基地局宛てのデータ又は通信を行っている複数端末のいずれかの端末宛のデータであってもよい。このとき、データの中には、制御情報が含まれていてもよい。
【０４４０】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、これまでに説明した実施の形態に記載したとおりである。
【０４４１】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）は、基地局宛てのデータ又は通信を行っている複数端末のいずれかの端末宛のデータであってもよい。このとき、データの中には、制御情報が含まれていてもよい。
【０４４２】
例えば、図３５のストリーム２−１データシンボル（１）３５０１−１、ストリーム２−１データシンボル（２）３５０１−２、および、ストリーム２−１データシンボル（３）３５０１−３は、基地局宛てのデータ又は通信を行っている複数端末のいずれかの端末宛のデータであってもよい。このとき、データの中には、制御情報が含まれていてもよい。
【０４４３】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）、ストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４４４】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４４５】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４４６】
（補足３）
基地局が、図９のフレーム構成のように、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、及び、ストリーム２の＃３シンボル群９０２−３を送信している時間帯に、「ストリーム１の＃１シンボル群９０１−１の送信ビーム、ストリーム１の＃２シンボル群９０１−２の送信ビーム、ストリーム１の＃３シンボル群９０１−３の送信ビーム、ストリーム２の＃１シンボル群９０２−１の送信ビーム、ストリーム２の＃２シンボル群９０２−２の送信ビーム、ストリーム２の＃３シンボル群９０２−３の送信ビーム」とは別の送信ビームを用いて、別のシンボル群を、基地局は送信してもよい。
【０４４７】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４４８】
また、基地局が、図１４のフレーム構成のように、変調信号１の＃１シンボル群１４０１−１、変調信号１の＃２シンボル群１４０１−２、変調信号１の＃３シンボル群１４０１−３、変調信号２の＃１シンボル群１４０２−１、変調信号２の＃２シンボル群１４０２−２、変調信号２の＃３シンボル群１４０２−３を送信している時間帯に「変調信号１の＃１シンボル群１４０１−１の送信ビーム、変調信号１の＃２シンボル群１４０１−２の送信ビーム、変調信号１の＃３シンボル群１４０１−３の送信ビーム、変調信号２の＃１シンボル群１４０２−１の送信ビーム、変調信号２の＃２シンボル群１４０２−２の送信ビーム、変調信号２の＃３シンボル群１４０２−３の送信ビーム」とは別の送信ビームを用いて、別のシンボル群を、基地局は送信してもよい。
【０４４９】
このとき、「別のシンボル群」は、ある端末宛のデータシンボルを含むシンボル群であってもよいし、本開示の他の部分で説明したような、制御情報シンボル群を含むシンボル群であってもよいし、他のマルチキャスト用のデータシンボルを含むシンボル群であってもよい。
【０４５０】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４５１】
（補足４）
基地局が、図２５のフレーム構成のように、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４５２】
なお、図２５において、横軸が周波数であった場合でも同様であり、基地局が、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４５３】
また、基地局が、図３１、図３２のフレーム構成のように、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４５４】
なお、図３１、図３２において、横軸が周波数であった場合でも同様であり、基地局が、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４５５】
そして、基地局が、図３１、図３２のフレーム構成のように、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４５６】
なお、図３１、図３２において、横軸が周波数であった場合でも同様であり、基地局が、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４５７】
基地局が、図３５のフレーム構成のように、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４５８】
なお、図３５において、横軸が周波数であった場合でも同様であり、基地局が、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４５９】
また、基地局が、図３５のフレーム構成のように、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４６０】
なお、図３５において、横軸が周波数であった場合でも同様であり、基地局が、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４６１】
そして、基地局が、図３５のフレーム構成のように、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４６２】
なお、図３５において、横軸が周波数であった場合でも同様であり、基地局が、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４６３】
上記において、「別のシンボル群」とは、ある端末宛のデータシンボルを含むシンボル群であってもよいし、本明細書の他の部分で説明したような、制御情報シンボルを含むシンボル群であってもよいし、他のマルチキャスト用のデータシンボルを含むシンボル群であってもよい。
【０４６４】
このとき、図１の基地局が、信号処理部１０２の信号処理によって、上記の「別のシンボル群」のための送信ビームを生成してもよいし、図１の基地局が、アンテナ部１０６−１からアンテナ部１０６−Ｍまでのアンテナを選択することで、上記の「別のシンボル群」のための送信ビームを生成してもよい。
【０４６５】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４６６】
そして、図２５、図３１、図３２、図３５に記載されているようなユニキャスト送信区間２５０３−１、２５０３−２を設定しなくてもよい。
【０４６７】
（補足５）
図３１、図３２に関する説明で以下のような記載を行っている。
【０４６８】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０４６９】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４７０】
また、図３５に関する説明で以下のような記載を行っている。
【０４７１】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０４７２】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４７３】
以下では、上述について補足説明を行う。例えば、図３５において、以下の、＜方法１−１＞、または、＜方法１−２＞、または、＜方法２−１＞、または、＜方法２−２＞により、上述を実現することができる。
【０４７４】
＜方法１−１＞
・ストリーム１−１データシンボル（Ｍ）２５０１−１−Ｍとストリーム１−２データシンボル（Ｎ）３１０１−Ｎが同じデータを含んでいる。
【０４７５】
そして、ストリーム１−１データシンボル（Ｍ＋１）２５０１−１−（Ｍ＋１）とストリーム１−２データシンボル（Ｎ＋１）３１０１−（Ｎ＋１）が同じデータを含んでいる。
【０４７６】
ストリーム１−１データシンボル（Ｍ＋２）２５０１−１−（Ｍ＋２）とストリーム１−２データシンボル（Ｎ＋２）３１０１−（Ｎ＋２）が同じデータを含んでいる。
【０４７７】
＜方法１−２＞
・ストリーム１−１データシンボル（Ｋ）２５０１−１−Ｋが含むデータと同じデータが含まれているストリーム１−２データシンボル（Ｌ）３１０１−Ｌが存在する。なお、Ｋ、Ｌは整数である。
【０４７８】
＜方法２−１＞
・ストリーム１−１データシンボル（Ｍ）２５０１−１−Ｍとストリーム１−２データシンボル（Ｎ）３１０１−Ｎが一部同じデータを含んでいる。
【０４７９】
そして、ストリーム１−１データシンボル（Ｍ＋１）２５０１−１−（Ｍ＋１）とストリーム１−２データシンボル（Ｎ＋１）３１０１−（Ｎ＋１）が一部同じデータを含んでいる。
【０４８０】
ストリーム１−１データシンボル（Ｍ＋２）２５０１−１−（Ｍ＋２）とストリーム１−２データシンボル（Ｎ＋２）３１０１−（Ｎ＋２）が一部同じデータを含んでいる。
【０４８１】
＜方法２−２＞
・ストリーム１−１データシンボル（Ｋ）２５０１−１−Ｋが含むデータの一部を含んでいるストリーム１−２データシンボル（Ｌ）３１０１−Ｌが存在する。なお、Ｋ、Ｌは整数である。
【０４８２】
すなわち、第１の基地局または第１の送信システムは、第１のストリームのデータを含む第１のパケット群と、第１のストリームのデータを含む第２のパケット群とを生成し、第１のパケット群に含まれるパケットを第１の送信ビームを用いて第１の期間に送信し、第２のパケット群に含まれるパケットを第１の送信ビームとは異なる第２の送信ビームを用いて第２の期間に送信し、第１の期間と第２の期間は互いに重複していない。
【０４８３】
ここで、第２のパケット群は、第１のパケット群に含まれる第１のパケットが含むデータと同一のデータを含む第２のパケットを含んでいてもよい。また、上記とは別の構成として、第２のパケット群は、第１のパケット群に含まれる第１のパケットが含むデータの一部と同一のデータを含む第３のパケットを含んでいてもよい。
【０４８４】
また、第１の送信ビームと第２の送信ビームは、同一のアンテナ部を用いて送信される互いに異なる指向性を有する送信ビームであってもよいし、互いに異なるアンテナ部を用いて送信される送信ビームであってもよい。
【０４８５】
また、第２の基地局または第２の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間は第１の期間および第２の期間と重複していない。
【０４８６】
ここで、第２の基地局または第２の送信システムは、第１の期間、第２の期間及び第３の期間を所定の順序で繰り返し設定してもよい。
【０４８７】
また、第３の基地局または第３の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間の少なくとも一部は第１の期間と重複している。
【０４８８】
ここで、第３の基地局または第３の送信システムは、第１の期間、第２の期間及び第３の期間を繰り返し設定してもよく、繰り返し設定される第３の期間のいずれの第３の期間もその少なくとも一部が第１の期間と重複していてもよいし、繰り返し設定される第３の期間のうち少なくともいずれか一つの第３の期間も第１の期間と重複していなくてもよい。
【０４８９】
また、第４の基地局または第４の送信システムは、第１の基地局または第１の送信システムの構成に加えて、第２のストリームのデータを含む第４のパケットをさらに生成し、第４のパケットを第１の送信ビームとは異なる第４の送信ビームを用いて第４の期間に送信し、第４の期間の少なくとも一部は第１の期間と重複している。
【０４９０】
なお、上記の説明では、第１の期間と第２の期間は互いに重複していないと説明したが、第１の期間と第２の期間は一部が互いに重複していてもよいし、第１の期間の全部が第２の期間と重複していてもよいし、第１の期間の全部が第２の期間の全部と互いに重複していてもよい。
【０４９１】
また、第５の基地局または第５の送信システムは、第１のストリームのデータを含むパケット群を一つまたは複数生成し、パケット群毎に互いに異なる送信ビームを用いて送信し、端末から送信される信号に基づいて生成するパケット群の数を増加、または減少させるとしてもよい。
【０４９２】
なお、上述において、「ストリーム」と記載しているが、本明細書の他の箇所で記載しているように、図３１、図３２の「ストリーム１−１データシンボル（Ｍ）２５０１−１−Ｍ、および、ストリーム１−１データシンボル（Ｍ＋１）２５０１−１−（Ｍ＋１）、および、ストリーム１−１データシンボル（Ｍ＋２）２５０１−１−（Ｍ＋２）、および、ストリーム１−２データシンボル（１）３１０１−１、および、ストリーム１−２データシンボル（２）３１０１−２、ストリーム１−２データシンボル（３）３１０１−３」、および、図３５の「ストリーム１−１データシンボル（Ｍ）２５０１−１−Ｍ、および、ストリーム１−１データシンボル（Ｍ＋１）２５０１−１−（Ｍ＋１）、ストリーム１−１データシンボル（Ｍ＋２）２５０１−１−（Ｍ＋２）、および、ストリーム１−２データシンボル（Ｎ）３１０１−Ｎ、および、ストリーム１−２データシンボル（Ｎ＋１）３１０１−（Ｎ＋１）、および、ストリーム１−２データシンボル（Ｎ＋２）３１０１−（Ｎ＋２）」は、ある端末宛のデータシンボルを含むシンボルであってもよいし、制御情報シンボルを含むシンボルであってもよいし、マルチキャスト用のデータシンボルを含むシンボルであってもよい。
【０４９３】
（実施の形態４）
本実施の形態では、実施の形態１から実施の形態３で説明した通信システムの具体的な例について説明する。
【０４９４】
本実施の形態における通信システムは、（複数の）基地局と複数の端末で構成されているものとする。例えば、図７、図１２、図１７、図１９、図２０、図２６、図２９などにおける基地局７００と端末７０４−１、７０４−２などにより構成された通信システムを考える。
【０４９５】
図３７は、基地局（７００）の構成の一例を示している。
【０４９６】
論理チャネル生成部３７０３は、データ３７０１および制御データ３７０２を入力とし、論理チャネル信号３７０４を出力する。論理チャネル信号３７０４は、例えば、制御用の論理チャネルである「ＢＣＣＨ（Broadcast Control Channel）、ＰＣＣＨ（Paging Control Channel）、ＣＣＣＨ（Common Control Channel）、ＭＣＣＨ（Multicast Control Channel）、ＤＣＣＨ（Dedicated Control Channel）」、データ用の論理チャネルである「ＤＴＣＨ（Dedicated Traffic Channel）、ＭＴＣＨ（Multicast Traffic Channel）」などで構成されているものとする。
【０４９７】
なお、「ＢＣＣＨは、下りリンク、システム制御情報の報知用チャネル」であり、「ＰＣＣＨは、下りリンク、ページング情報用チャネル」であり、「ＣＣＣＨは、下りリンク、ＲＲＣ（Radio Resource Control）接続が存在しないときに使用する共通制御チャネル」であり、「ＭＣＣＨは、下りリンク、１対多のＭＢＭＳ（Multimedia Broadcast Multicast Service）のためのマルチキャスト・チャネルスケジューリング、制御用チャネル」であり、「ＤＣＣＨは、下りリンク、ＲＲＣ接続をもつ端末に使用される専用制御チャネル」であり、「ＤＴＣＨは、下りリンク、１台の端末ＵＥ（User Equipment）への専用トラフィック・チャネル、ユーザ・データ専用チャネル」であり、「ＭＴＣＨは、下りリンク、１対多のＭＢＭＳユーザ・データ用チャネル」である。
【０４９８】
トランスポートチャネル生成部３７０５は、論理チャネル信号３７０４を入力とし、トランスポートチャネル信号３７０６を生成し、出力する。トランスポートチャネル信号３７０６は、例えば、ＢＣＨ（Broadcast Channel）、ＤＬ−ＳＣＨ（Downlink Shared Channel）、ＰＣＨ（Paging Channel）、ＭＣＨ（Multicast Channel）などで構成されているものとする。
【０４９９】
なお、「ＢＣＨは、セル全域にわたって報知されるシステム情報用チャネル」であり、「ＤＬ−ＳＣＨは、ユーザ・データ、制御情報とシステム情報を用いるチャネル」であり、「ＰＣＨは、セル全域にわたって放置されるページング情報用チャネル」であり、「ＭＣＨは、セル全域にわたって報知されるＭＢＭＳトラフィックならびに制御用チャネル」である。
【０５００】
物理チャネル生成部３７０７は、トランスポートチャネル信号３７０６を入力とし、物理チャネル信号３７０８を生成し、出力する。物理チャネル信号３７０８は、例えば、ＰＢＣＨ（Physical; Broadcast Channel）、ＰＭＣＨ（Physical Multicast Channel）、ＰＤＳＣＨ（Physical Downlink Shared Channel）、ＰＤＣＣＨ（Physical Downlink Control Channel）などで構成されているものとする。
【０５０１】
なお、「ＰＢＣＨは、ＢＣＨトランスポート・チャネルの伝送用」であり、「ＰＭＣＨは、ＭＣＨトランスポート・チャネル伝送用」であり、「ＰＤＳＣＨは、ＤＬ−ＳＣＨならびにトランスポート・チャネルの伝送用」であり、「ＰＤＣＣＨは下りリンクＬ１（Layer 1）／Ｌ２（Layer 2）制御信号の伝送用」である。
【０５０２】
変調信号生成部３７０９は、物理チャネル信号３７０８を入力とし、物理チャネル信号３７０８に基づいた変調信号３７１０を生成し、出力する。そして、基地局７００は、変調信号３７１０を、電波として送信することになる。
【０５０３】
まず、基地局が、複数の端末とユニキャスト通信、つまり、個別通信を行っている場合を考える。
【０５０４】
このとき、例えば、図９の９０１−１のストリーム１のシンボル群＃１、および、９０１−２のストリーム１のシンボル群＃２、および、９０１−３のストリーム１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０５】
ここで、ブロードキャストチャネルについて説明する。ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５０６】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５０７】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５０８】
同様に、例えば、図９の９０２−１のストリーム２のシンボル群＃１、および、９０２−２のストリーム２のシンボル群＃２、および、９０２−３のストリーム２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０９】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１０】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１１】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１２】
このとき、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりであり、また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。
【０５１３】
なお、図９のストリーム２のシンボル群＃１（９０２−１）、ストリーム２のシンボル群＃２（９０２−２）、ストリーム２のシンボル群＃３（９０２−３）など、ストリーム２を送信しない場合があってもよい。特に、ブロードキャストチャネルの信号を送信する場合、ストリーム２のシンボル群を、基地局が送信しないとしてもよい（このとき、例えば、図７では、７０３−１、７０３−２、７０３−３を基地局７０１が送信していないことになる。）。
【０５１４】
例えば、図１４の１４０１−１の変調信号１のシンボル群＃１、および、１４０１−２の変調信号１のシンボル群＃２、および、１４０１−３の変調信号１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１５】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１６】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１７】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１８】
例えば、図１４の１４０２−１の変調信号２のシンボル群＃１、および、１４０２−２の変調信号２のシンボル群＃２、および、１４０２−３の変調信号２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１９】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２０】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２１】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２２】
なお、図１４の１４０１−１の変調信号１のシンボル群＃１、および、１４０１−２の変調信号１のシンボル群＃２、および、１４０１−３の変調信号１のシンボル群＃３の特徴については、これまでに説明した実施の形態に記載したとおりであり、図１４の１４０２−１の変調信号２のシンボル群＃１、および、１４０２−２の変調信号２のシンボル群＃２、および、１４０２−３の変調信号２のシンボル群＃３の特徴については、これまでに説明した実施の形態に記載したとおりである。
【０５２３】
例えば、図２５の２５０１−１−１のストリーム１−１データシンボル（１）、および、２５０１−１−２のストリーム１−１データシンボル（２）、および、２５０１−１−３のストリーム１−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２４】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２５】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２６】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２７】
なお、図２５の２５０１−１−１のストリーム１−１データシンボル（１）、および、２５０１−１−２のストリーム１−１データシンボル（２）、および、２５０１−１−３のストリーム１−１データシンボル（３）の特徴については、これまでに説明した実施の形態に記載したとおりである。
【０５２８】
例えば、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２９】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３０】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５３１】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３２】
なお、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）の特徴については、これまでに説明した実施の形態に記載したとおりである。
【０５３３】
例えば、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５３４】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３５】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５３６】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３７】
例えば、図３５の３５０１−１のストリーム２−１データシンボル（１）、および、３５０１−２のストリーム２−１データシンボル（２）、および、３５０１−３のストリーム２−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５３８】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３９】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５４０】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５４１】
なお、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）の特徴については、これまでに説明した実施の形態に記載したとおりであり、図３５の３５０１−１のストリーム２−１データシンボル（１）、および、３５０１−２のストリーム２−１データシンボル（２）、および、３５０１−３のストリーム２−１データシンボル（３）の特徴については、これまでに説明した実施の形態に記載したとおりである。
【０５４２】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０５４３】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信することになる。
【０５４４】
なお、図９のストリーム１のシンボル群において、端末個別に送信するデータ（ユニキャスト用のデータ）（または、シンボル）が含まれることがあってもよい。同様に、図９のストリーム２のシンボル群において、端末個別に送信するデータ（ユニキャスト用のデータ）（または、シンボル）が含まれることがあってもよい。
【０５４５】
図１４のストリーム１のシンボル群において、端末個別に送信するデータ（ユニキャスト用のデータ）（または、シンボル）が含まれることがあってもよい。同様に、図１４のストリーム２のシンボル群において、端末個別に送信するデータ（ユニキャスト用のデータ）（または、シンボル）が含まれることがあってもよい。
【０５４６】
また、図２５のストリーム１−１のシンボルに、端末個別に送信するデータ（ユニキャスト用のデータ）（または、シンボル）が含まれることがあってもよい。図３１、図３２のストリーム１−１のシンボル、ストリーム１−２のシンボルに、端末個別に送信するデータ（ユニキャスト用のデータ）（または、シンボル）が含まれることがあってもよい。
【０５４７】
そして、ＰＢＣＨは、例えば、「ＵＥがセルサーチ後の最初に読むべき最低限の情報（システム帯域幅、システムフレーム番号、送信アンテナ数など）を送信するために使用される」という構成としてもよい。
【０５４８】
ＰＭＣＨは、例えば、「ＭＢＳＦＮ（Multicast-broadcast single-frequency network）の運用に使用される」という構成としてもよい。
【０５４９】
ＰＤＳＣＨは、例えば、「下りリンクのユーザデータを送信するための共有データチャネルであり、C（control）-plane/U（User）-planeに関係なくすべてのデータを集約して送信される」という構成としてもよい。
【０５５０】
ＰＤＣＣＨは、例えば、「eNodeB（gNodeB）（基地局）がスケジューリングにより選択したユーザに対して、無線リソースの割り当て情報を通知するために使用される」という構成としてもよい。
【０５５１】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５５２】
（実施の形態５）
本実施の形態では、基地局（７００）が送信する図９のストリーム１のシンボル群とストリーム２のシンボル群の構成について補足説明を行う。
【０５５３】
図３８は、基地局（７００）が送信するストリーム１のフレーム構成の一例を示しており、図３８におけるフレーム構成において、横軸は時間であり、縦軸は周波数であり、時刻１から時刻１０、キャリア１からキャリア４０までのフレーム構成を示している。したがって、図３８は、ＯＦＤＭ（Orthogonal Frequency Division Multiplexing）方法のようなマルチキャリア伝送方式のフレーム構成となる。
【０５５４】
図３８におけるストリーム１のシンボル領域３８０１＿１は、時刻１から時刻１０、キャリア１からキャリア９に存在しているものとする。
【０５５５】
ストリーム１のシンボル群＃ｉ（３８００＿ｉ）は、時刻１から時刻１０、キャリア１０からキャリア２０に存在しているものとする。なお、ストリーム１のシンボル群＃ｉ（３８００＿ｉ）は図９のストリーム１のシンボル群＃ｉ（９０１−ｉ）に相当するものとする。
【０５５６】
ストリーム１のシンボル領域３８０１＿２は、時刻１から時刻１０、キャリア２１からキャリア４０に存在しているものとする。
【０５５７】
このとき、例えば、実施の形態４などで説明したように、基地局が、１つ以上の端末に対し、個別のデータを伝送する（ユニキャストする）場合に、図３８のストリーム１のシンボル領域３８０１＿１、３８０１＿２を使用することができる。
【０５５８】
そして、図３８のストリーム１のシンボル群＃ｉ（３８００＿ｉ）は、実施の形態１、実施の形態４などで説明したように、基地局が、マルチキャスト用のデータを伝送するために使用することになる。
【０５５９】
図３９は、基地局（７００）が送信するストリーム２のフレーム構成の一例を示しており、図３９におけるフレーム構成において、横軸は時間であり、縦軸は周波数であり、時刻１から時刻１０、キャリア１からキャリア４０までのフレーム構成を示している。したがって、図３９はＯＦＤＭ方式のようなマルチキャリア伝送方式のフレームとなる。
【０５６０】
図３９におけるストリーム２のシンボル領域３９０１＿１は、時刻１から時刻１０、キャリア１からキャリア９に存在しているものとする。
【０５６１】
ストリーム２のシンボル群＃ｉ（３９００＿ｉ）は、時刻１から時刻１０、キャリア１０からキャリア２０に存在しているものとする。なお、ストリーム２のシンボル群＃ｉ（３９００＿ｉ）は図９のストリーム２のシンボル群＃ｉ（９０２−ｉ）に相当するものとする。
【０５６２】
ストリーム２のシンボル領域３９０１＿２は、時刻１から時刻１０、キャリア２１からキャリア４０に存在しているものとする。
【０５６３】
このとき、例えば、実施の形態４などで説明したように、基地局が、１つ以上の端末に対し、個別のデータ伝送する（ユニキャストする）場合に、図３９のストリーム２のシンボル領域３９０１＿１、３９０１＿２を使用することができる。
【０５６４】
そして、図３９のストリーム２のシンボル群＃ｉ（３９００＿ｉ）は、実施の形態１、実施の形態４などで説明したように、基地局が、マルチキャスト用のデータを伝送するために使用することになる。
【０５６５】
なお、基地局は、図３８における時刻Ｘ（図３８の場合、Ｘは１以上１０以下の整数）、キャリアＹ（図３８の場合Ｙは１以上４０以下の整数）のシンボルと図３９の時刻Ｘ、キャリアＹのシンボルを同一周波数、同一時刻を用いて送信することになる。
【０５６６】
そして、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりである。つまり、図３８のストリーム１のシンボル群＃ｉの特徴については、図９のストリーム１のシンボル群と同様であり、これまでに説明した実施の形態に記載したとおりである。
【０５６７】
また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。つまり、図３９のストリーム２のシンボル群＃ｉの特徴については、図９のストリーム２のシンボル群と同様であり、これまでに説明した実施の形態に記載したとおりである。
【０５６８】
なお、図３８、図３９のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５６９】
また、基地局が、図３８、図３９のフレーム構成で、図９のようなフレームを送信した場合、実施の形態１、実施の形態４で説明した実施を同様に行ってもよい。
【０５７０】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５７１】
（実施の形態６）
本実施の形態では、基地局（７００）が送信する図１４の変調信号１のシンボル群と変調信号２のシンボル群の構成について補足説明を行う。
【０５７２】
図４０は、基地局（７００）が送信する変調信号１のフレーム構成の一例を示しており、図４０におけるフレーム構成において、横軸は時間であり、縦軸は周波数であり、時刻１から時刻１０、キャリア１からキャリア４０までのフレーム構成を示している。したがって、図４０は、ＯＦＤＭ（Orthogonal Frequency Division Multiplexing）方法のようなマルチキャリア伝送方式のフレーム構成となる。
【０５７３】
図４０における変調信号１のシンボル領域４００１＿１は、時刻１から時刻１０、キャリア１からキャリア９に存在しているものとする。
【０５７４】
変調信号１のシンボル群＃ｉ（４０００＿ｉ）は、時刻１から時刻１０、キャリア１０からキャリア２０に存在しているものとする。なお、変調信号１のシンボル群＃ｉ（４０００＿ｉ）は図１４の変調信号１のシンボル群＃ｉ（１４０１−ｉ）に相当するものとする。
【０５７５】
変調信号１のシンボル領域４００１＿２は、時刻１から時刻１０、キャリア２１からキャリア４０に存在しているものとする。
【０５７６】
このとき、例えば、実施の形態４などで説明したように、基地局が、１つ以上の端末に対し、個別のデータを伝送する（ユニキャストする）場合に、図４０のストリーム１のシンボル領域４００１＿１、４００１＿２を使用することができる。
【０５７７】
そして、図４０の変調信号１のシンボル群＃ｉ（４０００＿ｉ）は、実施の形態１、実施の形態４などで説明したように、基地局が、マルチキャスト用のデータを伝送するために使用することになる。
【０５７８】
図４１は、基地局（７００）が送信する変調信号２のフレーム構成の一例を示しており、図４１におけるフレーム構成において、横軸は時間であり、縦軸は周波数であり、時刻１から時刻１０、キャリア１からキャリア４０までのフレーム構成を示している。したがって、図４１はＯＦＤＭ方式のようなマルチキャリア伝送方式のフレームとなる。
【０５７９】
図４１における変調信号２のシンボル領域４１０１＿１は、時刻１から時刻１０、キャリア１からキャリア９に存在しているものとする。
【０５８０】
変調信号２のシンボル群＃ｉ（４１００＿ｉ）は、時刻１から時刻１０、キャリア１０からキャリア２０に存在しているものとする。なお、変調信号２のシンボル群＃ｉ（４１００＿ｉ）は図１４の変調信号２のシンボル群＃ｉ（１４０２−ｉ）に相当するものとする。
【０５８１】
変調信号２のシンボル領域４１０１＿２は、時刻１から時刻１０、キャリア２１からキャリア４０に存在しているものとする。
【０５８２】
このとき、例えば、実施の形態４などで説明したように、基地局が、１つ以上の端末に対し、個別のデータ伝送する（ユニキャストする）場合に、図４１の変調信号２のシンボル領域４１０１＿１、４１０１＿２を使用することができる。
【０５８３】
そして、図４１の変調信号２のシンボル群＃ｉ（４１００＿ｉ）は、実施の形態１、実施の形態４などで説明したように、基地局が、マルチキャスト用のデータを伝送するために使用することになる。
【０５８４】
なお、基地局は、図４０における時刻Ｘ（図４０の場合、Ｘは１以上１０以下の整数）、キャリアＹ（図４０の場合Ｙは１以上４０以下の整数）のシンボルと、図４１の時刻Ｘ、キャリアＹのシンボルを同一周波数、同一時刻を用いて送信することになる。
【０５８５】
そして、図１４の１４０１＿１のストリーム１のシンボル群＃１、および、１４０１＿２の変調信号１のシンボル群＃２、および、１４０１＿３の変調信号１のシンボル群＃３の特徴については、これまでに説明した実施の形態に記載したとおりである。つまり、図４０の変調信号１のシンボル群＃ｉの特徴については、図１４の変調信号１のシンボル群と同様であり、これまでに説明した実施の形態に記載したとおりである。
【０５８６】
また、図１４の１４０２＿１の変調信号２のシンボル群＃１、および、１４０２＿２の変調信号２のシンボル群＃２、および、１４０２＿３の変調信号２のシンボル群＃３の特徴については、これまでに説明した実施の形態に記載したとおりである。つまり、図４１の変調信号２のシンボル群＃ｉの特徴については、図１４の変調信号２のシンボル群と同様であり、これまでに説明した実施の形態に記載したとおりである。
【０５８７】
なお、図４０、図４１のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５８８】
また、基地局が、図４０、図４１のフレーム構成で、図１４のようなフレームを送信した場合、実施の形態１、実施の形態４で説明した実施を同様に行ってもよい。
【０５８９】
上述の説明における図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２の使用方法の例について説明する。
【０５９０】
図４２は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての一例を示している。なお、図４２において、横軸は時間であり、縦軸は周波数（キャリア）である。
【０５９１】
図４２に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を周波数分割し、端末に対し割り当てを行う。そして、４２０１＿１は端末＃１用に割り当てられたシンボル群であり、４２０１＿２は端末＃２用に割り当てられたシンボル群であり、４２０１＿３は端末＃３用に割り当てられたシンボル群である。
【０５９２】
例えば、基地局（７００）は、端末＃１、端末＃２、端末＃３と通信を行っており、基地局が端末＃１に対してデータを伝送する場合、図４２の「端末＃１用に割り当てられたシンボル群４２０１＿１」を用いて、基地局は端末＃１にデータを伝送することになる。そして、基地局が端末＃２に対してデータを伝送する場合、図４２の「端末＃２用に割り当てられたシンボル群４２０１＿２」を用いて、基地局は端末＃２にデータを伝送することになる。基地局が端末＃３に対してデータを伝送する場合、図４２の「端末＃３用に割り当てられたシンボル群４２０１＿３」を用いて、基地局は端末＃３にデータを伝送することになる。
【０５９３】
なお、端末への割り当て方法は、図４２に限ったものではなく、周波数帯域（キャリア数）は時間により変化してもよいし、また、どのように設定してもよい。そして、時間とともに端末への割り当て方法を変更してもよい。
【０５９４】
図４３は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての図４２とは異なる例である。なお、図４３において、横軸は時間であり縦軸は周波数（キャリア）である。
【０５９５】
図４３に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を時間、周波数分割を行い、端末に対し割り当てを行う。そして、４３０１＿１は端末＃１用に割り当てられたシンボル群であり、４３０１＿２は端末＃２用に割り当てられたシンボル群であり、４３０１＿３は端末＃３用に割り当てられたシンボル群であり、４３０１＿４は端末＃４用に割り当てられたシンボル群であり、４３０１＿５は端末＃５用に割り当てられたシンボル群であり、４３０１＿６は端末＃６用に割り当てられたシンボル群である。
【０５９６】
例えば、基地局（７００）は、端末＃１、端末＃２、端末＃３、端末＃４、端末＃５、端末＃６と通信を行っており、基地局が端末＃１に対してデータを伝送する場合、図４３の「端末＃１用に割り当てられたシンボル群４３０１＿１」を用いて、基地局は端末＃１にデータを伝送することになる。そして、基地局が端末＃２に対してデータを伝送する場合、図４３の「端末＃２用に割り当てられたシンボル群４３０１＿２」を用いて、基地局は端末＃２にデータを伝送することになる。基地局が端末＃３に対してデータを伝送する場合、図４３の「端末＃３用に割り当てられたシンボル群４３０１＿３」を用いて、基地局は端末＃３にデータを伝送することになる。基地局が端末＃４に対してデータを伝送する場合、図４３の「端末＃４用に割り当てられたシンボル群４３０１＿４」を用いて、基地局は端末＃４にデータを伝送することになる。基地局が端末＃５に対してデータを伝送する場合、図４３の「端末＃５用に割り当てられたシンボル群４３０１＿５」を用いて、基地局は端末＃５にデータを伝送することになる。基地局が端末＃６に対してデータを伝送する場合、図４３の「端末＃６用に割り当てられたシンボル群４３０１＿６」を用いて、基地局は端末＃６にデータを伝送することになる。
【０５９７】
なお、端末への割り当て方法は、図４３に限ったものではなく、周波数帯域（キャリア数）、時間幅は変化してもよいし、また、どのように設定してもよい。そして、時間とともに端末への割り当て方法を変更してもよい。
【０５９８】
また、図３８、図３９、図４０、図４１におけるストリーム１のシンボル領域、ストリーム２のシンボル領域、変調信号１のシンボル領域、変調信号２のシンボル領域では、キャリアごとに異なる重み付け合成を行ってもよいし、複数のキャリアを単位として、重み付け合成方法を決定してもよい。また、図４３、図４４のように割り当てた端末ごとに重み付け合成のパラメータを設定してもよい。キャリアにおける重み付け合成の方法の設定は、これらの例に限ったものではない。
【０５９９】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０６００】
（実施の形態７）
本明細書において、図７、図１２、図１７、図１８、図１９、図２０、図２２における基地局７００、他の実施の形態で説明した基地局の構成として、図４４のような構成であってもよい。
【０６０１】
以下では、図４４の基地局の動作について説明を行う。図４４において、図１、図３と同様に動作するものについては、同一番号を付しており、説明を省略する。
【０６０２】
重み付け合成部３０１は、信号処理後の信号１０３＿１、１０３＿２、・・・、１０３＿Ｍ、および、制御信号１５９を入力とし、制御信号１５９に基づき、重み付け合成を行い、重み付け合成信号４４０１＿１、４４０１＿２、・・・、４４０１＿Ｋを出力する。なお、Ｍは２以上の整数とし、Ｋは２以上の整数とする。
【０６０３】
例えば、信号処理後の信号１０３＿ｉ（ｉは１以上Ｍ以下の整数）をｕｉ（ｔ）（ｔは時間）、重み付け合成後の信号４４０１＿ｇ（ｇは１以上Ｋ以下の整数）をｖｇ（ｔ）とあらわすと、ｖｇ（ｔ）は次式であらわすことができる。
【０６０４】
【数７】
2019151513.tif 000009
【０６０５】
無線部１０４＿ｇは、重み付け合成後の信号４４０１＿ｇ、制御信号１５９を入力とし、制御信号１５９に基づいて、所定の処理を行い、送信信号１０５＿ｇを生成し、出力する。そして、送信信号１０５＿ｇはアンテナ３０３＿１から送信される。
【０６０６】
なお、基地局が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６０７】
式（７）では、時間の関数で記載しているが、ＯＦＤＭ方式などのマルチキャリア方式の場合、時間に加え周波数の関数であってもよい。
【０６０８】
例えば、ＯＦＤＭ方式において、キャリアごとに異なる重み付け合成を行ってもよいし、複数のキャリアを単位として、重み付け合成方法を決定してもよい。キャリアにおける重み付け合成の方法の設定は、これらの例に限ったものではない。
【０６０９】
（補足６）
当然であるが、本明細書において説明した実施の形態、補足などのその他の内容を複数組み合わせて、実施してもよい。
【０６１０】
そして、基地局の構成として、例として、図１、図３に限ったものではなく、複数の送信アンテナを持ち、複数の送信ビーム（送信指向性ビーム）を生成し、送信する基地局であれば、本開示を実施することが可能である。
【０６１１】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０６１２】
変調方式については、本明細書で記載している変調方式以外の変調方式を使用しても、本明細書において説明した実施の形態、その他の内容を実施することが可能である。例えば、ＡＰＳＫ（例えば、16APSK, 64APSK, 128APSK, 256APSK, 1024APSK, 4096APSKなど）、ＰＡＭ（例えば、4PAM, 8PAM, 16PAM, 64PAM, 128PAM, 256PAM, 1024PAM, 4096PAMなど）、ＰＳＫ（例えば、BPSK, QPSK, 8PSK, 16PSK, 64PSK, 128PSK, 256PSK, 1024PSK, 4096PSKなど）、ＱＡＭ（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０６１３】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０６１４】
パイロットシンボルは、例えば、送受信機において、ＰＳＫ変調を用いて変調した既知のシンボルであればよく、受信機は、このシンボルを用いて、周波数同期、時間同期、各変調信号のチャネル推定（ＣＳＩ（Channel State Information）の推定）、信号の検出等を行う。または、パイロットシンボルは、受信機が同期することによって、受信機は、送信機が送信したシンボルを知ることができてもよい。
【０６１５】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０６１６】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０６１７】
なお、例えば、上記通信方法を実行するプログラムを予めＲＯＭに格納しておき、そのプログラムをＣＰＵによって動作させるようにしても良い。
【０６１８】
また、上記通信方法を実行するプログラムをコンピュータで読み取り可能な記憶媒体に格納し、記憶媒体に格納されたプログラムをコンピュータのＲＡＭに記録して、コンピュータをそのプログラムにしたがって動作させるようにしても良い。
【０６１９】
そして、上記の各実施の形態などの各構成は、典型的には、入力端子及び出力端子を有する集積回路であるＬＳＩとして実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡや、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０６２０】
本明細書において、種々のフレーム構成について説明した。本明細書で説明したフレーム構成の変調信号を、図１の送信装置を具備する例えば基地局（ＡＰ）が、ＯＦＤＭ方式などのマルチキャリア方式を用いて送信する。このとき、基地局（ＡＰ）と通信を行っている端末（ユーザー）が変調信号を送信する際、端末が送信する変調信号はシングルキャリアの方式であるという適用方法を考えることができる（基地局（ＡＰ）はＯＦＤＭ方式を用いることで、複数の端末に対し、同時にデータシンボル群を送信することができ、また、端末はシングルキャリア方式を用いることにより、消費電力を低減することが可能となる。）。
【０６２１】
また、基地局（ＡＰ）が送信する変調信号が使用する周波数帯域の一部を用いて、端末は変調方式を送信するＴＤＤ（Time Division Duplex）方式を適用してもよい。
【０６２２】
図１のアンテナ部１０６−１、１０６−２、・・・、１０６−Ｍの構成は、実施の形態において説明した構成に限ったものではない。例えば、アンテナ部１０６−１、１０６−２、・・・、１０６−Ｍが、複数のアンテナで構成されていなくてもよく、また、アンテナ部１０６−１、１０６−２、・・・、１０６−Ｍは、信号１５９を入力としなくてもよい。
【０６２３】
図４のアンテナ部４０１−１、４０１−２、・・・、４０１−Ｎの構成は、実施の形態において説明した構成に限ったものではない。例えば、アンテナ部４０１−１、４０１−２、・・・、４０１−Ｎが、複数のアンテナで構成されていなくてもよく、また、アンテナ部４０１−１、４０１−２、・・・、４０１−Ｎは、信号４１０を入力としなくてもよい。
【０６２４】
なお、基地局、端末が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６２５】
また、図１、図３、図４４における情報＃１（１０１＿１）、情報＃２（１０１＿２）、・・・、情報＃Ｍ（１０１＿Ｍ）の中に、少なくともマルチキャスト（ブロードキャスト）のデータが存在することになる。例えば、図１において、情報＃１（１０１＿１）がマルチキャスト用のデータの場合、このデータを含んだ、複数のストリーム、または、変調信号を信号処理部１０２により生成し、アンテナから出力することになる。
【０６２６】
図３において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６２７】
図４４において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６２８】
なお、複数ストリームまたは変調信号の様子については、図７、図９、図１２、図１４、図１７、図１８、図１９を用いて説明したとおりである。
【０６２９】
さらに、図１、図３、図４４における情報＃１（１０１＿１）、情報＃２（１０１＿２）、・・・、情報＃Ｍ（１０１＿Ｍ）の中に、個別端末宛のデータを含んでいてもよい。この点については、本明細書の実施の形態で説明したとおりである。
【０６３０】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵの少なくとも一方を動作させることにより、本開示において説明したデジタル信号処理を実行するようにしてもよい。
【０６３１】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０６３２】
例えば、本明細書で記載した基地局、ＡＰ、端末などの通信装置が、ＦＰＧＡおよび、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【０６３３】
以下では、実施の形態１から７で説明した複数アンテナを用いた無線通信方式を適用可能な通信システムの例について説明する。なお、実施の形態１から７で説明した複数アンテナを用いた無線通信方式は、あくまで以降で説明する通信システムに適用な可能な無線通信方式の一例である。すなわち、以降で説明する通信システムで用いる無線通信方式は、実施の形態１から７で説明した複数アンテナを用いた無線通信方式であってもよいし、その他の複数アンテナを用いた無線通信方式であってもよい。また、以降で説明する通信システムで用いる無線通信方式は、一つのアンテナを用いた無線通信方式であってもよいし、例えば光通信などのアンテナ以外のデバイスを用いて通信を行う通信方式であってもよい。
【０６３４】
（実施の形態Ａ１）
本実施の形態では、本実施の形態に係る通信システムによるネットワークの構築方法について説明する。
【０６３５】
図４５は、ネットワークとゲートウェイの接続の一例を示す図である。図４５を参照しながら、本実施の形態の通信システムについて説明する。
【０６３６】
図４５に示されるように、通信システムは、屋外ゲートウェイ４５０１と、屋内ゲートウェイ４５０２と、屋外ネットワーク４５０３と、屋内ネットワーク４５０４とを備える。
【０６３７】
屋外ゲートウェイ４５０１は、屋外ネットワーク４５０３と通信可能に接続するゲートウェイ装置である。屋外ゲートウェイ４５０１は、通信ＩＦ（インタフェース）４５０１ａと、通信ＩＦ４５０１ｂと、無線受電部４５０１ｃとを備える。屋外ゲートウェイ４５０１は、例えば、コンピュータにより実現され得る。ただし、コンピュータによる構成でなくてもよい。屋外ゲートウェイ４５０１は、第一通信装置に相当する。なお、屋外ゲートウェイ４５０１は、屋外ネットワーク４５０３を構成する１つのノードであってもよい。
【０６３８】
通信ＩＦ４５０１ａは、屋外ネットワーク４５０３に通信可能に接続される通信インタフェース装置である。
【０６３９】
通信ＩＦ４５０１ｂは、屋内ゲートウェイ４５０２に通信可能に接続される通信インタフェース装置である。
【０６４０】
無線受電部４５０１ｃは、屋内ゲートウェイ４５０２から無線で電力の供給を受ける受電装置である。電力の供給は、電磁誘導を用いた方式、無線電力伝送方式、ワイヤレス給電方式を採用することができ、より具体的には、例えばＱｉ規格を採用し得る。ただし、適用可能な電力伝送の方式は、これに限ったものではない。
【０６４１】
屋外ゲートウェイ４５０１は、通信ＩＦ４５０１ａ及び４５０１ｂによって周囲の通信装置から通信フレームを受信し、他の適切な通信装置に伝送する。また、屋外ゲートウェイ４５０１は、通信ＩＦ４５０１ａ及び４５０１ｂによって周囲の通信装置と経路情報の交換を行うことでどのフレームをどの通信ＩＦにより送信するかを制御する。
【０６４２】
屋内ゲートウェイ４５０２は、屋内ネットワーク４５０４と通信可能に接続するゲートウェイ装置である。屋内ゲートウェイ４５０２は、通信ＩＦ４５０２ａと、通信ＩＦ４５０２ｂと、受電部４５０２ｃと、無線給電部（無線送電部）４５０２ｄとを備える。屋内ゲートウェイ４５０２は、例えば、コンピュータにより実現され得る。ただし、コンピュータによる構成でなくてもよい。屋内ゲートウェイ４５０２は、第二通信装置に相当する。なお、屋内ゲートウェイ４５０２は、屋内ネットワーク４５０４を構成する１つのノードであってもよい。
【０６４３】
通信ＩＦ４５０２ａは、屋内ネットワーク４５０４に通信可能に接続される通信インタフェース装置である。
【０６４４】
通信ＩＦ４５０２ｂは、屋外ゲートウェイ４５０１に通信可能に接続される通信インタフェース装置である。
【０６４５】
受電部４５０２ｃは、屋内に配置された給電端子である、例えば、コンセント、ＵＳＢ（Universal Serial Bus）コネクタから、屋内ゲートウェイ４５０２の駆動のための電力の供給を受ける受電部である。受電部４５０２ｃは、電源コードによってコンセントに接続され、例えばＡＣ１００Ｖの電力の供給を受ける、または、ＵＳＢ（Universal Serial Bus）コネクタに接続され、電力の供給を受ける。
【０６４６】
無線給電部（無線送電部）４５０２ｄは、屋外ゲートウェイ４５０１へ無線で電力を供給する給電装置（送電装置）である。無線給電部４５０２ｄが供給する電力は、受電部４５０２ｃがコンセントから受けた電力の一部である。電力の供給については、無線受電部４５０１ｃと同様である。
【０６４７】
屋内ゲートウェイ４５０２は、通信ＩＦ４５０２ａ及び４５０２ｂによって周囲の通信装置から通信フレームを受信し、他の適切な通信装置に伝送する。また、屋内ゲートウェイ４５０２は、通信ＩＦ４５０２ａ及び４５０２ｂによって周囲の通信装置と経路情報の交換を行うことでどのフレームをどの通信ＩＦにより送信するかを制御する。
【０６４８】
屋外ネットワーク４５０３は、例えば、屋外の空間（第一空間ともいう）に設置されたネットワークである。屋外ネットワーク４５０３は、無線ネットワーク（第一ネットワークともいう）であり、具体的には、例えば、ＩＥＥＥ  ８０２．１１ａｄ、ＩＥＥＥ  ８０２．１１ａｙの通信規格に準拠したネットワークである。ただし、このネットワークは、この規格以外の通信方法を用いてもよい（例えば、ＩＥＥＥ  ８０２．１１ａ規格、ＩＥＥＥ  ８０２．１１ｇ規格、ＩＥＥＥ  ８０２．１１ｎ規格、ＩＥＥＥ  ８０２．１１ａｃ規格、ＩＥＥＥ  ８０２．１１ａｘ規格、セルラー規格を用いてもよい。）。
【０６４９】
屋外ネットワーク４５０３は、光ファイバなどを用いて構成される有線ネットワークに接続されていてもよい。この場合、屋外ネットワーク４５０３は、屋内ネットワーク４５０４と上記有線ネットワークとを接続する役割を有する。なお、屋外ネットワーク４５０３は、上記有線ネットワークに接続されない、クローズなネットワークでもよい。
【０６５０】
屋内ネットワーク４５０４は、屋内の空間（第二空間ともいう）に設置されたネットワークである。屋内ネットワーク４５０４は、無線ネットワーク（第二ネットワークともいう）であり、具体的には、例えば、ＩＥＥＥ  ８０２．１１ａｄ、ＩＥＥＥ  ８０２．１１ａｙの通信規格に準拠したネットワークである。ただし、このネットワークは、この規格以外の通信方法を用いてもよい（例えば、ＩＥＥＥ  ８０２．１１ａ規格、ＩＥＥＥ  ８０２．１１ｇ規格、ＩＥＥＥ  ８０２．１１ｎ規格、ＩＥＥＥ  ８０２．１１ａｃ規格、ＩＥＥＥ  ８０２．１１ａｘ規格、セルラー規格を用いてもよい。）。
【０６５１】
なお、屋外ゲートウェイ４５０１又は屋内ゲートウェイ４５０２は、例えば、図１（または、図３、または、図４４）の構成を具備するものとする。なお、図１（または、図３、または、図４４）の各部の動作、および、図４の各部の動作については、すでに説明を行っているので、説明を省略する。
【０６５２】
なお、屋内の空間と、屋外の空間とは、板体などで隔てられている。この場合、通信ＩＦ４５０１ｂと通信ＩＦ４５０２ｂとは、この板体を介した電波による無線通信で接続される。板体は、例えば、外壁（例えばビル又は住宅の外壁）、ガラス板（例えばビル又は住宅の開口部に設置されるガラス板）などである。
【０６５３】
なお、屋外ネットワーク４５０３が無線ネットワークである場合には、通信ＩＦ４５０１ａは、無線通信インタフェースである。また、屋内ネットワーク４５０４が無線ネットワークである場合には、通信ＩＦ４５０２ａは、無線通信インタフェースである。
【０６５４】
また、通信ＩＦ４５０１ａは、例えば、ＴＤＭＡ（Time Division Multiple Access）方式で通信する。また、通信ＩＦ４５０２ａは、例えば、ＣＳＭＡ（Carrier Sense Multiple Access）方式で通信する。ただし、通信ＩＦ４５０１ａは、ＴＤＭＡ以外の方式で通信を行ってもよいし、通信ＩＦ４５０２ａは、ＣＳＭＡ以外の方式で通信を行ってもよい。
【０６５５】
また、屋外ネットワーク４５０３と屋内ネットワーク４５０４は、それぞれ、無線マルチホップネットワーク（無線によるメッシュネットワーク）でもよい。この場合、通信ＩＦ４５０１ａは、無線マルチホップネットワーク（無線によるメッシュネットワーク）で構成される屋外ネットワーク４５０３に接続され、通信ＩＦ４５０２ａは、無線マルチホップネットワーク（無線によるメッシュネットワーク）で構成される屋内ネットワーク４５０４に接続される。
【０６５６】
また、通信システムの制御方法は、屋外ゲートウェイ４５０１によって屋外ネットワーク４５０３に接続するステップと、屋外ゲートウェイ４５０１によって無線通信をするステップと、屋内ゲートウェイ４５０２によって屋内ネットワーク４５０４に接続するステップと、屋内ゲートウェイ４５０２によって屋外ゲートウェイ４５０１と無線通信により接続されるステップとを含む。
【０６５７】
図４６は、通信システムの構成の一例を示す図である。より具体的には、図４６は、無線信号の中継器（単に「中継器」ともいう）を用いた屋外ネットワーク４５０３であるメッシュネットワークの構成の一例を示す模式図である。
【０６５８】
複数の中継器は、所定のエリアの複数の地点にそれぞれ配置され、メッシュ型の無線バックホールを構成する。例えば、中継器４８００Ｂは、中継器４８００Ａから受信した信号を、中継器４８００Ｃへ送信する。また、中継器４８００Ｂは、中継器４８００Ａから受信した信号を、当該中継器４８００Ｂに接続されているエッジノード（または、ノード）４８１０へ送信する。エッジノード（または、ノード）４８１０は住宅に設置されているゲートウェイ装置である。また、中継器４８００Ｂは、当該中継器４８００Ｂに接続されているエッジノード（または、ノード）４８１０から受信した信号を、別の中継器４８００Ｃへ送信する。
【０６５９】
このように、中継器４８００Ｂから住宅に無線で接続する形態は、ＷＴＴＨ（Wireless To The Home）と呼ぶ。ただし、呼び方は、これに限ったものではない。
【０６６０】
また、エッジノード（または、ノード）は、ビルディング内のネットワークに設置されているゲートウェイ装置であってよい。このように、中継機からビルディングに無線で接続する形態は、ＷＴＴＢ（Wireless To The building）と呼ぶ。ただし、呼び方は、これに限ったものではない。
【０６６１】
また、エッジノード（または、ノード）は、例えば、Ｗｉ−Ｆｉのアクセスポイントであってもよい。
【０６６２】
このように、屋外ネットワーク４５０３においてエッジノード（または、ノード）を無線で接続するユースケースは、まとめて、ＷＴＴＸ（Wireless to the X）と呼ばれる。
【０６６３】
図４７は、屋内ネットワーク４５０４の構成の一例を示す図である。
【０６６４】
図４７に示される屋内ネットワーク４５０４は、メッシュネットワーク（マルチホップネットワーク）を構成しており、ＭＰ（Mesh Point）＊１、ＭＰ＊２、ＭＰ＊３、ＭＰ＊４、ＭＰ＊５、ＭＰ＊６、ＭＰ＊７及びＭＰ＊８（「ＭＰ＊１等」ともいう）と、ＭＡＰ（Mesh Access Point）＃１、ＭＡＰ＃２、ＭＡＰ＃３及びＭＡＰ＃４（「ＭＡＰ＃１等」ともいう）とを備える。なお、ここでは、屋内ゲートウェイ４５０２もメッシュネットワークを構成する１つのノードであるとして説明する。なお、ＭＰ＊１等又はＭＡＰ＃１等は、例えば、図１（または、図３、または、図４４）の構成を具備するものとする。なお、図１（または、図３、または、図４４）の各部の動作、および、図４の各部の動作については、すでに説明を行っているので、説明を省略する。
【０６６５】
また、ＭＰ又はＭＡＰを結ぶ「破線」は、当該破線で結ばれたＭＰ又はＭＡＰ同士が通信可能であることを意味し、ＭＰ又はＭＡＰを結ぶ「実線」は、これらを結ぶ通信リンクがメッシュネットワークにおける通信経路に選ばれていることを意味している。
【０６６６】
例えば、実線で結ばれている屋内ゲートウェイ４５０２とＭＰ＊１とは、通信可能な状態であり、かつ、屋内ゲートウェイ４５０２とＭＰ＊１とを結ぶ通信リンクが通信経路に選ばれていることを意味している。また、破線で結ばれているＭＰ＊３とＭＰ＊４とは、通信可能な状態であるが、ＭＰ＊３とＭＰ＊４と結ぶ通信リンクが通信経路に選ばれていないことを意味している。また、実線でも破線でも結ばれていないＭＰ＊３とＭＡＰ＃３とは、通信が不可能であることを意味している。
【０６６７】
ＭＰ＊１等のそれぞれは、メッシュネットワークを構成するノードである。ＭＰ＊１等のそれぞれは、経路表を有し、経路表に従ってパケットを伝送することでメッシュネットワークに接続された端末と他の通信装置の通信を可能とする。経路表は、静的に設定されたもの（スタティックルーティングテーブル）であってもよいし、ＭＰ＊１等がルーティングプロトコルによって、互いに、情報を交換することで動的に設定されたもの（ダイナミックルーティングテーブル）であってもよい。
【０６６８】
ＭＡＰ＃１等のそれぞれは、例えば、メッシュネットワークを構成するノードであって、屋内に存在する端末に無線アクセスを提供する基地局（アクセスポイント）としての機能をさらに有するノードである。ＭＡＰ＃１等のそれぞれがメッシュネットワークを構成する機能については、ＭＰ＊１等と同様である。また、ＭＡＰ＃１等のそれぞれの基地局としての機能は、一般的な基地局と同様である。ＭＡＰ＃１等は、例えば２．４ＧＨｚ帯、５ＧＨｚ帯、６０ＧＨｚ帯などの無線ＬＡＮ（Local Area Network）の基地局（アクセスポイント）としての機能を有している。
【０６６９】
ＭＰ＊１等とＭＡＰ＃１等とは、（１）メッシュネットワークを構成するための初期動作、（２）メッシュネットワークを構成する動作（具体的には、通信経路の決定処理など）、及び、（３）ＭＰ＊１等とＭＡＰ＃１等とによるパケットの転送の動作を行うことによって、ＭＡＰ＃１等に接続された端末が、メッシュネットワークを介して屋内ゲートウェイ４５０２と通信可能となる。
【０６７０】
以降において、上記（１）〜（３）の動作について詳しく説明する。
【０６７１】
（１）メッシュネットワークを構成するための初期動作について
屋内ゲートウェイ４５０２、ＭＰ＊１等、ＭＡＰ＃１等のそれぞれは、隣接のノードの探索を行う。なお、ノードとは、屋内ゲートウェイ４５０２、ＭＰ＊１等、ＭＡＰ＃１等のいずれかである。これにより、例えばＭＰ＊３は、ＭＰ＊１、ＭＰ＊２、ＭＰ＊４及びＭＰ＊６と通信可能であることを知ることになる。このとき、例えばＭＰ＊３は、あわせて、ビームフォーミングのトレーニングを行ってもよい。
【０６７２】
なお、屋内ゲートウェイは、屋外に設置されている装置（例えば、屋外ゲートウェイ、屋外ＭＰ、屋外ＭＡＰ。いずれも不図示）の探索は行わない。
【０６７３】
具体的には、屋内ゲートウェイ４５０２、ＭＰ＊１等、ＭＡＰ＃１等は、それぞれ、屋内ネットワークに属していることを周囲のノードにフレーム送信によって通知する。同様に、屋外ゲートウェイ４５０１、屋外ＭＰ及び屋外ＭＡＰは、屋外のネットワークに属していることを周囲のノードにフレーム送信によって通知する。
【０６７４】
したがって、各ノードが属するネットワークに関する情報が、送信フレームに含まれることになる。また、上記送信フレームには、当該フレームに含まれる情報が「ブロードキャスト（マルチキャスト）の情報であるか」、又は、「ユニキャスト用の情報であるか」の制御情報を含んでいるものとする。さらに、上記送信フレームには、送信元の各ノードが、ゲートウェイ（具体的には屋内ゲートウェイ４５０２又は屋外ゲートウェイ４５０１）、ＭＰ（具体的には屋内ＭＰ＊１等又は屋外ＭＰ）、又は、ＭＡＰ（具体的には屋内ＭＡＰ＃１又は屋外ＭＡＰ）のいずれであるかを示す情報が含まれる。
【０６７５】
次に、各ノードは、接続情報を共有する。ここで、接続情報は、周囲にブロードキャスト（マルチキャスト）される。屋内ゲートウェイ４５０２、ＭＰ＃１等、ＭＡＰ＊１等は、周囲のノード接続情報を得ることになる。
【０６７６】
例えば、ＭＰ＊３は、ＭＰ＊１と通信が可能であることを認識する。すると、ＭＰ＊３は、「ＭＰ＊３がＭＰ＊１と通信可能である」ということを、他のノード（屋内ゲートウェイ４５０２、屋内ＭＰ＃１、及び、屋内ＭＡＰ＊１に伝送する。
【０６７７】
したがって、例えば、ＭＰ＊３は、「ＭＰ＊３がＭＰ＊１と通信可能である」という情報をＭＰ＊１、ＭＰ＊２、ＭＰ＊４、ＭＰ＊６及びＭＡＰ＃４に送信することになる。ＭＰ＊６は、「ＭＰ＊３がＭＰ＊１と通信可能である」という情報を、ＭＰ＊７、ＭＰ＊５、ＭＡＰ＃２に送信する。ＭＰ＊１、ＭＰ＊２、ＭＰ＊４、及び、ＭＡＰ＃４のそれぞれも、ＭＰ＊３がＭＰ＊１と通信可能である」という情報を送信することになる。
【０６７８】
ここで、屋内ゲートウェイ４５０２、ＭＰ＊１等、及び、ＭＡＰ＃１の各ノードは、過去に受信したデータと同じデータを受信したら、そのデータをブロードキャスト（マルチキャスト）しない（送信しない）機能が必要である。
【０６７９】
例えば、ＭＡＰ＃４は、「ＭＰ＊３がＭＰ＊１と通信可能である」という情報をはじめに、ＭＰ＊３から受ける。そして、ＭＡＰ＃４は、「ＭＰ＊３がＭＰ＊１と通信可能である」という情報を、ＭＰ＊１等、及び、ＭＡＰ＃１等に送信する。次に、ＭＡＰ＃４は、「ＭＰ＊３は、ＭＰ＊１と通信可能である」という情報をＭＡＰ＃４から受ける。このとき、ＭＡＰ＃４は、「ＭＰ＊３がＭＰ＊１と通信可能である」という情報をＭＰ＊１等、及び、ＭＡＰ＃１等に送信しない。ただし、ブロードキャスト（マルチキャスト）は、屋内ネットワークのみで行われる。
【０６８０】
上記の動作の際、各ノードは、例えば、「ビームフォーミングのためのシンボル」、「制御情報シンボル」、「データシンボル」などを含むフレームを送信する。このフレームの一例を図４８に示す。図４８は、横軸を時間として上記フレームの構成を示す図である。以下では、図４８に示される構成のフレームを、第１のノードが送信する場合を例として説明する。
【０６８１】
ビームフォーミングのためのシンボルは、第１のノードが、通信相手のノードと通信を行う際の、送信ビームフォーミングの信号処理方法、および、受信ビームフォーミングの信号処理方法を決定するためのシンボルである。なお、通信相手のノードは、複数のノードであってもよい。
【０６８２】
制御情報シンボルは、「ネットワーク属性情報シンボル」、「ノード情報シンボル」、及び、「装置識別情報シンボル」の少なくとも一つ以上のシンボルを含んでいる。
【０６８３】
ネットワーク属性情報シンボルは、第１のノードが属するネットワークに関する情報である。ネットワーク属性情報シンボルは、例えば、「第１のノードが屋内ネットワークに属する」、及び、「第１のノードが屋外ネットワークに属する」のいずれかを通知するためのシンボルである。
【０６８４】
ノード情報シンボルは、第１のノードが属するノードに関する情報である。例えば、「第１のノードはゲートウェイである」、「第１のノードはＭＰである」、及び、「第１のノードはＭＡＰである」のいずれかを通知するためのシンボルである。
【０６８５】
装置識別情報シンボルは、第１のノードの装置識別のための固有番号を、他のノードに通知するためのシンボルである。
【０６８６】
図４９及び図５０を参照しながら、メッシュネットワークを構成するための初期動作について説明する。図４９は、第１のノードが（１）の動作時にフレームを送信した以後の他のノードとの通信の流れを示す図である。
【０６８７】
図４９に示されるように、まず、第１のノードは、動作（１）におけるフレームを第２のノード及び第３のノードそれぞれに送信する。このフレーム送信は、１回以上なされてもよい。そして、第２のノード及び第３のノードそれぞれは、フレームを受信したことに応じて、第１のノードへの返答のためにフレームを送信する。
【０６８８】
図５０は、第１のノードが他のノードと接続情報を送信するのに用いるフレームのフレーム構成を示す図である。図５０において横軸を時間として示している。
【０６８９】
図５０に示されるように、このフレームは、プリアンブルと、制御情報シンボルと、データシンボルとを含む。
【０６９０】
プリアンブルは、第１のノードが、通信相手との間で、時間同期、フレーム同期、及び、周波数同期などを行うためのシンボルである。例えば、制御情報シンボルは、「データ宛先情報シンボル」及び「送信方法情報シンボル」を含んでいる。
【０６９１】
データ宛先情報シンボルは、第１のノードが送信するフレームの宛先に関する情報である。例えば、第１ノードがこのフレームを第２のノードに送信する場合、データ宛先情報シンボルは、「第２のノードに送信しているフレームである」という情報である。
【０６９２】
送信方法情報シンボルは、第１のノードが送信するフレームの送信方法に関する情報を送信するためのシンボルである。このフレームは、ブロードキャスト（マルチキャスト）用のフレームであるため「マルチキャスト用のフレームである」という情報を送信方法情報シンボルは含んでいるものとする。なお、送信するフレームが、ユニキャスト用のフレームの場合、「ユニキャスト用のフレームである」という情報を含んでいてもよい。また、データシンボルを生成するために使用した、誤り訂正符号の方法・変調方式の情報、送信するストリーム数などの送信方法に関する情報を含んでいてもよい。
【０６９３】
データシンボルは、このフレームによって運ばれるデータを含むシンボルである。例えば、データシンボルは、「接続情報シンボル」を含んでいる。
【０６９４】
接続情報シンボルは、第１のノードが接続するノードに関する情報を送信するためのシンボルである。例えば、第１のノードが第２のノード及び第３のノードと接続しているので、「接続情報シンボル」は、「第１のノードが第２のノードと接続」、「第１のノードが第３のノードと接続」という情報を含んでいる。なお、このシンボルに、第１のノードの識別固有情報、第２のノードの識別固有情報、及び、第３のノードの識別固有情報を含んでいてもよい。
【０６９５】
なお、上述の例では、ブロードキャスト（マルチキャスト）用のフレームの例を説明している。したがって、このフレームを受信した第２のノードは、他のノードに対して、接続情報シンボルを送信することになる。また、第３のノードも、他のノードに対して、接続情報シンボルを送信することになる。
【０６９６】
つまり、接続情報シンボルを受信したノードは、接続情報シンボルを含むフレームを送信することになる。ただし、前にも記載したように、接続情報シンボルを一度受信し、接続情報シンボルを含むフレームを送信したノードが、再度、接続情報シンボルを受信した場合、接続情報シンボルを含むフレームを送信することはないものとする。
【０６９７】
このようにして、各ノードは、メッシュネットワークの構成を知ることができる。
【０６９８】
（２）メッシュネットワークを構成するための処理
メッシュネットワークを構成するための処理について、２つの方法を説明する。第１の方法は、屋内ゲートウェイ４５０２が各ＭＡＰに対するルートマップを作成する方法である。第２の方法は、屋内ゲートウェイ４５０２が各ＭＡＰに対するルートマップを作成するが、マップを共有しない方法である。これらについて詳しく説明する。
【０６９９】
（２−１）第１の方法
第１の方法では、屋内ゲートウェイ４５０２は、各ＭＡＰに対するルートマップを作成する。なお、ルートマップを作成した結果、形成されたメッシュネットワークが、例えば、図５１に示されるものである。
【０７００】
屋内ゲートウェイ４５０２は、ＭＡＰ＃１に対するルートマップを作成する。このルートマップは、例えば、（ａ）屋内ゲートウェイ４５０２がＭＰ＊４にデータを伝送し、ＭＰ＊４がＭＰ＊５にデータを伝送し、ＭＰ＊５がＭＰ＊６にデータを伝送し、ＭＰ＊６がＭＰ＊７にデータを伝送し、ＭＰ＊７がＭＡＰ＃１にデータを伝送することで、屋内ゲートウェイ４５０２がＭＡＰ＃１にデータを伝送することができることを示すものである。また、さらに、（ｂ）ＭＡＰ＃１がＭＰ＊７にデータを伝送し、ＭＰ＊７がＭＰ＊６にデータを伝送し、ＭＰ＊６がＭＰ＊５にデータを伝送し、ＭＰ＊５がＭＰ＊４にデータを伝送し、ＭＰ＊４が屋内ゲートウェイ４５０２にデータを伝送することで、ＭＡＰ＃１が屋内ゲートウェイ４５０２にデータを伝送することができることを示すものである。
【０７０１】
そして、屋内ゲートウェイ４５０２は、このルートマップをＭＡＰ＃１と共有するために、このルートマップの情報を含めたフレームをＭＡＰ＃１に送信する。ルートマップの情報を含めたフレームには、ノードの経由に関する情報が制御情報として含まれる。このフレームを伝送する各ノードは、フレームに含まれるこの制御情報を参照して、フレームを伝送する宛先を知ることができる。
【０７０２】
（３）パケットの伝送の動作
以降、屋内ゲートウェイ４５０２がＭＡＰ＃１に情報を伝送する場合、このルートマップに基づいてデータの送信が行われる。つまり、屋内ゲートウェイ４５０２は、ルートマップに基づいてノードの経由に関する制御情報を送信する。各ノードは、送信された制御情報に基づいて、順次にフレームの送信を行う。
【０７０３】
また、ＭＡＰ＃１が屋内ゲートウェイ４５０２に情報を伝送する場合、このルートマップに基づいてデータの送信が行われる。つまり、ＭＡＰ＃１は、ルートマップに基づいてノードの経由に関する制御情報を送信する。各ノードは、送信された制御情報に基づいて、順次にフレームの送信を行う。
【０７０４】
図５２は、フレーム構成の一例を示す図である。図５２は、例えば、屋内ゲートウェイ４５０２がＭＡＰ＃１に情報を伝送する場合のフレーム構成の一例を示している。図５２において、横軸は時間である。
【０７０５】
例えば、屋内ゲートウェイ４５０２は、プリアンブルを送信する。なお、プリアンブルは、ＭＰ＊４がこのフレームの変調信号を受信する際の、例えば、時間同期、フレーム同期、及び、周波数同期などを行うためのシンボルである（信号検出に用いてもよい。）。
【０７０６】
制御情報シンボルは、「ノードの経由情報シンボル」、及び、「送信方法情報シンボル」を含んでいる。データシンボルは、屋内ゲートウェイ４５０２がＭＡＰ＃１に伝送するためのデータを含むシンボルである。
【０７０７】
ノードの経由情報シンボルは、「屋内ゲートウェイ４５０２がこのフレームをＭＰ＊４に伝送する際のルートマップ」に関する情報を伝送するためのシンボルである。
【０７０８】
送信方法情報シンボルは、屋内ゲートウェイ４５０２が送信するフレームの送信方法に関する情報を送信するためのシンボルである。送信方法情報シンボルは、例えば、「ブロードキャストのデータか、または、ユニキャストのデータか」という情報、及び、データシンボルの変調信号を生成するために使用した、誤り訂正符号化方法・変調方式の情報、送信するストリーム数などの送信方法に関する情報を含んでいてもよい。
【０７０９】
データシンボルは、屋内ゲートウェイがＭＡＰ＃１に伝送するためのデータを含むシンボルであり、また、屋内ゲートウェイがＭＰ＊４に送信するシンボルである。
【０７１０】
ＭＰ＊４がＭＰ＊５に対し変調信号を送信する際、ＭＰ＊５がＭＰ＊６に対し変調信号を送信する際、ＭＰ＊６がＭＰ＊７に対し変調信号を送信する際、ＭＰ＊７がＭＡＰ＃１に対し変調信号を送信する際についても、同様のフレーム構成とすることで、屋内ゲートウェイ４５０２が送信したデータをＭＡＰ＃１に伝送することができることになる。
【０７１１】
なお、このフレーム構成は、ＭＡＰ＃１が、屋内ゲートウェイ４５０２に情報を伝送する場合のフレームと考えてもよい。
【０７１２】
例えば、ＭＡＰ＃１は、プリアンブルを送信する。なお、プリアンブルは、ＭＰ＊７が、このフレームの変調信号を受信する際の、例えば、時間同期、フレーム同期、及び、周波数同期などを行うためのシンボルである（信号検出に用いてもよい。）。
【０７１３】
制御情報シンボルは、「ノードの経由情報シンボル」、及び、「送信方法情報シンボル」を含んでいる。データシンボルは、ＭＡＰ＃１が、屋内ゲートウェイ４５０２に伝送するためのデータを含むシンボルである。
【０７１４】
ノードの経由情報シンボルは、「ＭＡＰ＃１がこのフレームをＭＰ＊７に伝送する際のルートマップ」に関する情報を伝送するためのシンボルである。
【０７１５】
送信方法情報シンボルは、ＭＡＰ＃１が送信するフレームの送信方法に関する情報を送信するためのシンボルである。送信方法情報シンボルは、例えば、「ブロードキャストのデータか、または、ユニキャストのデータか」という情報、及び、データシンボルの変調信号を生成するために使用した、誤り訂正符号化方法・変調方式の情報、送信するストリーム数などの送信方法に関する情報を含んでいてもよい。
【０７１６】
データシンボルは、ＭＡＰ＃１が屋内ゲートウェイ４５０２に伝送するためのデータを含むシンボルであり、また、ＭＡＰ＃１がＭＰ＊７に送信するシンボルである。
【０７１７】
ＭＰ＊７がＭＰ＊６に対し変調信号を送信する際、ＭＰ＊６がＭＰ＊５に対し変調信号を送信する際、ＭＰ＊５がＭＰ＊４に対し変調信号を送信する際、ＭＰ＊４が屋内ゲートウェイに対し変調信号を送信する際についても、同様のフレーム構成とすることで、ＭＡＰ＃１が送信したデータを屋内ゲートウェイ４５０２に伝送することができることになる。
【０７１８】
（２−２）第２の方法
第２の方法では、屋内ゲートウェイ４５０２は、各ＭＡＰに対するルートマップを作成するが、マップを共有しない。
【０７１９】
図５３は、屋内ネットワークの構成の一例を示す図である。なお、ルートマップを作成した結果、形成されたメッシュネットワークが例えば図５３に示されるものである。
【０７２０】
屋内ゲートウェイ４５０２は、ＭＡＰ＃１に対するルートマップを作成する。このルートマップは、例えば、（ａ）屋内ゲートウェイ４５０２がＭＰ＊４にデータを伝送し、ＭＰ＊４がＭＰ＊５にデータを伝送し、ＭＰ＊５がＭＰ＊６にデータを伝送し、ＭＰ＊６がＭＰ＊７にデータを伝送し、ＭＰ＊７がＭＡＰ＃１にデータを伝送することで、屋内ゲートウェイ４５０２がＭＡＰ＃１にデータを伝送することができることを示すものである。また、さらに、（ｂ）ＭＡＰ＃１がＭＰ＊７にデータを伝送し、ＭＰ＊７がＭＰ＊６にデータを伝送し、ＭＰ＊６がＭＰ＊５にデータを伝送し、ＭＰ＊５がＭＰ＊４にデータを伝送し、ＭＰ＊４が屋内ゲートウェイにデータを伝送することで、ＭＡＰ＃１が屋内ゲートウェイ４５０２にデータを伝送することができることを示すものである。
【０７２１】
（３）パケットの伝送の動作
屋内ゲートウェイ４５０２は、このルートマップの情報に基づいて情報を送信する。この情報を送信する際、屋内ゲートウェイ４５０２は、ノードの経由に関する情報を含む制御情報も送信する。したがって、各ノードは、送信された制御情報に基づいて、フレームを送信する宛先を知ることになる。
【０７２２】
同様に、ＭＡＰ＃１は、屋内ゲートウェイ４５０２に対するルートマップを作成する。そして、ＭＡＰ＃１は、このルートマップの情報に基づいて情報を送信する。この情報を送信する際、ＭＡＰ＃１は、ノードの経由に関する情報を含む制御情報も送信する。したがって、各ノードは、送信された制御情報に基づいて、フレームを送信する宛先を知ることになる。
【０７２３】
フレーム構成、及び、動作例については、図５２における説明と同様である。
【０７２４】
以上のように、屋内ゲートウェイ４５０２から端末までの通信を、無線により実現することができ、これにより、屋内にデータ伝送のための配線が少ない環境を提供することができるという効果を得ることができる。また、屋内のネットワークと屋外のネットワークとの接続についても、無線によるデータ通信で実現することも可能であり、データ伝送のための配線が少ない環境を提供できるという効果を得ることができる。
【０７２５】
次に、上記（１）の動作を実行するタイミングについて２つのケース、具体的にはケース１及びケース２を説明する（図５４参照）。ケース１は、ある時間間隔で（１）及び（２）の動作が実行されるケースである。ケース２は、屋内ネットワークにおいてＭＰまたはＭＡＰの追加をするときに（１）の動作が再度、実施されるケースである。
【０７２６】
ケース１については、すでに説明済みである。以下では、ケース２について説明を行う。
【０７２７】
ここでは、図５５に示されるネットワーク構成から、図５６に示されるネットワーク構成に変化する場合を考える。なお、図５５のネットワーク構成については、すでに説明済みのため、説明を省略する。図５６に示されるネットワーク構成は、図５５に示されるネットワーク構成から、ＭＰ＊１００が追加されている。また、ＭＰ＊１００が追加された後の屋内ネットワーク４５０４の構成が図５７に示されている。
【０７２８】
ＭＰ＊１００が屋内ネットワーク４５０４に追加されるときの処理について図５８を参照しながら説明する。
【０７２９】
まず、ＭＰ＊１００は、屋内ネットワーク４５０４に参加することを屋内ネットワーク４５０４内のノードに通知する。このとき、「屋内ネットワークに参加する通知」がブロードキャスト（マルチキャスト）送信される。
【０７３０】
実際には、上記の通知は、ＭＰ＊１００の隣接ノードにのみ通知されることになる。図５７のように、ＭＰ＊１００の隣接ノードは、屋内ゲートウェイとＭＰ＊６とであるので、上記通知は、屋内ゲートウェイ４５０２とＭＰ＊６とが受信することになる。
【０７３１】
あわせて、ＭＰ＊１００は、「屋内ネットワーク構成のリセット要求」をブロードキャスト（マルチキャスト）送信する。「屋内ネットワーク構成のリセット要求」は、上述と同様、屋内ゲートウェイとＭＰ＊６とが受信する。
【０７３２】
次に、屋内ゲートウェイ４５０２およびＭＰ＊６は、「屋内ネットワークに参加する通知」及び「屋内ネットワーク構成のリセット要求」をブロードキャスト（マルチキャスト）送信する。以降、他のノードも、「屋内ネットワークに参加する通知」及び「屋内ネットワーク構成のリセット要求」をブロードキャスト（マルチキャスト）送信することになるが、ブロードキャスト（マルチキャスト）送信の規則の例については、すでに説明したとおりとなる。
【０７３３】
なお、上述の例では、ＭＰが屋内ネットワーク４５０４に追加される例を説明したが、ＭＡＰが追加されてもよい。このとき、上述のＭＰの動作の説明をＭＡＰの動作に置き換えて動作すれば、同様に実施することができる。
【０７３４】
その後、（１）及び（２）の動作が行われ、（３）の動作が可能となる。
【０７３５】
以上のように、屋内ネットワーク４５０４において、新たにＭＰ又はＭＡＰが追加されることが可能なネットワークを構成することで、屋内の通信環境を改善することができる。これにより、データの伝送品質の向上、および、データの伝送速度の向上という効果が得られる。
【０７３６】
なお、上述の説明で、「屋内ネットワーク」と記載したが、屋内ゲートウェイ４５０２、ＭＰ＊１等及びＭＡＰ＃１等は屋外に設置されてもよい。つまり、屋内ゲートウェイ４５０２、ＭＰ＊１等及びＭＡＰ＃１等の設置場所は屋内に限ったものではない。
【０７３７】
また、ＭＰ＊１等は、中継機能（データ転送機能）を有しているが、ＭＰ＊１等が端末と通信を行うためのアクセスポイントの機能を有していてもよい。同様に、屋内ゲートウェイ４５０２が、端末と通信を行うためのアクセスポイントの機能を有していてもよい。
【０７３８】
また、屋内ゲートウェイ４５０２、ＭＰ＊１等及びＭＡＰ＃１等が、カメラ又はセンサなどのデータを発生する装置を具備していてもよい。また、屋内ゲートウェイ４５０２、ＭＰ＊１等及びＭＡＰ＃１等が、カメラ又はセンサなどのデータを発生する装置と接続するインタフェースを具備しており、これらの装置が発生させたデータを、端末や屋内ゲートウェイ４５０２に伝送するために、本実施の形態で説明した中継機能（データ転送機能）を使用してもよい。
【０７３９】
（補足Ａ１）
図４５において、屋内ゲートウェイ４５０２は、受電部４５０２ｃによりＡＣ（Alternating Current）電源またはＤＣ（Direct Current）電源から例えば有線により電力を受ける。これにより、屋内ゲートウェイ４５０２に、より安定した電力が供給されるという効果を得ることができる。
【０７４０】
一方で、屋外ゲートウェイ４５０１は、ＡＣ電源またはＤＣ電源から有線により電力を受ける受電部を具備せず、図面に示したように、無線給電により電力の供給を屋内ゲートウェイ４５０２から受ける構成が考えられる。より具体的には、屋内ゲートウェイ４５０２の無線給電部４５０２ｄから、屋外ゲートウェイ４５０１の無線受電部４５０１ｃに無線で給電（送電）がなされる。このような構成とすると、降雨又は降雪などによる「ＡＣ電源またはＤＣ電源から有線により電力を受ける受電部」における短絡の可能性を低くすることができ、これにより、防水、防滴が容易になるという効果を得ることができる。
【０７４１】
図４５、図４６又は図４７における屋内ゲートウェイ４５０２および屋外ゲートウェイ４５０１、図４６におけるＷｉ−Ｆｉ  ＡＰおよび中継器、図４７におけるＭＰおよびＭＡＰは、一つの周波数帯における無線通信機能を具備していてもよいし、二つ以上の周波数帯における無線通信機能を具備していてもよい。
【０７４２】
ここで、「一つの周波数帯における無線通信機能を具備している」とは、例えば、「６０ＧＨｚ帯の無線通信機能のみ具備している」ことであってもよい。
【０７４３】
また、「二つ以上の周波数帯における無線通信機能を具備している」とは、例えば、「２．４ＧＨｚ帯の無線通信機能、および、６０ＧＨｚ帯の無線通信機能を具備している」ことであってもよいし、「５ＧＨｚ帯の無線通信機能、および、６０ＧＨｚ帯の無線通信機能を具備している」ことであってもよいし、「２．４ＧＨｚ帯の無線通信機能、および、５ＧＨｚ帯の無線通信機能、および、６０ＧＨｚ帯の無線通信機能を具備している」ことであってもよい。
【０７４４】
なお、「二つ以上の周波数帯における無線通信機能を具備している」ことは上記に限られない。例えば、「Ａ（Ｈｚ：ヘルツ）の周波数帯の無線通信機能、および、Ｂ（Ｈｚ）の周波数帯の無線通信機能を具備している。ただし、Ａは０以上の実数であり、Ｂは０以上の実数であり、Ａ≠Ｂが成立する」ことであってもよい。
【０７４５】
また、これとは別に、「Ａ（Ｈｚ）の周波数帯の無線通信機能、および、Ｂ（Ｈｚ）の周波数帯の無線通信機能、および、Ｃ（Ｈｚ）の周波数帯の無線通信機能を具備している。ただし、Ａは０以上の実数であり、Ｂは０以上の実数であり、Ｃは０以上の実数であり、Ａ≠Ｂ、および、Ａ≠Ｃ、および、Ｂ≠Ｃが成立する」ことであってもよい。
【０７４６】
図４５、図４６又は図４７における屋内ゲートウェイ４５０２および屋外ゲートウェイ４５０１、図４６におけるＷｉ−Ｆｉ  ＡＰおよび中継器、図４７におけるＭＰおよびＭＡＰは、光通信機能を具備していてもよく、光通信による本明細書で説明したメッシュネットワーク（マルチホップネットワーク）を構成し、フレームの中継をすることができる。この方法でも、上記で説明した効果と同様の効果を得ることができる。
【０７４７】
また、図４５の屋内ゲートウェイ４５０２と屋外ゲートウェイ４５０１との間に、ガラス窓のような光を透過する物体（例えば、ガラス板）が存在しているとき、屋内ゲートウェイ４５０２と屋外ゲートウェイ４５０１との通信に光通信を利用することができる。
【０７４８】
例えば、屋外ゲートウェイ４５０１を用いて形成されるＷＴＴＨネットワークは、電波による無線通信で形成され、屋内ゲートウェイ４５０２を用いて形成される屋内ネットワーク４５０４も電波による無線通信で形成されるものとする。このとき、屋内ゲートウェイ４５０２と屋外ゲートウェイ４５０１との通信は、光通信であってもよいし、電波による無線通信であってもよいし、光通信と電波による無線通信とを通信状況などによって切り替える通信であってもよい。また、光通信と電波による無線通信とを、屋内ゲートウェイと屋外ゲートウェイとの間の素材により切り替える通信であってもよい。
【０７４９】
（実施の形態Ａ２）
図５９は、図４７におけるノード（つまり、屋内ゲートウェイ４５０２、ＭＰ＊１等、及び、ＭＡＰ＃１等）の構成の一例を示している。図５９に示される構成は、ノードが有する機能のうちフレームの送受信に関する機能を示すものである。
【０７５０】
第１の送受信装置１５０５は、Ａ（Ｈｚ）の周波数帯の第１の無線通信方式のための送受信装置である。第２の送受信装置１５１４は、Ｂ（Ｈｚ）の周波数帯の第２の無線通信方式のための送受信装置である。ここで、Ａは０以上の実数、Ｂは０以上の実数、Ａ＞Ｂであるものとする。例えば、第１の無線通信方式は６０ＧＨｚ（Ａ＝６０Ｇ）の周波数帯を使用しており、第２の無線通信方式は２．４ＧＨｚ（Ｂ＝２．４Ｇ）の周波数帯を使用しているものとする。
【０７５１】
なお、図５９では、２つの周波数帯を使用しているノードの構成の例を示しているが、ノードが３つ以上の周波数帯を使用していてもよい。この場合、ノードは、３つ以上の周波数帯での通信に必要な送受信装置を備える。
【０７５２】
第１の送受信装置１５０５は、アンテナ１５０１で受信した受信信号１５０２を入力とし、復調、誤り訂正復号などの処理を行い、受信データ１５０６を出力する。なお、受信信号１５０２は、Ａ（Ｈｚ）の周波数帯の第１の無線通信方式の信号である。
【０７５３】
また、第１の送受信装置１５０５は、受信信号１５０２を入力とし、通信環境の推定を行い、受信状態信号１５９９を出力する。
【０７５４】
第１の送受信装置１５０５は、送信データ１５０７を入力とし、誤り訂正符号化、マッピング、周波数変換などの処理を行い、送信信号１５０４を生成し、出力する。そして、アンテナ１５０３は、送信信号１５０４を電波として出力する。なお、送信信号１５０４は、Ａ（Ｈｚ）の周波数帯の第１の無線通信方式の信号である。
【０７５５】
共有情報生成部１５０８は、受信データ１５０６、および、受信状態信号１５９９を入力とし、共有するための情報１５０９を生成し、出力する。なお、この点については後で説明を行う。
【０７５６】
第２の送受信装置１５１４は、アンテナ１５１０で受信した受信信号１５１１を入力とし、復調、誤り訂正復号などの処理を行い、受信データ１５１５を出力する。なお、受信信号１５１１は、Ｂ（Ｈｚ）の周波数帯の第２の無線通信方式の信号である。
【０７５７】
第２の送受信装置１５１４は、送信データ１５１６、共有するための情報１５０９を入力とし、誤り訂正符号化、マッピング、周波数変換などの処理を行い、送信信号１５１３を生成し、出力する。そして、アンテナ１５１２は、送信信号１５１３を電波として出力する。なお、送信信号１５１３は、Ｂ（Ｈｚ）の周波数帯の第２の無線通信方式の信号である。
【０７５８】
図６０は、図４７におけるＭＰ＊３とＭＰ＊４との通信の例を示している。なお、ＭＰ＊３とＭＰ＊４とは、図５９に示される構成を有する装置であるものとする。
【０７５９】
図６０において、グラフ１６５１は、ＭＰ＊３の第１の送受信装置１５０５の通信の流れを示している。グラフ１６５２は、ＭＰ＊３の第２の送受信装置１５１４の通信の流れを示している。グラフ１６６１は、ＭＰ＊４の第１の送受信装置１５０５の通信の流れを示している。グラフ１６６２は、ＭＰ＊４の第２の送受信装置１５１４の通信の流れを示している。なお、グラフ１６５１、１６５２、１６６１及び１６６２において、横軸は時間である。
【０７６０】
図６０に示すように、まず、ＭＰ＊３の第１の送受信装置１５０５は、フレーム１６０１を送信する。なお、フレーム１６０１の構成の一例については、図４８に示したとおりである。また、フレーム１６０１は、「Ａ（Ｈｚ）の周波数帯の第１の無線通信方式」のフレームである。
【０７６１】
そして、例えば、ＭＰ＊４の第１の送受信装置１５０５は、フレーム１６０１を受信する。フレーム１６０１を受信後、ＭＰ＊４の第１の送受信装置１５０５は、ＭＰ＊３の第１の送受信装置１５０５が変調信号を送信したときの受信状態の推定を行う。また、ＭＰ＊４の第１の送受信装置１５０５は、装置識別情報シンボルから装置識別情報を得ることによって、変調信号を送信したのがＭＰ＊３であることを知ることになる。
【０７６２】
すると、ＭＰ＊４の第２の送受信装置１５１４は、フレーム１６０２を送信する。なお、フレーム１６０２は「Ｂ（Ｈｚ）の周波数帯の第２の無線通信方式」のフレームである。
【０７６３】
フレーム１６０２の構成の例を図６１に示す。なお、横軸は時間とする。例えば、フレーム１６０２は、プリアンブル、制御情報シンボル、及び、データシンボルを備えて構成されるものとする。
【０７６４】
図６１におけるプリアンブルは、通信相手が、例えば、時間同期及び周波数同期などを行うシンボルである。（信号検出を行ってもよい。）なお、ここでの説明では、通信相手は、１つ以上、または、２つ以上の装置であるものとする。ここで、装置は、屋内ゲートウェイ４５０２、ＭＰ＃１等、ＭＡＰ＊１等である。
【０７６５】
図６１における制御情報シンボルには、送信方法情報シンボルが含まれている。送信方法情報シンボルは、「フレーム１６０２がブロードキャスト（マルチキャスト）用のフレームであるか、又は、ユニキャスト用のフレームであるか」を示す情報を含んでいる。なお、フレーム１６０２は、ブロードキャスト（マルチキャスト）用のフレームである。また、データシンボルを生成するために使用した、誤り訂正符号の方法・変調方式の情報、送信するストリーム数などの送信方法に関する情報を含んでいてもよい。
【０７６６】
図６１におけるデータシンボルには、共有するための情報シンボルが含まれている。図６０のような通信を行っている場合、共有するための情報シンボルは、「ＭＰ＊３の第１の送受信装置１５０５が変調信号を送信したときの受信状態の推定」情報、および、「変調信号を送信したのがＭＰ＊３であること」の情報が含まれているものとする。
【０７６７】
そして、ＭＰ＊４の第２の送受信装置１５１４が送信したフレーム１６０２を、１つ以上、または、２つ以上の装置が受信し、これらの装置は、「ＭＰ＊３の第１の送受信装置１５０５が変調信号を送信したときの受信状態の推定」情報、および、「変調信号を送信したのがＭＰ＊３であること」の情報を得ることになる。なお、図４７では、フレーム１６０２を、屋内ゲートウェイ４５０２、ＭＰ＊１、ＭＰ＊２、ＭＰ＊３、ＭＰ＊５、ＭＰ＊６、ＭＰ＊７、ＭＰ＊８、ＭＡＰ＃１、ＭＡＰ＃２、ＭＡＰ＃３及びＭＡＰ＃４が受信することになる。
【０７６８】
これは、Ａ＞Ｂであることにより実現が容易となる。なぜなら、比較的低い周波数の電波の通信可能距離が、より長いからである。
【０７６９】
これにより、ＭＰ＊３とＭＰ＊４との通信状況を、１つ以上、または、２つ以上の装置が容易にもつことができるという効果を得ることができる。これにより、各ノードのメッシュネットワークの構成が容易にわかり、また、メッシュネットワークにおけるルートマップを用意に作成することができるという効果を得ることができる。
【０７７０】
なお、ここでの説明は、ＭＰ＊３とＭＰ＊４との通信状況の装置への共有方法について説明したが、「ＭＰ＊３とＭＰ＊４との通信状況」以外の装置間の通信状況の装置への共有についても、同様に実施することが可能である。
【０７７１】
また、例えば、第１の無線通信方式は６０ＧＨｚ（Ａ＝６０Ｇ）の周波数帯を使用しており、第２の無線通信方式は５ＧＨｚ（Ｂ＝５Ｇ）の周波数帯を使用しているとしてもよい。ただし、この例に限ったものではない。
【０７７２】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０７７３】
なお、共有するための情報シンボルが含む共有するための情報は、本実施の形態で説明した例に限ったものではない。例えば、メッシュネットワーク（マルチホップネットワーク）を構成する上で共有する必要がある情報を共有するための情報シンボルが含んでいるという構成が考えられる。
【０７７４】
（実施の形態Ａ３）
図６２は、図４７における屋内ゲートウェイ４５０２、ＭＰ＊１等及びＭＡＰ＃１等の構成の一例を示している。第１の送受信装置１５０５は、光通信のための第１の無線通信方式のための送受信装置であり、第２の送受信装置１５１４は、Ｂ（Ｈｚ）の周波数帯の第２の無線通信方式のための送受信装置であり、Ｂは０以上の実数であるものとする。なお、図６２では、２つの送受信装置を具備している例を示しているが、３つ以上の送受信装置を具備している構成であってもよい。
【０７７５】
第１の送受信装置１５０５は、受光部１８０１で受信した受信信号１５０２を入力とし、復調、誤り訂正復号などの処理を行い、受信データ１５０６を出力する。なお、受光部１８０１は、例えば、フォトダイオード、ＣＭＯＳ（Complementary Metal Oxide Semiconductor）イメージセンサー、有機ＣＭＯＳイメージセンサーなどで実現することができる。
【０７７６】
また、第１の送受信装置１５０５は、受信信号１５０２を入力とし、通信環境の推定を行い、受信状態信号１５９９を出力する。
【０７７７】
第１の送受信装置１５０５は、送信データ１５０７を入力とし、誤り訂正符号化、マッピング、周波数変換などの処理を行い、送信信号１５０４を生成し、出力する。そして、発光部１８０３は、送信信号１５０４を電波として出力する。なお、発光部１８０３は、例えば、ＬＥＤ（Light Emitting Diode）などで実現することができる。
【０７７８】
共有情報生成部１５０８は、受信データ１５０６、および、受信状態信号１５９９を入力とし、共有するための情報１５０９を生成し、出力する。なお、この点については後で説明を行う。
【０７７９】
第２の送受信装置１５１４は、アンテナ１５１０で受信した受信信号１５１１を入力とし、復調、誤り訂正復号などの処理を行い、受信データ１５１５を出力する。なお、受信信号１５１１は、Ｂ（Ｈｚ）の周波数帯の第２の無線通信方式の信号である。
【０７８０】
第２の送受信装置１５１４は、送信データ１５１６、共有するための情報１５０９を入力とし、誤り訂正符号化、マッピング、周波数変換などの処理を行い、送信信号１５１３を生成し、出力する。そして、アンテナ１５１２は、送信信号１５１３を電波として出力する。なお、送信信号１５１３は、Ｂ（Ｈｚ）の周波数帯の第２の無線通信方式の信号である。
【０７８１】
図６０は、図４７におけるＭＰ＊３とＭＰ＊４との通信の例を示している。なお、ＭＰ＊３とＭＰ＊４とは、図６２の構成の装置であるものとする。
【０７８２】
図６０において、グラフ１６５１は、ＭＰ＊３の第１の送受信装置１５０５の通信の流れを示している。グラフ１６５２は、ＭＰ＊３の第２の送受信装置１５１４の通信の流れを示している。グラフ１６６１は、ＭＰ＊４の第１の送受信装置１５０５の通信の流れを示している。グラフ１６６２は、ＭＰ＊４の第２の送受信装置１５１４の通信の流れを示している。なお、グラフ１６５１、１６５２、１６６１及び１６６２において、横軸は時間である。
【０７８３】
図６０に示すように、まず、ＭＰ＊３の第１の送受信装置１５０５は、フレーム１６０１を送信する。なお、フレーム１６０１の構成の一例については、図４８に示したとおりである。また、フレーム１６０１は、光通信方式のフレームである。
【０７８４】
そして、例えば、ＭＰ＊４の第１の送受信装置１５０５は、フレーム１６０１を受信する。フレーム１６０１を受信後、ＭＰ＊４の第１の送受信装置１５０５は、「ＭＰ＊３の第１の送受信装置１５０５が変調信号を送信したときの受信状態の推定」を行う。また、ＭＰ＊４の第１の送受信装置１５０５は、装置識別情報シンボルから装置識別情報を得ることによって、変調信号を送信したのがＭＰ＊３であることを知ることになる。
【０７８５】
すると、ＭＰ＊４の第２の送受信装置１５１４は、フレーム１６０２を送信する。なお、フレーム１６０２は「Ｂ（Ｈｚ）の周波数帯の第２の無線通信方式」のフレームとなる。
【０７８６】
フレーム１６０２の構成の例を図６１に示す。なお、横軸は時間とする。例えば、フレーム１６０２は、プリアンブル、制御情報シンボル、及び、データシンボルを備えて構成されるものとする。
【０７８７】
図６１におけるプリアンブルは、通信相手が時間同期及び周波数同期などを行うシンボルである。なお、ここでの説明では、通信相手は、１つ以上、または、２つ以上の装置であるものとする。このとき、装置は、屋内ゲートウェイ４５０２、ＭＰ＃１等、ＭＡＰ＊１等である。
【０７８８】
図６１における制御情報シンボルには、送信方法情報シンボルが含まれている。送信方法情報シンボルは、「フレーム１６０２がブロードキャスト（マルチキャスト）用のフレームであるか、又は、ユニキャスト用のフレームであるか」を示す情報を含んでいる。なお、フレーム１６０２は、ブロードキャスト（マルチキャスト）用のフレームである。また、データシンボルを生成するために使用した、誤り訂正符号の方法・変調方式の情報、送信するストリーム数などの送信方法に関する情報を含んでいてもよい。
【０７８９】
図６１におけるデータシンボルには、共有するための情報シンボルが含まれている。図６０のような通信を行っている場合、共有するための情報シンボルは、「ＭＰ＊３の第１の送受信装置１５０５が変調信号を送信したときの受信状態の推定」情報、および、「変調信号を送信したのがＭＰ＊３であること」の情報が含まれているものとする。
【０７９０】
そして、ＭＰ＊４の第２の送受信装置１５１４が送信したフレーム１６０２を、１つ以上、または、２つ以上の装置が受信し、これらの装置は、「ＭＰ＊３の第１の送受信装置１５０５が変調信号を送信したときの受信状態の推定」情報、および、「変調信号を送信したのがＭＰ＊３であること」の情報を得ることになる。なお、図４７では、フレーム１６０２を、屋内ゲートウェイ４５０２、ＭＰ＊１、ＭＰ＊２、ＭＰ＊３、ＭＰ＊５、ＭＰ＊６、ＭＰ＊７、ＭＰ＊８、ＭＡＰ＃１、ＭＡＰ＃２、ＭＡＰ＃３及びＭＡＰ＃４が受信することになる。
【０７９１】
このとき、「Ｂ（Ｈｚ）の周波数帯の第２の無線通信方式」を電波による無線通信方式とすると、実現が容易となる。なぜなら、光通信は、光の直進性を考慮すると、通信可能な範囲が限定的であるからである。
【０７９２】
これにより、ＭＰ＊３とＭＰ＊４との通信状況を、１つ以上、または、２つ以上の装置が容易にもつことができるという効果を得ることができる。これにより、各ノードのメッシュネットワークの構成が容易にわかり、また、メッシュネットワーク（マルチホップネットワーク）におけるルートマップを用意に作成することができるという効果を得ることができる。
【０７９３】
なお、ここでの説明は、ＭＰ＊３とＭＰ＊４との通信状況の装置への共有方法について説明したが、「ＭＰ＊３とＭＰ＊４との通信状況」以外の装置間の通信状況の装置への共有についても、同様に実施することが可能である。
【０７９４】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０７９５】
なお、共有するための情報シンボルが含む共有するための情報は、本実施の形態で説明した例に限ったものではない。例えば、メッシュネットワーク（マルチホップネットワーク）を構成する上で共有する必要がある情報を共有するための情報シンボルが含んでいるという構成が考えられる。
【０７９６】
（実施の形態Ａ４）
実施の形態Ａ２において、図５９は、図４７におけるノード（つまり、屋内ゲートウェイ４５０２、ＭＰ＊１等、及び、ＭＡＰ＃１等）の構成であり、第１の送受信装置１５０５は、Ａ（Ｈｚ）の周波数帯の第１の無線通信方式のための送受信装置であり、第２の送受信装置１５１４は、Ｂ（Ｈｚ）の周波数帯の第２の無線通信方式のための送受信装置であり、Ａは０以上の実数、Ｂは０以上の実数、Ａ＞Ｂであるものとした。
【０７９７】
このとき、第１の送受信装置１５０５の通信方式と、第２の送受信装置１５１４の通信方式とについて説明する。
【０７９８】
多重化方式として、例えば、時間分割多重（TDM：Time Division Multiplexing）、周波数分割多重（FDM：Frequency Division Multiplexing）、ＣＳＭＡ（Carrier Sense Multiple Access）、及び、ＣＳＭＡ／ＣＡ（Carrier Sense Multiple Access with Collision Avoidance）がある。
【０７９９】
図６３は、ＴＤＭを実施しているときの時間資源の割り当ての例を示している。なお、図６３において、横軸は時間である。
【０８００】
図６３に示すように、第１の時間では、第１の通信装置による変調信号の送信１９０１がなされている。第２の時間では、第２の通信装置による変調信号の送信１９０２がなされている。第３の時間では、第３の通信装置による変調信号の送信１９０３がなされている。第４の時間では、第１の通信装置による変調信号の送信１９０４がなされている。
【０８０１】
このように、時間スロットによって、変調信号（フレーム）の送信者が切り替えられることになる。特に、時間を変えることによって、複数の通信装置との通信を行う方式をＴＤＭＡ（Time Division Multiple Access）と呼ぶ。
【０８０２】
図６４は、ＦＤＭを実施しているときの周波数資源の割り当ての例を示している。なお、図６４において、横軸は周波数である。
【０８０３】
図６４に示すように、第１の周波数帯では、第１の通信装置による変調信号の送信２００１がなされている。第２の周波数帯では、第２の通信装置による変調信号の送信２００２がなされている。第３の時間では、第３の通信装置による変調信号の送信２００３がなされている。第４の時間では、第１の通信装置による変調信号の送信２００４がなされている。
【０８０４】
このように、周波数スロットによって、変調信号（フレーム）を切り替えることになる。特に、周波数を変えることによって、複数の通信装置との通信を行う方式をＦＤＭＡ（Frequency Division Multiple Access）と呼ぶ。
【０８０５】
図６５はＣＳＭＡを実施しているときの時間軸におけるフレームの例を示している。なお、図６５において、横軸は時間である。
【０８０６】
図６５に示すように、電波が存在していない区間があるものとする。第１の通信装置は、この電波が存在していない区間を確認し、変調信号の送信２１０１をする。
【０８０７】
このように、通信を開始しようとする通信装置が、通信を開始する前に、周囲の通信装置が電波を出していないかどうかを確認してから通信を開始することになる。特に、衝突回避機能を持つＣＳＭＡをＣＳＭＡ／ＣＡ（Carrier Sense Multiple Access with Collision Avoidance）と呼び、衝突を回避するために、周辺の通信装置が電波を出していれば、ある一定期間だけ待って、再び周囲が電波を出していなければあるランダムな時間後に電波を送信する方式である。
【０８０８】
実施の形態Ａ２において説明したように、ＭＰ＊４は、図５４に示されるフレーム１６０２を、複数の通信装置に対し送信している。このような場合、フレーム１６０２は、ＣＳＭＡ、または、ＣＳＭＡ／ＣＡのフレームであるとよい。なぜなら、フレーム１６０２が送信されるタイミングが一定周期でないこと、及び、フレーム１６０２がブロードキャスト（マルチキャスト）のフレームであることを考慮すると、ＣＳＭＡまたはＣＳＭＡ／ＣＡによりフレーム１６０２が送信されることで、複数の通信装置が的確にフレーム１６０２を受信することができるという効果を得ることができるからである。また、ＦＤＭ若しくはＦＤＭＡ、または、ＴＤＭ若しくはＴＤＭＡを制御するための通信装置が不要となるという効果を得ることができる。
【０８０９】
一方、メッシュネットワーク（マルチホップネットワーク）による通信は、ＦＤＭ若しくはＦＤＭＡ、ＴＤＭ若しくはＴＤＭＡ、ＣＳＭＡ、または、ＣＳＭＡ／ＣＡのいずれの方式であってもよい。メッシュネットワークによる通信において、ＦＤＭ若しくはＦＤＭＡ、または、ＴＤＭ若しくはＴＤＭＡを用いた場合、断続的にデータを伝送することができるという効果が得られる。例えば、変調信号を断続的に中継する場合に、これらの方式を使用することが好適である。
【０８１０】
メッシュネットワーク（マルチホップネットワーク）による通信において、ＣＳＭＡまたはＣＳＭＡ／ＣＡを用いた場合、各通信装置は、消費電力を低減することができるという効果を得ることができる。なぜなら、データ伝送が必要なときだけ、変調信号を送信すればよいからである。
【０８１１】
したがって、例えば、図４７のメッシュネットワークにおいて、第１の無線通信方式においてＦＤＭ若しくはＦＤＭＡ、または、ＴＤＭ若しくはＴＤＭＡを使用し、第２の無線通信方式において、ＣＳＭＡまたはＣＳＭＡ／ＣＡを使用するとする（つまり、フレーム１６０２をＣＳＭＡ、または、ＣＳＭＡ／ＣＡの方式で送信する）ことで、上記の効果を得ることができる。
【０８１２】
また、別の方法として、例えば、図４７のメッシュネットワークにおいて、第１の無線通信方式および第２の無線通信方式のいずれもＣＳＭＡ、または、ＣＳＭＡ／ＣＡとしてもよい。
【０８１３】
さらに、例えば、図４７のメッシュネットワーク（マルチホップネットワーク）において、第１の無線通信方式として「ＦＤＭ若しくはＦＤＭＡ、または、ＴＤＭ若しくはＴＤＭＡ」と「ＣＳＭＡ、または、ＣＳＭＡ／ＣＡ」とを通信状況、伝播環境又は通信形態などの状況によって、好適なほうを選択して使用し、第２の無線通信方式として、ＣＳＭＡ、または、ＣＳＭＡ／ＣＡを使用するとする（つまり、フレーム１６０２をＣＳＭＡ、または、ＣＳＭＡ／ＣＡの方式で送信する）ことで、上記の効果を得ることができる。特に、第１の無線通信方式において、「ＦＤＭ若しくはＦＤＭＡ、または、ＴＤＭ若しくはＴＤＭＡ」と「ＣＳＭＡ、または、ＣＳＭＡ／ＣＡ」を通信状況、伝播環境又は通信形態などの状況によって、好適なほうを選択して使用することで、通信環境に応じて、好適なメッシュネットワーク（マルチホップネットワーク）を構築することができるという効果を得ることができる。
【０８１４】
なお、図６０のフレーム１６０２の送信において、ＦＤＭ若しくはＦＤＭＡ、または、ＴＤＭ若しくはＴＤＭＡを制御するための通信装置が存在している場合、ＦＤＭ若しくはＦＤＭＡ、または、ＴＤＭ若しくはＴＤＭＡで送信してもよい。
【０８１５】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０８１６】
（実施の形態Ａ５）
実施の形態Ａ３のように、第１の無線通信方式を光通信方式とし、第２の無線通信方式をＢ（Ｈｚ）の周波数帯の電波を用いた通信方式としてもよい。
【０８１７】
このとき、図４７のメッシュネットワーク（マルチホップネットワーク）において、第２の無線通信方式において、ＣＳＭＡまたはＣＳＭＡ／ＣＡを使用するとする（つまり、フレーム１６０２をＣＳＭＡ、または、ＣＳＭＡ／ＣＡの方式で送信する）ことで、各通信装置は、消費電力を低減することができるという効果を得ることができる。
【０８１８】
なお、図６０のフレーム１６０２の送信において、ＦＤＭ若しくはＦＤＭＡ、または、ＴＤＭ若しくはＴＤＭＡを制御するための通信装置が存在している場合、ＦＤＭ若しくはＦＤＭＡ、または、ＴＤＭ若しくはＴＤＭＡで送信してもよい。
【０８１９】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０８２０】
（補足Ａ２）
本明細書において、特に、電波による無線通信を行う場合、変調信号を送信するアンテナは１本であってもよいし、２本以上であってもよい。同様に、変調信号を受信するアンテナは１本であってもよいし、２本以上あってもよい。そして、変調信号を送信するアンテナが２本以上存在する場合、複数の変調信号を複数のアンテナを用いて送信する、ＭＩＭＯ（Multiple-Input Multiple-Output）方式を適用してもよい。したがって、本明細書の各実施の形態において、ＭＩＭＯ方式を適用しても、同様に実施することができ、また、同様の効果を得ることができる。
【０８２１】
（実施の形態Ａ６）
本実施の形態では、本明細書で説明したネットワークを利用したアクセス制御方法について説明する。
【０８２２】
図６６はシステム構成を示している。図６６において、第１ネットワーク２２１３と第２ネットワーク２２１６の関係について、第１の方法、または、第２の方法であるものとする。
【０８２３】
第１の方法：
第１ネットワーク２２１３は、Ａ（Ｈｚ）の周波数帯の電波を用いたネットワークであるものとする。そして、第２ネットワーク２２１６は、Ｂ（Ｈｚ）の周波数帯の電波を用いたネットワークであるものとする。このとき、Ａ＞Ｂであるものとする。
【０８２４】
例えば、第１ネットワーク２２１３は６０ＧＨｚ（Ａ＝６０Ｇ）の周波数帯を用いたネットワークとし、第２ネットワーク２２１６は２．４ＧＨｚ（Ｂ＝２．４Ｇ）の周波数帯を用いたネットワークとする。また、第１ネットワークで用いる無線通信における最大データ伝送速度が第２ネットワークで用いる無線通信における最大データ伝送速度より大きいことを満たしていてもよい。
【０８２５】
なお、第１ネットワーク２２１３は、図４７、図５１、図５３、図５５、図５６、図５７などのメッシュネットワーク、マルチホップネットワークを構成している（ただし、第１ネットワーク２２１３は、メッシュネットワーク、マルチホップネットワークを構成していなくてもよい。）。
【０８２６】
第２ネットワーク２２１６は、「メッシュネットワーク、マルチホップネットワーク」の構成であってもよいし、「メッシュネットワーク、マルチホップネットワーク」でない構成であってもよい。
【０８２７】
第２の方法：
第１ネットワーク２２１３は、光通信を用いたネットワークであるものとする。そして、第２ネットワーク２２１６はＢ（Ｈｚ）の周波数帯の電波を用いたネットワークであるものとする。
【０８２８】
なお、第１ネットワーク２２１３は、図４７、図５１、図５３、図５５、図５６、図５７などのメッシュネットワーク、マルチホップネットワークを構成している（ただし、第１ネットワーク２２１３は、メッシュネットワーク、マルチホップネットワークを構成していなくてもよい。）。
【０８２９】
第２ネットワーク２２１６は、「メッシュネットワーク、マルチホップネットワーク」の構成であってもよいし、「メッシュネットワーク、マルチホップネットワーク」でない構成であってもよい。
【０８３０】
図６６において、装置２２０８は、第１ネットワーク２２１３介し、屋内ゲートウェイ２２１１と通信を行っている。また、装置２２０８は、第２ネットワーク２２１６を介し、屋内ゲートウェイ２２１１と通信を行っている。
【０８３１】
屋内ゲートウェイ２２１１は、屋外ゲートウェイ２２０９と通信を行っている。
【０８３２】
屋外ゲートウェイ２２０９は、２２０７のネットワーク＃Ａを介し、サーバー２２０５と通信を行っている。
【０８３３】
屋外ゲートウェイ２２０９は、２２０３のネットワーク＃Ｂを介して、端末２２０１と通信を行っている。
【０８３４】
サーバー２２０５は２２０３のネットワーク＃Ｂを開始、端末２２０１と通信を行っている。
【０８３５】
なお、図６６のシステムの詳細の動作については、後で説明する。
【０８３６】
図６７は、図６６のシステムと異なるシステム構成を示している。図６７が図６６と異なる点は、ゲートウェイを一つとしている点である。図６７において、第１ネットワーク２２１３と第２ネットワーク２２１６の関係について、第１の方法、または、第２の方法であるものとする。なお、第１の方法、第２の方法についてはすでに記載したとおりである。
【０８３７】
図６７において、装置２２０８は、第１ネットワーク２２１３介し、ゲートウェイ２３００と通信を行っている。また、装置２２０８は、第２ネットワーク２２１６を介し、ゲートウェイ２３００と通信を行っている。
【０８３８】
ゲートウェイ２３００は、２２０７のネットワーク＃Ａを介し、サーバー２２０５と通信を行っている。
【０８３９】
ゲートウェイ２３００は、２２０３のネットワーク＃Ｂを介して、端末２２０１と通信を行っている。
【０８４０】
サーバー２２０５は２２０３のネットワーク＃Ｂを開始、端末２２０１と通信を行っている。
【０８４１】
なお、図６７のシステムの詳細の動作については、後で説明する。
【０８４２】
図６８は、図６６、図６７における装置２２０８の構成の一例である。なお、図６８において、図１５と同様に動作するものについては、同一番号を付している。
【０８４３】
第１の送受信装置１５０５は、図６６、アンテナ（光通信の場合、受光部となる）１５０１が受信した図６７の２２１４＿１に相当する受信信号１５０２を入力とし、復調、誤り訂正符号の復号などの処理を行い、受信データ１５０６を出力する。
【０８４４】
第１の送受信装置１５０５は、送信データ１５０７を入力とし、誤り訂正符号化、マッピングなどの処理を行い、送信信号１５０４を出力し、送信信号１５０４は、アンテナ１５０３から電波として出力される（光通信の場合、送信信号１５０４は、照明部１５０３から照射される。）。
【０８４５】
なお、第１の送受信装置１５０５は、図６６、図６７における第１ネットワーク２２１３のための送受信装置である。
【０８４６】
第２の送受信装置１５１４は、アンテナ１５１０が受信した図６６、図６７の２２１７＿１に相当する受信信号１５１１を入力とし、復調、誤り訂正符号の復号などの処理を行い、受信データ１５１５を出力する。
【０８４７】
第２の送受信装置１５１４は、送信データ１５１６を入力とし、誤り訂正符号化、マッピングなどの処理を行い、送信信号１５１３を出力し、送信信号１５１３は、アンテナ１５１２から電波として出力される。したがって、送信信号１５１３は、図６６、図６７の２２１７＿２に相当する。
【０８４８】
したがって、第２の送受信装置１５１４は、図６６、図６７における第２ネットワーク２２１６のための送受信装置である。
【０８４９】
データ生成部２４０２は、受信データ１５０６、受信データ１５１５、情報２４０１を入力とし、情報２４０１に相当する送信データ１５０７、および／または、送信信号１５１６を出力する。
【０８５０】
図６９は、図６６、図６７における端末２２０１の構成の一例を示している。
【０８５１】
図６９の送受信装置２５０５は、アンテナ２５０１で受信した受信信号２５０２を入力とし、復調、誤り訂正符号の復号などの処理を行い、受信データ２５０６を出力する。このとき、受信信号２５０２は、図６６、図６７における２２０２＿２に相当する。
【０８５２】
また、送受信装置２５０５は、送信データ２５０７を入力とし、誤り訂正符号化、マッピングなどの処理を行い、送信信号２５０４を出力し、送信信号２５０４は、アンテナ２５０３から電波として出力される。このとき、送信信号２５０４は、図６６、図６７における２２０２＿１に相当する。
【０８５３】
データ生成部２５０８は、情報２５０９、受信データ２５０６を入力とし、情報２５０９に相当する送信データ２５０７を出力する。
【０８５４】
図７０は、図６６のシステム、図６７のシステムの動作例を示している。
【０８５５】
はじめに、図６６のシステムにおける図７０の動作について説明する。なお図７０において、縦軸は時間となる。
【０８５６】
図６８の構成を持つ図６６、図６７における装置２２０８の第２の送受信装置１５１４は、アクセス要求の情報を送信する（２６０１）。
【０８５７】
そして、屋内ゲートウェイ２２１１は、このアクセス要求の情報を、第２ネットワーク２２１６を介し、受信する（２６０２）。屋内ゲートウェイ２２１１は、アクセス要求に伴い、装置２２０８が接続するための時刻Ｍの第２アドレス（例えば、ＩＰ（Internet Protocol）アドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、屋内ゲートウェイ２２１１が行ってもよいし、または、屋外ゲートウェイ２２０９が行ってもよいし、または、他の装置が行ってもよい（時刻Ｍの第２アドレスは、第２ネットワーク２２１６を介して接続するためのアドレスである。）
そして、装置２２０８は、時刻Ｍの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｍの第２アドレスの情報を得る（２６０６）。
【０８５８】
図６８の構成を持つ図６６、図６７における装置２２０８の第２の送受信装置１５１４は、アクセス要求の情報を送信する（２６０７）。
【０８５９】
そして、屋内ゲートウェイ２２１１は、このアクセス要求の情報を、第２ネットワーク２２１６を介し、受信する（２６０８）。
【０８６０】
屋内ゲートウェイ２２１１は、アクセス要求に伴い、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得ることになる（２６０９）。ただし、時刻Ｎの第２アドレスの発行は、屋内ゲートウェイ２２１１が行ってもよいし、または、屋外ゲートウェイ２２０９が行ってもよいし、または、他の装置が行ってもよい（時刻Ｎの第２アドレスは、第２ネットワーク２２１６を介して接続するためのアドレスである。）。
【０８６１】
そして、装置２２０８は、時刻Ｎの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｎの第２アドレスの情報を得る（２６１１）。
【０８６２】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８６３】
次に、端末２２０１は、「第１ネットワーク経由での装置２２０８への接続の要求」をサーバー２２０５に対して行う。したがって、端末２２０１は、「第１ネットワーク経由での装置２２０８への接続の要求」情報を送信する（２６１２）。
【０８６４】
サーバー２２０５は、２２０３のネットワーク＃Ｂを介して、「第１ネットワーク経由での装置２２０８への接続の要求」情報を受信する（２６１３）。
【０８６５】
これに伴い、サーバー２２０５は、「第１ネットワーク経由での装置２２０８への接続の要求」の情報を送信する（２６１４）。
【０８６６】
装置２２０８は、「第１ネットワーク経由での装置２２０８への接続の要求」の情報を、２２０７のネットワーク＃Ａ、屋外ゲートウェイ２２０９、屋内ゲートウェイ２２１１、第２ネットワーク２２１６を介して受信することになる（２６１５）。なお、これは、「すでに、サーバー２２０５が、第２ネットワーク２２１６を介して装置２２０８にアクセスするための時刻Ｎの第２アドレスを入手済みである」ので可能となる。
【０８６７】
そして、装置２２０８は、「第１ネットワーク２２１３経由でのアクセス要求」を行う（２６１６）。したがって、装置２２０８は、「第１ネットワーク２２１３経由でのアクセス要求」の情報を送信する。
【０８６８】
屋内ゲートウェイ２２１１は、このアクセス要求の情報を第１ネットワークを介して、受信する（２６１７）。
【０８６９】
屋内ゲートウェイ２２１１は、アクセス要求に伴い、装置２２０８が接続するための時刻Ｘの第１アドレス（例えば、ＩＰアドレス）の情報を送信し（２６１８）、装置２２０８は、時刻Ｘの第１アドレスの情報を、第１ネットワーク２２１３を介して、受信し、時刻Ｘの第１アドレスの情報を得ることになる（２６１９）。ただし、時刻Ｘの第１アドレスの発行は、屋内ゲートウェイ２２１１が行ってもよいし、または、屋外ゲートウェイ２２０９が行ってもよいし、または、他の装置が行ってもよい（時刻Ｘの第１アドレスは、第１ネットワーク２２１６を介して接続するためのアドレスである。）。
【０８７０】
そして、装置２２０８は、時刻Ｘの第１アドレスの情報を送信する（２６２０）。そして、サーバー２２０５は、例えば、第１ネットワーク２２１３、屋内ゲートウェイ２２１１、屋外ゲートウェイ２２０９、２２０７のネットワーク＃Ａを介し、時刻Ｘの第１アドレスの情報を得る（２６２１）。
【０８７１】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８７２】
サーバー２２０５は、時刻Ｘの第１アドレスの情報を送信する（２６２２）。そして、端末２２０１は、２２０３のネットワーク＃Ｂを介し、時刻Ｘの第１アドレスの情報を得る（２６２３）。
【０８７３】
そして、端末は、時刻Ｘの第１アドレスの情報に基づいて、２２０３のネットワーク＃Ｂ、屋外ゲートウェイ２２０９、屋内ゲートウェイ２２１１、第１ネットワーク２２１３を介して、装置２２０８にアクセスすることになる（２６２５）。
【０８７４】
すると、装置２２０８はデータを送信し（２６２６）、端末２２０８は、例えば、第１ネットワーク２２１３、屋内ゲートウェイ２２１１、屋外ゲートウェイ２２０９、２２０３のネットワーク＃Ｂを介して、このデータを得ることになる（２６２７）。
【０８７５】
次に、図６７のシステムにおける図７０の動作について説明する。なお、図７０において、縦軸は時間となる。
【０８７６】
図６８の構成を持つ図６６、図６７における装置２２０８の第２の送受信装置１５１４は、アクセス要求の情報を送信する（２６０１）。
【０８７７】
そして、ゲートウェイ２３００は、このアクセス要求の情報を、第２ネットワーク２２１６を介し、受信する（２６０２）。ゲートウェイ２３００は、アクセス要求に伴い、装置２２０８が接続するための時刻Ｍの第２アドレス（例えば、ＩＰ（Internet Protocol）アドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、他の装置が行ってもよい（時刻Ｍの第２アドレスは、第２ネットワーク２２１６を介して接続するためのアドレスである。）。
【０８７８】
そして、装置２２０８は、時刻Ｍの第２アドレスの情報を送信する。そして、サーバー２２０５は、例えば、第２ネットワーク２２１６、ゲートウェイ２３００、２２０７のネットワーク＃Ａを介し、時刻Ｍの第２アドレスの情報を得る（２６０６）。
【０８７９】
図６８の構成を持つ図６６、図６７における装置２２０８の第２の送受信装置１５１４は、アクセス要求の情報を送信する（２６０７）。
【０８８０】
そして、屋内ゲートウェイ２２１１は、このアクセス要求の情報を、第２ネットワーク２２１６を介し、受信する（２６０８）。
【０８８１】
ゲートウェイ２３００は、アクセス要求に伴い、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得ることになる（２６０９）。ただし、時刻Ｎの第２アドレスの発行は、他の装置が行ってもよい（時刻Ｎの第２アドレスは、第２ネットワーク２２１６を介して接続するためのアドレスである。）。
【０８８２】
そして、装置２２０８は、時刻Ｎの第２アドレスの情報を送信する。そして、サーバー２２０５は、例えば、第２ネットワーク２２１６、ゲートウェイ２３００、２２０７のネットワーク＃Ａを介し、時刻Ｎの第２アドレスの情報を得る（２６１１）。
【０８８３】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８８４】
次に、端末２２０１は、「第１ネットワーク経由での装置２２０８への接続の要求」をサーバー２２０５に対して行う。したがって、端末２２０１は、「第１ネットワーク経由での装置２２０８への接続の要求」情報を送信する（２６１２）。
【０８８５】
サーバー２２０５は、２２０３のネットワーク＃Ｂを介して、「第１ネットワーク経由での装置２２０８への接続の要求」情報を受信する（２６１３）。
【０８８６】
これに伴い、サーバー２２０５は、「第１ネットワーク経由での装置２２０８への接続の要求」の情報を送信する（２６１４）。
【０８８７】
装置２２０８は、「第１ネットワーク経由での装置２２０８への接続の要求」の情報を、２２０７のネットワーク＃Ａ、ゲートウェイ２３００、第２ネットワーク２２１６を介して受信することになる（２６１５）。なお、これは、「すでに、サーバー２２０５が、第２ネットワーク２２１６を介して装置２２０８にアクセスするための時刻Ｎの第２アドレスを入手済みである」ので可能となる。
【０８８８】
そして、装置２２０８は、「第１ネットワーク２２１３経由でのアクセス要求」を行う（２６１６）。したがって、装置２２０８は、「第１ネットワーク２２１３経由でのアクセス要求」の情報を送信する。
【０８８９】
ゲートウェイ２３００は、このアクセス要求の情報を第１ネットワークを介して、受信する（２６１７）。
【０８９０】
ゲートウェイ２３００は、アクセス要求に伴い、装置２２０８が接続するための時刻Ｘの第１アドレス（例えば、ＩＰアドレス）の情報を送信し（２６１８）、装置２２０８は、時刻Ｘの第１アドレスの情報を、第１ネットワーク２２１３を介して、受信し、時刻Ｘの第１アドレスの情報を得ることになる（２６１９）。ただし、時刻Ｘの第１アドレスの発行は、他の装置が行ってもよい（時刻Ｘの第１アドレスは、第１ネットワーク２２１６を介して接続するためのアドレスである。）。
【０８９１】
そして、装置２２０８は、時刻Ｘの第１アドレスの情報を送信する（２６２０）。そして、サーバー２２０５は、例えば、第１ネットワーク２２１３、ゲートウェイ２３００、２２０７のネットワーク＃Ａを介し、時刻Ｘの第１アドレスの情報を得る（２６２１）。
【０８９２】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８９３】
サーバー２２０５は、時刻Ｘの第１アドレスの情報を送信する（２６２２）。そして、端末２２０１は、２２０３のネットワーク＃Ｂを介し、時刻Ｘの第１アドレスの情報を得る（２６２３）。
【０８９４】
そして、端末は、時刻Ｘの第１アドレスの情報に基づいて、２２０３のネットワーク＃Ｂ、ゲートウェイ２３００、第１ネットワーク２２１３を介して、装置２２０８にアクセスすることになる（２６２５）。
【０８９５】
すると、装置２２０８はデータを送信し（２６２６）、端末２２０８は、例えば、第１ネットワーク２２１３、ゲートウェイ２３００、２２０３のネットワーク＃Ｂを介して、このデータを得ることになる（２６２７）。
【０８９６】
図７１は、図６６のシステム、図６７のシステムの動作例を示している。
【０８９７】
図６６のシステムにおける図７１の動作について説明する。なお図７１において、縦軸は時間となる。また、図７１において、図７０と動作が同じとなるものについては、同一番号を付している。したがって、図７１において、図７０と動作の異なる点について説明する。図７１において、図７０と異なる点は、２６０１から２６１１の部分となる。
【０８９８】
図６８の構成を持つ図６６、図６７における装置２２０８の第２の送受信装置１５１４は、アクセス要求の情報を送信する（２６０１）。
【０８９９】
そして、屋内ゲートウェイ２２１１は、このアクセス要求の情報を、第２ネットワーク２２１６を介し、受信する（２６０２）。屋内ゲートウェイ２２１１は、アクセス要求に伴い、装置２２０８が接続するための時刻Ｍの第２アドレス（例えば、ＩＰアドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、屋内ゲートウェイ２２１１が行ってもよいし、または、屋外ゲートウェイ２２０９が行ってもよいし、または、他の装置が行ってもよい（時刻Ｍの第２アドレスは、第２ネットワーク２２１６を介して接続するためのアドレスである。）。
【０９００】
そして、装置２２０８は、時刻Ｍの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｍの第２アドレスの情報を得る（２６０６）。
【０９０１】
そして、屋内ゲートウェイ２２１１は、定期的、または、不定期的に第２アドレスを装置２２０８に提供することになる。
【０９０２】
屋内ゲートウェイ２２１１は、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得ることになる（２６０９）。ただし、時刻Ｎの第２アドレスの発行は、屋内ゲートウェイ２２１１が行ってもよいし、または、屋外ゲートウェイ２２０９が行ってもよいし、または、他の装置が行ってもよい（時刻Ｎの第２アドレスは、第２ネットワーク２２１６を介して接続するためのアドレスである。）。
【０９０３】
そして、装置２２０８は、時刻Ｎの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｎの第２アドレスの情報を得る（２６１１）。
【０９０４】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９０５】
以降の動作については、図７０を説明した際に説明を行っているため、説明を省略する。
【０９０６】
次に、図６７のシステムにおける図７１の動作について説明する。なお、図７１において、縦軸は時間となる。図７１において、図７０と動作が同じとものについては、同一番号を付している。したがって、図７１において、図７０と動作の異なる点について説明する。図７１において、図７０と異なる点は、２６０１から２６１１の部分となる。
【０９０７】
図６８の構成を持つ図６６、図６７における装置２２０８の第２の送受信装置１５１４は、アクセス要求の情報を送信する（２６０１）。
【０９０８】
そして、ゲートウェイ２３００は、このアクセス要求の情報を、第２ネットワーク２２１６を介し、受信する（２６０２）。ゲートウェイ２３００は、アクセス要求に伴い、装置２２０８が接続するための時刻Ｍの第２アドレス（例えば、ＩＰアドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、他の装置が行ってもよい（時刻Ｍの第２アドレスは、第２ネットワーク２２１６を介して接続するためのアドレスである。）。
【０９０９】
そして、装置２２０８は、時刻Ｍの第２アドレスの情報を送信する。そして、サーバー２２０５は、例えば、第２ネットワーク２２１６、ゲートウェイ２３００、２２０７のネットワーク＃Ａを介し、時刻Ｍの第２アドレスの情報を得る（２６０６）。
【０９１０】
そして、ゲートウェイ２３００は、定期的、または、不定期的に第２アドレスを装置２２０８に提供する。したがって、ゲートウェイ２３００は、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得る（２６０９）。ただし、時刻Ｎの第２アドレスの発行は、他の装置が行ってもよい（時刻Ｎの第２アドレスは、第２ネットワーク２２１６を介して接続するためのアドレスである。）。
【０９１１】
そして、装置２２０８は、時刻Ｎの第２アドレスの情報を送信する。そして、サーバー２２０５は、例えば、第２ネットワーク２２１６、ゲートウェイ２３００、２２０７のネットワーク＃Ａを介し、時刻Ｎの第２アドレスの情報を得る（２６１１）。
【０９１２】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９１３】
以降の動作については、図７０を説明した際に説明を行っているため、説明を省略する。
【０９１４】
図７０、図７１のような動作の利点について説明する。
【０９１５】
第１の方法を適用した場合、周波数の関係上、第１ネットワーク２２１３における無線通信の通信距離が短くなる可能性がある。また、これを克服するために、メッシュネットワーク、マルチホップネットワークが導入される可能性がある。これらの要因などにより、装置２２０８は、第２ネットワーク２２１６のほうを優先的に使用するほうが通信が安定する可能性がある。そして、装置２２０８は必要となるときに、第１ネットワークと接続することで、より安定的な通信を行うことが可能であり、これにより、端末２２０１の通信も安定するという効果を得ることができる。さらに、第１ネットワークにおいて、データ伝送速度のはやい無線通信を行うことができる可能性があり、この場合、高速なデータ伝送の恩恵を、通信装置２２０８、端末２２０１が得ることができる効果を得ることができる。
【０９１６】
第２の方法を適用した場合、第２ネットワークのほうが通信距離を長くすることができる可能性がある。また、このために、第１ネットワークにおいて、メッシュネットワーク、マルチホップネットワークが導入される可能性がある。これらの要因などにより、装置２２０８は、第２ネットワーク２２１６のほうを優先的に使用するほうが通信が安定する可能性がある。そして、装置２２０８は必要となるときに、第１ネットワークと接続することで、より安定的な通信を行うことが可能であり、これにより、端末２２０１の通信も安定するという効果を得ることができる。さらに、第１ネットワークにおいて、データ伝送速度のはやい無線通信を行うことができる可能性があり、この場合、高速なデータ伝送の恩恵を、通信装置２２０８、端末２２０１が得ることができる効果を得ることができる。
【０９１７】
図７０、図７１では、装置２２０８が、第１ネットワークを使用し、端末２２０１が第１ネットワークを利用してアクセスする場合について説明した。図７２、図７３では、装置２２０８が、第２ネットワークを使用し、端末２２０１が第２ネットワークを利用してアクセスする場合について説明する。
【０９１８】
図７２は、図６６のシステム、図６７のシステムの動作例を示している。
【０９１９】
まず、図６６のシステムにおける図７２の動作について説明する。なお、図７２において、縦軸は時間となる。図７２において、図７０と動作が同じとなるものについては、同一番号を付している。したがって、図７２において、図７０、図７１と動作の異なる点について説明する。よって、２６０１から２６１１については説明を省略する。
【０９２０】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９２１】
サーバー２２０５は、２２０３のネットワーク＃Ｂを介して、「第２ネットワーク経由での装置２２０８への接続の要求」情報を受信する（２８０２）。
【０９２２】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９２３】
そして、端末は、時刻Ｎの第２アドレスの情報に基づいて、２２０３のネットワーク＃Ｂ、屋外ゲートウェイ２２０９、屋内ゲートウェイ２２１１、第２ネットワーク２２１６を介して、装置２２０８にアクセスすることになる（２８０６）。
【０９２４】
すると、装置２２０８はデータを送信し（２８０７）、端末２２０８は、例えば、第２ネットワーク２２１６、屋内ゲートウェイ２２１１、屋外ゲートウェイ２２０９、２２０３のネットワーク＃Ｂを介して、このデータを得ることになる（２８０８）。
【０９２５】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９２６】
次に、図６７のシステムにおける図７２の動作について説明する。なお、図７２において、縦軸は時間となる。図７２において、図７０と動作が同じとなるものについては、同一番号を付している。したがって、図７２において、図７０、図７１と動作の異なる点について説明する。よって、２６０１から２６１１については説明を省略する。
【０９２７】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９２８】
サーバー２２０５は、２２０３のネットワーク＃Ｂを介して、「第２ネットワーク経由での装置２２０８への接続の要求」情報を受信する（２８０２）。
【０９２９】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９３０】
そして、端末は、時刻Ｎの第２アドレスの情報に基づいて、２２０３のネットワーク＃Ｂ、ゲートウェイ２３００、第２ネットワーク２２１６を介して、装置２２０８にアクセスすることになる（２８０６）。
【０９３１】
すると、装置２２０８はデータを送信し（２８０７）、端末２２０８は、例えば、第２ネットワーク２２１３、ゲートウェイ２３００、２２０３のネットワーク＃Ｂを介して、このデータを得ることになる（２８０８）。
【０９３２】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９３３】
次に、図７３の動作について説明する。図７３は、図６６のシステム、図６７のシステムの動作例を示している。
【０９３４】
まず、図６６のシステムにおける図７３の動作について説明する。なお、図７３において、縦軸は時間となる。図７３において、図７０と動作が同じとなるものについては、同一番号を付している。したがって、図７３において、図７０、図７１と動作の異なる点について説明する。よって、２６０１から２６１１については、説明を省略する。
【０９３５】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９３６】
サーバー２２０５は、２２０３のネットワーク＃Ｂを介して、「第２ネットワーク経由での装置２２０８への接続の要求」情報を受信する（２８０２）。
【０９３７】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９３８】
そして、端末は、時刻Ｎの第２アドレスの情報に基づいて、２２０３のネットワーク＃Ｂ、屋外ゲートウェイ２２０９、屋内ゲートウェイ２２１１、第２ネットワーク２２１６を介して、装置２２０８にアクセスすることになる（２８０６）。
【０９３９】
すると、装置２２０８はデータを送信し（２８０７）、端末２２０８は、例えば、第２ネットワーク２２１６、屋内ゲートウェイ２２１１、屋外ゲートウェイ２２０９、２２０３のネットワーク＃Ｂを介して、このデータを得ることになる（２８０８）。
【０９４０】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９４１】
次に、図６７のシステムにおける図７３の動作について説明する。なお、図７３において、縦軸は時間となる。図７３において、図７０と動作が同じとなるものについては、同一番号を付している。したがって、図７３において、図７０、図７１と動作の異なる点について説明する。よって、２６０１から２６１１については説明を省略する。
【０９４２】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９４３】
サーバー２２０５は、２２０３のネットワーク＃Ｂを介して、「第２ネットワーク経由での装置２２０８への接続の要求」情報を受信する（２８０２）。
【０９４４】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９４５】
そして、端末は、時刻Ｎの第２アドレスの情報に基づいて、２２０３のネットワーク＃Ｂ、ゲートウェイ２３００、第２ネットワーク２２１６を介して、装置２２０８にアクセスすることになる（２８０６）。
【０９４６】
すると、装置２２０８はデータを送信し（２８０７）、端末２２０８は、例えば、第２ネットワーク２２１３、ゲートウェイ２３００、２２０３のネットワーク＃Ｂを介して、このデータを得ることになる（２８０８）。
【０９４７】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９４８】
図７２、図７３のように動作させることで、通信の安定した第２ネットワークを用いて、装置２２０８を行うことになるという効果を得ることができる。
【０９４９】
なお、「図６６、または、図６７のシステムが、システムの状況により、「図７０または図７１の動作」と「図７２または図７３の動作」」を切り替えてもよい。
【０９５０】
つまり、端末２２０１が、装置２２０８からデータを受けることになるが、「図７０または図７１のように、端末２２０１が、第１ネットワーク経由で、データを受信する場合」と「図７２または図７３のように、端末２２０１が、第２ネットワーク経由で、データを受信する場合」をシステムの状況により切り替えてもよい。
【０９５１】
例としては、端末２２０１が、「図７０または図７１の２６１２のように第１ネットワーク経由での装置２２０８への接続要求する」場合と、「図７２または図７３の２８０１のように第２ネットワーク経由での装置２２０８への接続要求」を状況によって切り替えることで、実現することができる。
【０９５２】
また、サーバー２２０５がアドレスを提供する際に、状況により、第１アドレスの提供と第２アドレスの提供を切り替えて、端末２２０１に提供することでも実現することができる。
【０９５３】
このように実施することで、通信品質の向上とデータ伝送速度の向上の両立を図ることができるという効果を得ることができる。
【０９５４】
（補足Ａ３）
本明細書において、端末の送受信に関連する処理に関するアプリケーションが、例えば、サーバーなどが提供し、端末は、このアプリケーションをインストールをすることで、本明細書で記載した送受信に関連する処理、または、処理の一部を実現してもよい。なお、アプリケーションは、端末がネットワークを介しサーバーと接続することによって、端末に提供されてもよいし、アプリケーションは、端末が具備する別の通信機能、または、端末が接続している他の通信機能がネットワークを介しサーバーと接続することによって、端末に提供されてもよい。
【０９５５】
本明細書において、「メッシュネットワーク」、「マルチホップネットワーク」と呼んでいるが他の呼び方をしてもよい。なお、メッシュネットワークは、端末同士が直接接続し、送信されたデータが複数の端末を順に経由することにより所望の宛先に送付されるようなマルチホップのネットワークと考えることができる。また、メッシュネットワークに関する実施の形態をマルチホップネットワークとして実施しても同様に実施することができる。
【０９５６】
（実施の形態Ａ７）
本実施の形態では、実施の形態Ａ６における図６６、図６７の端末２２０１、装置２２０８、サーバー２２０５の動作について説明する。
【０９５７】
はじめに、図６６、図６７における装置２２０８の動作について説明する。装置２２０８の構成は図６８に示したとおりである。
【０９５８】
図７４は、図７０から図７３において、装置２２０８が第２ネットワークを経由して第２のアドレスを得る（例えば、２６０４、２６０９）際の装置２２０８の送信情報、受信情報の様子を示している。
【０９５９】
図７４において、３００１は図６８の第１の送受信装置１５０５の送信信号１５０４の様子を示しており、３００２は図６８の第１の送受信装置１５０５の受信信号１５０２の様子を示している。なお、いずれも横軸は時間である。
【０９６０】
そして、３００３は図６８の第２の送受信装置１５１４の送信信号１５１３の様子を示しており、３００４は図６８の第２の送受信装置１５１４の受信信号１５１１の様子を示している。なお、いずれも横軸は時間である。
【０９６１】
図７４に示すように、図６８の第２の送受信装置１５１４は、第２ネットワーク２２１６を介し、屋内ゲートウェイ２２１１、または、ゲートウェイ２３００に対し、アクセス要求３０１１の情報を含む送信信号１５１３を送信する。したがって、このとき、図６８のデータ生成部２４０２は、情報２４０１に基づき、アクセス要求の情報を送信データ１５１６として出力する。そして、第２の送受信装置１５１４は、アクセス要求の情報を含む送信データ１５１６を入力とし、誤り訂正符号化、マッピングなどの処理を行い、送信信号１５１３を出力し、送信信号１５１３はアンテナから電波として出力する。
【０９６２】
図６６の屋内ゲートウェイ２２１１、または、図６７のゲートウェイ２３００は、図７４のアクセス要求３０１１の情報を含む変調信号を受信することになる。そして、図６６の屋内ゲートウェイ２２１１、または、図６７のゲートウェイ２３００は、アクセス要求３０１１の情報を受け、第２ネットワーク２２１６を介して接続するための第２アドレス情報を含む変調信号を送信する。したがって、図７４の３００４に示すように、図６８の第２の送受信装置１５１４は、第２アドレズの情報３０１２を含む信号を受信することになる。
【０９６３】
このときの、「図６６の屋内ゲートウェイ２２１１、または、図６７のゲートウェイ２３００」、および、「装置２２０８」の動作を説明する。
【０９６４】
図７７は、「図６６の屋内ゲートウェイ２２１１、図６７のゲートウェイ２３００」の構成の一例を示している。なお、図７７において、図１５、図６８と同様に動作するものについては、同一番号を付しており、説明を省略する。なお、１５０１、１５０３をアンテナとしているが、他の実施の形態で説明したように、光通信を用いている場合、１５０１は受光部となり、アンテナ１５０３は発光部となる。
【０９６５】
図７７において、第３の送受信装置３３０３は、図６６において、屋外ゲートウェイ２２０９と通信を行うための送受信装置である。
【０９６６】
そして、第３の送受信装置３３０３は、図６７の２２０７のネットワーク＃Ａを介し、サーバー２２０５と通信を行う送受信装置であり、また、第３の送受信装置３３０３は２２０３のネットワーク＃Ｂを介して、サーバ２２０５、端末２２０１などと通信を行う送受信装置である。
【０９６７】
第３の送受信装置３３０３は、受信信号３３０１を入力とし、復調、誤り訂正符号の復号などの処理を行い、受信データ３３０４を出力する。また、第３の送受信装置３３０３は、送信データ３３０５を入力とし、誤り訂正符号化、マッピングなどの処理を行い、送信信号３３０２を出力する。
【０９６８】
図７７において、図７４のように、装置２２０８が送信した「アクセス要求３０１１」の情報を含む変調信号（受信信号１５１１）をアンテナ１５１０で受信し、第２の送受信装置１５１４は、受信信号１５１１を入力とし、復調、誤り訂正符号の復号などの処理を行い、「アクセス要求３０１１」の情報を含む受信データ１５１５を出力する。
【０９６９】
データ生成部２４０２は、「アクセス要求３０１１」の情報を含む受信データ１５１５を入力とし、第２アドレスを発行し、「第２アドレスの情報３０１２」を含む送信データ１５１６を出力する。
【０９７０】
そして、第２の送受信装置１５１４は、「第２アドレスの情報３０１２」を含む送信データ１５１６を入力とし、誤り訂正符号化、マッピングなどの処理を行い、送信信号１５１３を出力とし、送信信号１５１３はアンテナ１５１２から電波として出力される。
【０９７１】
これにより、図６６、図６７における装置２２０８は、第２アドレスの情報を得ることで、第２ネットワークを介した、屋内ゲートウェイ２２１１、または、ゲートウェイ２３００との通信が可能となる。
【０９７２】
ただし、第２アドレスを発行するのは、図６６の屋内ゲートウェイ２２１１、図６７のゲートウェイ２３００でなくてもよく、この場合、第２アドレスを発行した装置から、図６６の屋内ゲートウェイ２２１１、図６７のゲートウェイ２３００は、第２アドレスの情報を得て、例えば、上記の動作を行うことになる。
【０９７３】
図７５は、図７０、図７１において、装置２２０８が、例えば第２ネットワークを経由して第１のアドレスを得る（２６２３）際の装置２２０８の送信情報、受信情報の様子を示している。
【０９７４】
図３１において、３００１は図６８の第１の送受信装置１５０５の送信信号１５０４の様子を示しており、３００２は図６８の第１の送受信装置１５０５の受信信号１５０２の様子を示している。なお、いずれも横軸は時間である。
【０９７５】
そして、３００３は図６８の第２の送受信装置１５１４の送信信号１５１３の様子を示しており、３００４は図６８の第２の送受信装置１５１４の受信信号１５１１の様子を示している。なお、いずれも横軸は時間である。
【０９７６】
図７５に示すように、図６６の屋内ゲートウェイ２２１１、または、図６７のゲートウェイ２３００は、サーバ２２０５送信した「第１ネットワークへの接続要求３１１１」の情報を含む変調信号を、２２０７のネットワーク＃Ａを介し、受信する。なお、それ以前の過程については、図７０、図７１を用いて説明したとおりである。
【０９７７】
したがって、図６８の装置２２０８の第２の送受信装置１５１４は、サーバが送信した「第１ネットワークへの接続要求３１１１」の情報を含む変調信号を受信することになる。したがって、第２の送受信装置１５１４は、アンテナ１５１０で受信した受信信号１５１１を入力とし、復調、誤り訂正符号の復号などの処理を行い、「第１ネットワークへの接続要求３１１１」の情報を含む受信データ１５１５を出力する。
【０９７８】
これに伴い、図７５に示すように、装置２２０８は、第１ネットワーク２２１３を介しての接続要求を、図６６の屋内ゲートウェイ２２１１、または、図６７のゲートウェイ２３００に対して行うことになる。
【０９７９】
したがって、図６８のデータ生成部２４０２は、「第１ネットワークへの接続要求３１１１」の情報を含む受信データ１５１５を入力とし、第１ネットワーク２２１３を介した接続を行うと判断する。そして、データ生成部２４０２は、第１ネットワーク２２１３を介した「アクセス要求３１１２」の情報を含む送信データ１５０７を出力する。
【０９８０】
図６８の装置２２０８の第１の送受信装置１５０５は、「アクセス要求３１１２」の情報を含む送信データ１５０７を入力とし、誤り訂正符号化、マッピングなどの処理を行い、送信信号１５０４を生成、出力し、送信信号１５０４はアンテナ（または、発光部）１５０３から出力される。
【０９８１】
これに伴い、図６６の屋内ゲートウェイ２２１１、または、図６７のゲートウェイ２３００は、装置２２０８が送信した変調信号を受信し、装置２２０８が第１ネットワーク２２１３を介して通信を行うための「第１アドレス情報３１１３」を含む変調信号を送信する。
【０９８２】
したがって、図７７の、「図６６の屋内ゲートウェイ２２１１、または、図６７のゲートウェイ２３００」は、装置２２０８が送信した「アクセス要求３１１２」の情報を含む変調信号をアンテナ（または、受光部）１５０１で受信する。よって、第１の送受信装置１５０５は、アンテナ（または、受光部）１５０１で受信した受信信号１５０２を入力とし、復調、誤り訂正符号の復号などの処理を行い、「アクセス要求３１１２」情報を含む受信データ１５０６を出力する。
【０９８３】
すると、図７７の、「図６６の屋内ゲートウェイ２２１１、または、図６７のゲートウェイ２３００」のデータ生成部２４０２は、「アクセス要求３１１２」情報を含む受信データ１５０６を入力とし、第１アドレスを発行し、「第１アドレス情報３１１３」を含む送信データ１５０７を出力する。
【０９８４】
そして、第１の送信装置１５０５は、「第１アドレス情報３１１３」を含む送信データ１５０７を入力とし、誤り訂正符号化、マッピングなどの処理を行い、送信信号１５０４を出力し、送信信号１５０４は、アンテナ（または、発光部）１５０３から、例えば、電波（または、光）として出力される。
【０９８５】
ただし、第１アドレスを発行するのは、図６６の屋内ゲートウェイ２２１１、図６７のゲートウェイ２３００でなくてもよく、この場合、第１アドレスを発行した装置から、図６６の屋内ゲートウェイ２２１１、図６７のゲートウェイ２３００は、第１アドレスの情報を得て、例えば、上記の動作を行うことになる。
【０９８６】
すると、図６８の装置２２０８の第１の送受信装置１５０５は、「図６６の屋内ゲートウェイ２２１１、または、図６７のゲートウェイ２３００」が送信した、「第１アドレス情報３１１３」を含む変調信号を受信する。したがって、図６８の装置２２０８の第１の送受信装置１５０５は、アンテナ（または、受光部）１５０１で受信した受信信号１５０２を入力とし、復調、誤り訂正符号の復号などの処理を行い、第１のアドレス情報３１１３を含む受信データ１５０６を出力する。
【０９８７】
すると、図６８の装置２２０８の第１の送受信装置１５０５は、「図６６の屋内ゲートウェイ２２１１、または、図６７のゲートウェイ２３００」が送信した、「第１アドレス情報３１１３」を含む変調信号を受信する。したがって、図６８の装置２２０８の第１の送受信装置１５０５は、アンテナ（または、受光部）１５０１で受信した受信信号１５０２を入力とし、復調、誤り訂正符号の復号などの処理を行い、第１のアドレス情報３１１３を含む受信データ１５０６を出力する。
【０９８８】
図６８の装置２２０８のデータ生成部２４０２は、第１のアドレス情報３１１３を含む受信データ１５０６を入力とし、第１アドレスの情報をサーバー２２０５に伝送するために、「第１アドレス情報３１１４」を含む送信データ１５０７を出力する。
【０９８９】
図６８の装置２２０８の第１の送受信装置１５０５は、「第１アドレス情報３１１４」を含む送信データ１５０７を入力とし、誤り訂正符号化、マッピングなどの処理を施し、送信信号１５０４を生成し、出力する。そして、送信信号１５０４は、例えば、電波（または、光）として、アンテナ（または、発光部）１５０３から出力される。
【０９９０】
なお、この送信信号１５０４に相当する信号が、「図６６の場合、屋内ゲートウェイ２２１１、屋外ゲートウェイ２２０９、２２０７のネットワーク＃Ａを介して、サーバ２２０５に伝送されることになり」、「図６７の場合、ゲートウェイ２３００、２２０７のネットワーク＃Ａを介して、サーバに伝送されることになる。」。
【０９９１】
図７６は、図７０、図７１において、装置２２０８が、例えば第２ネットワークを経由して第１のアドレスを得る（２６２３）際の装置２２０８の送信情報、受信情報の様子の図７５とは異なる例を示している。
【０９９２】
図７６において、３００１は図６８の第１の送受信装置１５０５の送信信号１５０４の様子を示しており、３００２は図６８の第１の送受信装置１５０５の受信信号１５０２の様子を示している。なお、いずれも横軸は時間である。
【０９９３】
そして、３００３は図６８の第２の送受信装置１５１４の送信信号１５１３の様子を示しており、３００４は図６８の第２の送受信装置１５１４の受信信号１５１１の様子を示している。なお、いずれも横軸は時間である。
【０９９４】
図７６に示すように、図６６の屋内ゲートウェイ２２１１、または、図６７のゲートウェイ２３００は、サーバ２２０５送信した「第１ネットワークへの接続要求３１１１」の情報を含む変調信号を、２２０７のネットワーク＃Ａを介し、受信する。なお、それ以前の過程については、図７０、図７１を用いて説明したとおりである。
【０９９５】
したがって、図６８の装置２２０８の第２の送受信装置１５１４は、サーバが送信した「第１ネットワークへの接続要求３１１１」の情報を含む変調信号を受信することになる。したがって、第２の送受信装置１５１４は、アンテナ１５１０で受信した受信信号１５１１を入力とし、復調、誤り訂正符号の復号などの処理を行い、「第１ネットワークへの接続要求３１１１」の情報を含む受信データ１５１５を出力する。
【０９９６】
これに伴い、図７５に示すように、装置２２０８は、第１ネットワーク２２１３を介しての接続要求を、図６６の屋内ゲートウェイ２２１１、または、図６７のゲートウェイ２３００に対して行うことになる。
【０９９７】
したがって、図６８のデータ生成部２４０２は、「第１ネットワークへの接続要求３１１１」の情報を含む受信データ１５１５を入力とし、第１ネットワーク２２１３を介した接続を行うと判断する。そして、データ生成部２４０２は、第１ネットワーク２２１３を介した「アクセス要求３１１２」の情報を含む送信データ１５０７を出力する。
【０９９８】
図６８の装置２２０８の第１の送受信装置１５０５は、「アクセス要求３１１２」の情報を含む送信データ１５０７を入力とし、誤り訂正符号化、マッピングなどの処理を行い、送信信号１５０４を生成、出力し、送信信号１５０４はアンテナ（または、発光部）１５０３から出力される。
【０９９９】
これに伴い、図６６の屋内ゲートウェイ２２１１、または、図６７のゲートウェイ２３００は、装置２２０８が送信した変調信号を受信し、装置２２０８が第１ネットワーク２２１３を介して通信を行うための「第１アドレス情報３１１３」を含む変調信号を送信する。
【１０００】
したがって、図７７の、「図６６の屋内ゲートウェイ２２１１、または、図６７のゲートウェイ２３００」は、装置２２０８が送信した「アクセス要求３１１２」の情報を含む変調信号をアンテナ１５０１で受信する。よって、第１の送受信装置１５０５は、アンテナ（または、受光部）１５０１で受信した受信信号１５０２を入力とし、復調、誤り訂正符号の復号などの処理を行い、「アクセス要求３１１２」情報を含む受信データ１５０６を出力する。
【１００１】
すると、図７７の、「図６６の屋内ゲートウェイ２２１１、または、図６７のゲートウェイ２３００」のデータ生成部２４０２は、「アクセス要求３１１２」情報を含む受信データ１５０６を入力とし、第１アドレスを発行し、「第１アドレス情報３１１３」を含む送信データ１５１６を出力する。
【１００２】
そして、第２の送信装置１５１４は、「第１アドレス情報３１１３」を含む送信データ１５１６を入力とし、誤り訂正符号化、マッピングなどの処理を行い、送信信号１５１３を出力し、送信信号１５１３は、アンテナ１５１２から、例えば、電波として出力される。
【１００３】
ただし、第１アドレスを発行するのは、図６６の屋内ゲートウェイ２２１１、図６７のゲートウェイ２３００でなくてもよく、この場合、第１アドレスを発行した装置から、図６６の屋内ゲートウェイ２２１１、図６７のゲートウェイ２３００は、第１アドレスの情報を得て、例えば、上記の動作を行うことになる。
【１００４】
すると、図６８の装置２２０８の第２の送受信装置１５１４は、「図６６の屋内ゲートウェイ２２１１、または、図６７のゲートウェイ２３００」が送信した、「第１アドレス情報３１１３」を含む変調信号を受信する。したがって、図６８の装置２２０８の第２の送受信装置１５１４は、アンテナ１５１０で受信した受信信号１５１１を入力とし、復調、誤り訂正符号の復号などの処理を行い、第１のアドレス情報３１１３を含む受信データ１５１５を出力する。
【１００５】
図７６、図７７の例では、図６８の装置２２０８において、「第１アドレス情報」を、第１の送受信装置１５０５、または、第２の送受信装置１５１４が送信する場合を説明したが、これに限ったものではなく、装置２２０８が、別の送信装置を具備している場合、その送信装置が、第１アドレスの情報を含む送信信号を送信し、サーバー２２０５に対し、「第１アドレス情報」を伝送してもよい。
【１００６】
なお、実施の形態Ａ６で説明したように、装置２２０８が、サーバー２２０５に対し、第１アドレスの情報、または、第２アドレスの情報を送信する際、あわせて、認証情報を送信してもよい。したがって、例えば、装置２２０８の構成が図６８の構成のとき、情報２４０１に認証の情報を含んでいてもよい。このとき、認証情報は、送信データ１５０７、および／または、送信データ１５１６に含まれていることになる。そして、サーバー２２０５は、この情報を得、「第１アドレスの情報、第２アドレスの情報が有効な情報であるか、無効な情報であるか」を判断し、有効な情報と判断した場合、第１アドレスの情報、第２アドレスの情報を記憶する記憶することになる。端末２２０１も同様に、認証の情報をサーバー２２０５に対して送信し、認証が成功した場合、端末２２０１は、サーバー２２０５から第１アドレスの情報、第２アドレスの情報を得ることになる。
【１００７】
以上のように、装置２２０８、屋内ゲートウェイ２２１１、ゲートウェイ２３００が動作することにより、実施の形態Ａ６で述べた効果を得ることができる。
【１００８】
次に、「図７０のような通信、および／または、図７１のような通信」、および／または、「図７２のような通信、および／または、図７３のような通信」を実施した際の、図６６、図６７の端末２２０１、サーバー２２０５、装置２２０８の動作について説明する。
【１００９】
図７９は、サーバ２２０５の構成の一例を示している。３５０１は送受信装置群であり、例えば、送受信装置群３５０１はＮ個の送受信装置で構成されているものとする。なおＮは１以上の整数とする。
【１０１０】
送受信装置群３５０１は、受信信号を入力とし、各送受信装置において、復調、誤り訂正符号の復号などの処理を行い、Ｎ個の送受信装置に対応する受信データ群３５０２を出力する。
【１０１１】
また、送受信装置群３５０１は、送信データ群３５０３を入力とし、各送受信装置において、誤り訂正符号化、マッピングなどの処理を行い、Ｎ個の送受信装置に対応する送信変調群を送信することになる。
【１０１２】
記憶部３５０４は、受信データ群３５０５、情報３５０６を入力とし、「受信データ群３５０５、または、情報３５０６のデータ（の一部）」を記憶してもよい。また、記憶部３５０４は、受信データ群３５０５、情報３５０６を入力とし、「受信データ群３５０５、または、情報３５０６のデータ（の一部）」に基づいて、記憶しているデータ３５０５を出力する。
【１０１３】
データ生成部３５０７は、記憶しているデータ３５０５、情報３５０６、受信データ群３５０２を入力とし、これらのデータに基づいて、送信データ群３５０３を生成し、出力する。
【１０１４】
図７８に基づいて、端末２２０１、サーバー２２０５、装置２２０８の動作について説明する。
【１０１５】
図７８において、３４０１は端末２２０１の通信の様子を示しており、３４０２はサーバー２２０５の通信の様子を示しており、３４０３は装置２２０８の通信の様子を示している。なお、図７８において、横軸は時間であるものとする。
【１０１６】
図７８に示すように端末３４１１は、装置２２０８に対する接続要求を行うために「接続要求３４１１」の情報を送信する。なお、「接続要求３４１１」の情報には、「第１のネットワーク２２１３を経由して接続するか」、または、「第２のネットワーク２２１６を経由して接続するか」の情報を含んでいるものとする。このとき、「第１のネットワーク２２１３を経由して接続するか」「第２のネットワーク２２１６を経由して接続するか」の直接的な情報でなくてもよい。
【１０１７】
例えば、「要求する伝送速度の情報」、「通信の安定的なネットワークを希望するという情報」などの間接的な情報であってもよい（このとき、「第１のネットワーク２２１３を経由して接続するか」、または、「第２のネットワーク２２１６を経由して接続するか」の選択はサーバー２２０５が行ってもよい。）
なお、端末３４１１は「接続要求３４１１」の情報を送信する以前に、装置２２０８にアクセスするための第１アドレスの情報、および、第２アドレスの情報を保持していないものとする。また、サーバー２２０５は、少なくとも、第２ネットワーク２２１６を経由し、装置２２０８と通信を行うための第２アドレスの情報を入手済みであるものとする。なお、この点については、すでに説明したとおりである。
【１０１８】
「接続要求３４１１」の情報を送信に対する端末２２０１の動作について説明する。端末２２０１の構成は図６９のとおりである。データ生成部２５０８は情報２５０９を入力とし、「接続要求３４１１」の情報を含む送信データ２５０７を出力する。
【１０１９】
送受信装置２５０５は、「接続要求３４１１」の情報を含む送信データ２５０７を入力とし、誤り訂正符号化、マッピングなどの処理を行い、「接続要求３４１１」の情報を含む送信信号２５０４を出力し、「接続要求３４１１」の情報を含む送信信号２５０４はアンテナ２５０３から電波として出力される。
【１０２０】
そして、サーバー２２０５は、２２０３のネットワーク＃Ｂを介して、「接続要求３４１１」の情報を含む送信信号２５０４またはこれに相当する信号を得ることになる。
【１０２１】
したがって、図７９の構成をもつサーバー２２０５は、「接続要求３４１１」の情報を含む受信信号を入力とし、復調、誤り訂正符号の復号などの処理を行い、「接続要求３４１１」の情報を得、「接続要求３４１１」の情報を含む受信データ群３５０２を出力する。なお、受信データ群３５０２を構成する信号すべてが受信データを出力しなくてもよい。
【１０２２】
「接続要求３４１１」の情報を得たサーバー２２０５の動作は、「端末２２０１が第１ネットワーク２２１３を経由して装置２２０８と接続する場合」と「端末２２０１が第２ネットワーク２２１６を経由して装置２２０８と接続する場合」で動作が異なる。以下では、「端末２２０１が第１ネットワーク２２１３を経由して装置２２０８と接続する場合」のサーバー２２０５の動作と「端末２２０１が第２ネットワーク２２１６を経由して装置２２０８と接続する場合」のサーバー２２０５の動作を別々に説明する。
【１０２３】
「端末２２０１が第１ネットワーク２２１３を経由して装置２２０８と接続する場合」：  図７０、図７１、図７５、図７６を用いて説明したように、「接続要求３４１１」の情報を得たサーバー２２０５は、装置２２０８の第１ネットワーク２２１３を介した通信を実施するために装置の第１アドレスの情報を得る必要がある。
【１０２４】
したがって、図７９のサーバー２２０５において、送受信装置群３５０１が、受信信号群を得、復調、誤り訂正符号の復号などの処理を行い、「接続要求３４１１」の情報を含む受信データ群３５０２を出力する。
【１０２５】
データ生成部３５０７は、「接続要求３４１１」の情報を含む受信データ群３５０２を入力とし、「接続要求３４１１」の情報に「端末２２０１が第１ネットワーク２２１３を経由して装置２２０８と接続する」要求が含まれている場合、「接続要求３４１１」の情報に「端末２２０１が第１ネットワーク２２１３を経由して装置２２０８と接続する」要求の情報を含む送信データ群３５０３を出力する。
【１０２６】
送受信装置群３５０１は、「端末２２０１が第１ネットワーク２２１３を経由して装置２２０８と接続する」要求の情報を含む送信データ群３５０３に対し、誤り訂正符号化、マッピングなどの処理を行い、送信信号群を出力する。
【１０２７】
そして、図６６の場合、送信信号群に含まれる「端末２２０１が第１ネットワーク２２１３を経由して装置２２０８と接続する」要求の情報を含むデータは、２２０７のネットワーク＃Ａ、屋外ゲートウェイ２２０９、屋内ゲートウェイ２２１１、第２ネットワーク２２１６を介し、装置２２０８に届けられることになる。図６７の場合、送信信号群に含まれる「端末２２０１が第１ネットワーク２２１３を経由して装置２２０８と接続する」要求の情報を含むデータは、２２０７のネットワーク＃Ａ、ゲートウェイ２３００、第２ネットワーク２２１６を介し、装置２２０８に届けられることになる。
【１０２８】
すると、装置２２０８は、第１アドレスの情報を得、第１アドレスの情報を含むデータをサーバー２２０５に届けることになるが、その手続きについては、すでに説明を行ったため、説明を省略する。
【１０２９】
そして、図７８のように、「アドレス情報３４１２」を含む変調信号をサーバー２２０５は送信することになる。したがって、図７９のサーバ２２０５において、送受信装置群３５０１は、受信信号群を得、復調、誤り訂正符号の復号などの処理を行い、「第１アドレスの情報」を含んだ受信データ群３５０２を出力する。
【１０３０】
データ生成部３５０７は、「第１アドレスの情報」を含んだ受信データ群３５０２を入力とし、「第１アドレスの情報」を含んだ送信データ群３５０３を出力する。
【１０３１】
送受信装置群３５０１は、「第１アドレスの情報」を含んだ送信データ群３５０３を入力とし、誤り訂正符号化、マッピングなどの処理を施し、送信信号群を生成し、出力する。なお、「第１アドレスの情報」を含んだ送信信号群が図７８の「アドレス情報３４１２」に相当する。
【１０３２】
図６９の構成をもつ端末２２０１は、サーバー２２０５が送信した「第１アドレスの情報」を含んだ送信信号群に相当する信号を受信する。送受信装置２５０５は、アンテナ２５０１で受信した受信信号を入力とし、復調、誤り訂正符号の復号などの処理を行い、「第１アドレスの情報」を含む受信データ２５０６を出力する。
【１０３３】
データ生成部２５０８は、情報２５０９、「第１アドレスの情報」を含む受信データ２５０６を入力とし、第１アドレスの情報を得ているため、装置２２０８に対しての接続を行うための、第１アドレスへのアクセスするための制御情報を含む「接続要求３４１３」のデータを含む送信データ２５０７を出力する。
【１０３４】
送受信装置２５０５は、第１アドレスへのアクセスするための制御情報を含む「接続要求３４１３」のデータを含む送信データ２５０７を入力とし、誤り訂正符号化、マッピングなどの処理を行い、送信信号２５０４を生成し、出力する。そして、送信信号２５０４は、アンテナ２５０３から、電波として出力される。
【１０３５】
そして、送信信号２５０４に相当する信号は、例えば、２２０３のネットワーク＃Ｂ、「屋外ゲートウェイ２２０９、屋内ゲートウェイ２２１１（または、ゲートウェイ２３００）」、第１ネットワーク２２１３、を介して、装置２２０８に届けられることになる。
【１０３６】
図６８の構成をもつ装置２２０８の第１の送受信装置１５０５は、アンテナ（または、受光部）１５０１で受信した受信信号１５０２を入力とし、復調、誤り訂正符号の復号などの処理を行い、「接続要求３４１３」の情報を含む受信データ１５０６を出力する。データ生成部２４０２は、「接続要求３４１３」の情報を含む受信データ１５０６、情報２４０１を入力とし、「接続要求３４１３」の情報を含む受信データ１５０６に基づき、送信データ１５０７を生成し、出力する。
【１０３７】
第１の送受信装置１５０５は、送信データ１５０７を入力とし、誤り訂正符号化、マッピングなどの処理を行い、送信信号１５０４を出力し、送信信号１５０４は、アンテナ（または、発光部）１５０３から例えば電波として出力する（光通信の場合、発光することになる）。このとき、送信データ１５０７を含む送信信号１５０４が図７８のデータ３４１４に相当する。
【１０３８】
そして、第１送受信装置１５０５が送信した送信信号１５０４に相当する信号を第１ネットワーク２２１３などを介し、端末２２０１は受信し、データ３４１４を得ることになる。
【１０３９】
「端末２２０１が第２ネットワーク２２１６を経由して装置２２０８と接続する場合」:
図７０、図７１、図７５、図７６を用いて説明したように、「接続要求３４１１」の情報をサーバ２２０５が得ている時点で、サーバー２２０５は、端末２２０１が第２ネットワーク２２１６を経由して装置２２０８と接続するための第２アドレスの情報を得ている。
【１０４０】
したがって、図７９の構成をもつサーバー２２０５の送受信装置群３５０１は、「第２ドレスの情報」を含んだ送信データ群３５０３を入力とし、誤り訂正符号化、マッピングなどの処理を施し、送信信号群を生成し、出力する。なお、「第２アドレス情報」を含んだ送信信号群が図７８の「アドレス情報３４１２」に相当する。
【１０４１】
図６９の構成をもつ端末２２０１は、サーバー２２０５が送信した「第２アドレスの情報」を含んだ送信信号群に相当する信号を受信する。送受信装置２５０５は、アンテナ２５０１で受信した受信信号を入力とし、復調、誤り訂正符号の復号などの処理を行い、「第２アドレスの情報」を含む受信データ２５０６を出力する。
【１０４２】
データ生成部２５０８は、情報２５０９、「第２アドレスの情報」を含む受信データ２５０６を入力とし、第２アドレスの情報を得ているため、装置２２０８に対しての接続を行うための、第２アドレスへのアクセスするための制御情報を含む「接続要求３４１３」のデータを含む送信データ２５０７を出力する。
【１０４３】
送受信装置２５０５は、第２アドレスへのアクセスするための制御情報を含む「接続要求３４１３」のデータを含む送信データ２５０７を入力とし、誤り訂正符号化、マッピングなどの処理を行い、送信信号２５０４を生成し、出力する。そして、送信信号２５０４は、アンテナ２５０３から、電波として出力される。
【１０４４】
そして、送信信号２５０４に相当する信号は、例えば、２２０３のネットワーク＃Ｂ、「屋外ゲートウェイ２２０９、屋内ゲートウェイ２２１１（または、ゲートウェイ２３００）」、第２ネットワーク２２１６、を介して、装置２２０８に届けられることになる。
【１０４５】
図６８の構成をもつ装置２２０８の第２の送受信装置１５１４は、アンテナ１５１０で受信した受信信号１５１１を入力とし、復調、誤り訂正符号の復号などの処理を行い、「接続要求３４１３」の情報を含む受信データ１５１５を出力する。データ生成部２４０２は、「接続要求３４１３」の情報を含む受信データ１５１５、情報２４０１を入力とし、「接続要求３４１３」の情報を含む受信データ１５１５に基づき、送信データ１５１６を生成し、出力する。
【１０４６】
第２の送受信装置１５１４は、送信データ１５１６を入力とし、誤り訂正符号化、マッピングなどの処理を行い、送信信号１５１３を出力し、送信信号１５１３は、アンテナ１５１２から例えば電波として出力する。このとき、送信データ１５２６を含む送信信号１５２４が図７８のデータ３４１４に相当する。
【１０４７】
そして、第２送受信装置１５１４が送信した送信信号１５１６に相当する信号を第２ネットワーク２２１６などを介し、端末２２０１は受信し、データ３４１４を得ることになる。
【１０４８】
なお、実施の形態Ａ６で説明したように、図７８の３４１１ように、端末２２０１が、サーバー２２０５に対し、接続要求（３４１１）を行う際、あわせて、認証情報を送信してもよい。したがって、例えば、端末２２０１の構成が図６９の構成のとき、情報２５０９に認証の情報を含んでいてもよい。このとき、認証情報は、送信データ２５０７に含まれていることになる。そして、サーバー２２０５は、この情報を得、「接続要求が有効な情報であるか、無効な情報であるか」を判断し、有効な情報と判断した場合、接続要求を許可することになる。
【１０４９】
以上のように、本実施の形態を実施することで、実施の形態Ａ６で説明した効果を得ることができる。つまり、通信の品質の向上とデータ伝送速度の向上の両立を図ることができるという効果を得ることができる。
【１０５０】
なお、装置２２０８が、端末２２０１に対し、第１アドレス、第２アドレスを通知する方法は、本実施の形態の方法に限ったものではなく、どのようネットワークを使用して、通知してもよい。
【１０５１】
（補足Ａ４）
本明細書において、送受信装置、送受信装置群は、送信のための信号処理の機能、および、受信のための信号処理機能を有していることになる。
【１０５２】
このとき、「送信のための信号処理の機能」における信号処理として、「誤り訂正符号化、マッピング」と記載しているが、これ以外の信号処理を行ってもよい。例えば、多重化、直交変調、周波数変換、帯域制限、増幅などの処理が行われてもよい。ただし、送信のための信号処理は、これらに限ったものではない。
【１０５３】
また、「受信のための信号処理の機能」における信号処理として、「復調、誤り訂正符号の復号」と記載しているが、これ以外の信号処理を行ってもよい。例えば、逆多重化、周波数変換、直交復調、周波数同期、時間同期、チャネル推定、歪み推定などの処理が行われてもよい。ただし、受信のための信号処理は、これらに限ったものではない。
【１０５４】
（実施の形態Ａ８）
本実施の形態では、本明細書で説明している「メッシュネットワーク、マルチホップ通信」の構成方法において、サーバーを用いた「メッシュネットワーク、マルチホップ通信」の構成方法について説明する。
【１０５５】
図８０は、「端末３６００」、「ＭＡＰ（Mesh Access Point）（３６０１＿１、３６０１＿２、３６０１＿３、３６０１＿４、３６０１＿５）」、「第１ネットワーク用のゲートウェイ３６０２＿１、および、第２ネットワーク用ゲートウェイ３６０２＿２を具備するゲートウェイ３６０２」、「サーバ３６０３」で構成されるネットワークの様子を示している。
【１０５６】
なお、第１ネットワークと第２ネットワークの関係については、実施の形態Ａ６ですでに詳しく説明しているので説明を省略する。また、図８１（および、図８２）では、ＭＡＰと記載しているが、ＭＰ（Mesh Point）であってもよいし、ＡＰ（Access Point）が存在していてもよい。そして、ＭＡＰは、いずれも、第１ネットワークを介する通信、第２ネットワークを介する通信が可能であるものとする。
【１０５７】
他の実施の形態で説明したように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第１ネットワークにおいて、「接続可能なＭＡＰの探索、および、接続可能なＭＡＰとの第１ネットワークによる接続の状況など」の「第１ネットワークにおけるメッシュネットワークに関する情報」を生成することになる。
【１０５８】
そして、図８０に示すように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第２ネットワークを用いて、第２ネットワーク用ゲートウェイ３６０２＿２に対し、「第１ネットワークにおけるメッシュネットワーク構成に関する情報」を送信する。
【１０５９】
第２ネットワーク用ゲートウェイ３６０２＿２は、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５から得た「第１ネットワークにおけるメッシュネットワーク構成に関する情報３６５１」をサーバー３６０３に送信する。
【１０６０】
そして、図８１に示すように、サーバー３６０３は、「第１ネットワークにおけるメッシュネットワーク構成に関する情報３６５１」に基づいて、具体的な「第１ネットワークにおけるメッシュネットワーク接続方法」を決定し、第２ネットワーク用ゲートウェイ３６０２＿２に、「第１ネットワークにおけるメッシュネットワーク接続に関する指示情報３６５２」を送信する。
【１０６１】
第２ネットワーク用ゲートウェイ３６０２＿２は、「第１ネットワークにおけるメッシュネットワーク接続に関する指示情報３６５２」を入力とし、「第１ネットワークにおけるメッシュネットワーク接続に関する指示情報３６５２」を含む送信信号を３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５に送信する。
【１０６２】
なお、「第１ネットワークにおけるメッシュネットワーク接続方法」は、「例えば、図８１に場合、端末３６００が、第１ネットワーク用ゲートウェイ３６０２＿１に対して、変調信号を送信する場合、３６０１＿２のＭＡＰ＃２、３６０１＿３のＭＡＰ＃３、３６０１＿４のＭＡＰ＃４を経由することになり、この経路に関する情報」であるものとする。
【１０６３】
また、サーバー３６０３は、「第１ネットワークにおけるメッシュネットワーク接続方法」を決定するが、「第１ネットワークにおけるメッシュネットワーク接続方法」を決定するための処理方法を変更するための入力信号、つまり、「アルゴリズム変更、機能追加によるプログラムの書き換えのための信号３６５３」が存在していてもよい。なお、「アルゴリズム変更、機能追加によるプログラムの書き換えのための信号３６５３」により、サーバー３６０３に、新しい機能を追加してもよい。この点については、後で図８２を用いて説明する。
【１０６４】
そして、図８１の場合、３６０１＿２のＭＡＰ＃２と３６０１＿３のＭＡＰ＃３は通信を確立し、３６０１＿３のＭＡＰ＃３と３６０１＿４のＭＡＰ＃４は通信を確立し、３６０１＿４ＭＡＰ＃４と第１ネットワーク用ゲートウェイ３６０２＿１が通信を確立する。
【１０６５】
端末３６００は、第１ネットワークに対し、アクセス要求を行う。図８１では、端末３６００は、第１ネットワークへのアクセス要求の情報を含む変調信号を３６０１＿２のＭＡＰ＃２に送信することになる。すると、この変調信号に相当する信号は、３６０１＿２のＭＡＰ＃２、３６０１＿３のＭＡＰ＃３、３６０１＿４のＭＡＰ＃４を介し、第１ネットワーク用のゲートウェイに届けられる。
【１０６６】
そして、端末３６００、および、第１ネットワーク用ゲートウェイ３６０２＿１は、３６０１＿２のＭＡＰ＃２、３６０１＿３のＭＡＰ＃３、３６０１＿４のＭＡＰ＃４を介して通信を行うことになる。なお、第１ネットワーク用のゲートウェイ３６０２＿１は、端末３６００が送信した変調信号に含まれる情報、または、その一部を、他の装置に対し伝送してもよい。
【１０６７】
図８２は、図８０、図８１におけるサーバー３６０３の構成の一例を示している。
【１０６８】
サーバー３６０３は、処理を行うためのＡＰＩ（Application Programming Interface）として、３８０１＿１の認識層ＡＰＩ、３８０１＿２の分析層ＡＰＩ、３８０１＿３学習層ＡＰＩ、３８０１＿４の通信ネットワーク層ＡＰＩなどを具備しており、これらのＡＰＩは、３８０２のアプリケーション接続のＡＰＩと接続されており、それぞれのＡＰＩで処理を行い、「第１ネットワークにおけるメッシュネットワーク接続方法」を決定することになる。そして、３８０２のアプリケーション接続のためのＡＰＩは、ネットワークと接続しており、処理結果を、出力することになる。
【１０６９】
以上のように、ＭＡＰがサーバーに第１ネットワークの接続状態を通知し、サーバーが第１ネットワークにおけるメッシュネットワーク構成を決定することで、端末が、容易に第１ネットワークによる通信が可能となるという効果を得ることができる。また、ＭＡＰが、第２ネットワークを用いて、第１ネットワークの接続状態をサーバーに提供することで、メッシュネットワークを構成せずに、サーバーは第１ネットワークの接続状態を得ることができる可能性があり、処理の簡略化が可能である可能性がある。
【１０７０】
次に、上述のサーバーを用いた「メッシュネットワーク、マルチホップ通信」の構成方法とは、別の構成方法について説明する。
【１０７１】
図８０は、「端末３６００」、「ＭＡＰ（Mesh Access Point）（３６０１＿１、３６０１＿２、３６０１＿３、３６０１＿４、３６０１＿５）」、「第１ネットワーク用のゲートウェイ３６０２＿１、および、第２ネットワーク用ゲートウェイ３６０２＿２を具備するゲートウェイ３６０２」、「サーバ３６０３」で構成されるネットワークの様子を示している。
【１０７２】
なお、第１ネットワークと第２ネットワークの関係については、実施の形態６ですでに詳しく説明しているので説明を省略する。また、図８１（および、図８２）では、ＭＡＰと記載しているが、ＭＰ（Mesh Point）であってもよいし、ＡＰ（Access Point）が存在していてもよい。そして、ＭＡＰは、いずれも、第１ネットワークを介する通信、第２ネットワークを介する通信が可能であるものとする。
【１０７３】
他の実施の形態で説明したように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第１ネットワークにおいて、「接続可能なＭＡＰの探索、および、接続可能なＭＡＰとの第１ネットワークによる接続の状況など」の「第１ネットワークにおけるメッシュネットワークに関する情報」を生成することになる。
【１０７４】
そして、図８０に示すように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第２ネットワークを用いて、第２ネットワーク用ゲートウェイ３６０２＿２に対し、「第１ネットワークにおけるメッシュネットワーク構成に関する情報」を送信する。
【１０７５】
第２ネットワーク用ゲートウェイ３６０２＿２は、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５から得た「第１ネットワークにおけるメッシュネットワーク構成に関する情報３６５１」をサーバー３６０３に送信する。
【１０７６】
そして、図８３に示すように、サーバー３６０３は、「第１ネットワークにおけるメッシュネットワーク構成に関する情報３６５１」に基づいて、具体的な「第１ネットワークにおけるメッシュネットワーク接続方法」を決定し、第１ネットワーク用ゲートウェイ３６０２＿１に、「第１ネットワークにおけるメッシュネットワーク接続に関する指示情報３６５２」を送信する。
【１０７７】
第１ネットワーク用ゲートウェイ３６０２＿１は、「第１ネットワークにおけるメッシュネットワーク接続に関する指示情報３６５２」を入力とし、「第１ネットワークにおけるメッシュネットワーク接続に関する指示情報３６５２」を含む送信信号を、例えば、３６０１＿４のＭＡＰ＃４に送信する。
【１０７８】
なお、「第１ネットワークにおけるメッシュネットワーク接続方法」は、「例えば、図８１に場合、端末３６００が、第１ネットワーク用ゲートウェイ３６０２＿１に対して、変調信号を送信する場合、３６０１＿２のＭＡＰ＃２、３６０１＿３のＭＡＰ＃３、３６０１＿４のＭＡＰ＃４を経由することになり、この経路に関する情報」であるものとする。
【１０７９】
なお、サーバー３６０３の動作については、図８１、図８２を用いて説明したので説明を省略する。
【１０８０】
そして、図８３の場合、３６０１＿２のＭＡＰ＃２と３６０１＿３のＭＡＰ＃３は通信を確立し、３６０１＿３のＭＡＰ＃３と３６０１＿４のＭＡＰ＃４は通信を確立し、３６０１＿４ＭＡＰ＃４と第１ネットワーク用ゲートウェイ３６０２＿１が通信を確立する。このとき、第１ネットワーク用ゲートウェイ３６０２＿１は、「第１ネットワークにおけるメッシュネットワーク接続に関する指示情報３６５２」を含む送信信号を３６０１＿４のＭＡＰ＃４に送信し、これを受信した３６０１＿４のＭＡＰ＃４は、「第１ネットワークにおけるメッシュネットワーク接続に関する指示情報３６５２」を含む送信信号を３６０１＿３のＭＡＰ＃３に送信し、これを受信した３６０１＿３のＭＡＰ＃３は、「第１ネットワークにおけるメッシュネットワーク接続に関する指示情報３６５２」を含む送信信号を３６０１＿２のＭＡＰ＃２に送信する、とすることで、「第１ネットワークにおけるメッシュネットワーク接続に関する指示情報３６５２」を３６０１＿４のＭＡＰ＃４、３６０１＿３のＭＡＰ＃３、３６０１＿２のＭＡＰ＃２と共有することができる。
【１０８１】
端末３６００は、第１ネットワークに対し、アクセス要求を行う。図８３では、端末３６００は、第１ネットワークへのアクセス要求の情報を含む変調信号を３６０１＿２のＭＡＰ＃２に送信することになる。すると、この変調信号に相当する信号は、３６０１＿２のＭＡＰ＃２、３６０１＿３のＭＡＰ＃３、３６０１＿４のＭＡＰ＃４を介し、第１ネットワーク用のゲートウェイに届けられる。
【１０８２】
そして、端末３６００、および、第１ネットワーク用ゲートウェイ３６０２＿１は、３６０１＿２のＭＡＰ＃２、３６０１＿３のＭＡＰ＃３、３６０１＿４のＭＡＰ＃４を介して通信を行うことになる。なお、第１ネットワーク用のゲートウェイ３６０２＿１は、端末３６００が送信した変調信号に含まれる情報、または、その一部を、他の装置に対し伝送してもよい。
【１０８３】
以上のように、ＭＡＰがサーバーに第１ネットワークの接続状態を通知し、サーバーが第１ネットワークにおけるメッシュネットワーク構成を決定することで、端末が、容易に第１ネットワークによる通信が可能となるという効果を得ることができる。
【１０８４】
上述の説明では、「第１ネットワークにおけるメッシュネットワーク接続に関する指示情報３６５２」をサーバー３６０３が、第１ネットワーク、または、第２ネットワークを介して、ＭＡＰに伝送する方法を記載しているが、これに限ったものではなく、サーバー３６０３は、第１ネットワーク、第２ネットワーク以外のネットワークを介し、「第１ネットワークにおけるメッシュネットワーク接続に関する指示情報３６５２」をＭＡＰに伝送してもよい。
【１０８５】
（補足Ａ５）
本明細書において、「メッシュネットワーク」という語句を用いて説明しているが、「メッシュネットワーク」という語句を「アドホックネットワーク」という語句に置き換えて、各実施の形態を実施してもよい。
【１０８６】
本明細書において、端末、ゲートウェイ、ＭＡＰ、ＭＰ、ＡＰ、サーバーと名づけて、各実施の形態を説明しているが、装置の呼び名は、これに限ったものではなく、装置、通信装置、基地局、無線装置、無線局などの呼び方をしてもよい。
【１０８７】
なお、実施の形態Ａ１から実施の形態Ａ８などの実施の形態（つまり、実施の形態Ａ１から実施の形態Ａ８に限ったものではない）、および、補足Ａ１からＡ５などの補足（つまり、補足Ａ１からＡ５に限ったものではない）において、「装置識別情報シンボル」と記載している。この「装置識別情報シンボル」は、装置を識別が可能な情報であれば、どのような情報であってもよい。例えば、通信装置、中継器、ノード、エッジノード、ゲートウェイ、送受信装置、アクセスポイント、端末、サーバ、基地局、無線局、MAP、MPなどの装置のMAC（Media Access Control）アドレス等のアドレスの情報を含むシンボルを「装置識別情報シンボル」としてもよい。
【１０８８】
なお、実施の形態Ａ１から実施の形態Ａ８などの実施の形態（つまり、実施の形態Ａ１から実施の形態Ａ８に限ったものではない）、および、補足Ａ１からＡ５などの補足（つまり、補足Ａ１からＡ５に限ったものではない）において、例えば、図６１に示した「送信方法情報シンボル」に含まれる送信方法の情報は、データシンボル、制御情報シンボルなどの通信相手に送信するシンボルの送信方法に関する情報であればどのような情報であってもよい。例えば、「送信方法情報シンボル」に含まれる情報は、シンボルで構成されるフレームを生成するための送信方法に関する情報、例えば、多重化方法（TDM、FDM、CSMA/CAなど）に関する情報であってもよい。
【１０８９】
また、「制御情報シンボルは、「ネットワーク属性情報シンボル」、「ノード情報シンボル」、及び、「装置識別情報シンボル」の少なくとも一つ以上のシンボルを含んでいる。」と記載したが、「制御情報シンボル」が「多重化方法を示す情報」を含んでいてもよい。
【１０９０】
なお、上記の実施の形態において、ＴＤＭ（Time Division Multiplexing）を用いる構成を説明したが、ＴＤＭの一例として、上りのデータの送信または受信と下りのデータの受信または送信を時間分割多重することで複信を実現するＴＤＤ（Time Division Duplex）を行ってもよい。
【１０９１】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態のシステム又は装置などを実現するソフトウェアは、次のようなプログラムである。
【１０９２】
すなわち、このプログラムは、第一通信装置であるコンピュータに、第一ネットワークに接続するステップと、無線通信をするステップとを実行させるプログラムを含む。また、上記プログラムは、第二通信装置であるコンピュータに、第二ネットワークに接続するステップと、前記第一通信装置と無線通信により接続されるステップとを実行させるプログラムを含む。
【１０９３】
以上、一つまたは複数の態様に係る通信システムなどについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【１０９４】
本開示は、ネットワークの構築において有用である。
【符号の説明】
【１０９５】
７００          基地局
７０１          アンテナ
７０２，７０３  送信ビーム
７０４          端末
７０５，７０６  受信指向性
１５０１，１５０３，１５１０，１５１２    アンテナ
１５０２，１５１１    受信信号
１５０４，１５１３    送信信号
１５０５    第１の送受信装置
１５０６，１５１５    受信データ
１５０７，１５１６    送信データ
１５０８    共有情報生成部
１５０９    情報
１５１４    第２の送受信装置
１６０１，１６０２    フレーム
１６５１，１６５２，１６６１，１６６２    グラフ
１８０１    受光部
１８０３    発光部
１９０１，１９０２，１９０３，１９０４，２００１，２００２，２００３，２００４，２１０１    送信
４５０１    屋外ゲートウェイ
４５０１ａ，４５０１ｂ，４５０２ａ，４５０２ｂ    通信ＩＦ
４５０１ｃ    無線受電部
４５０２    屋内ゲートウェイ
４５０２ｃ    受電部
４５０２ｄ    無線給電部
４５０３    屋外ネットワーク
４５０４    屋内ネットワーク
４８００Ａ，４８００Ｂ，４８００Ｃ    中継器
４８１０    エッジノード
【図１】
2019151513.tif 000010
【図２】
2019151513.tif 000011
【図３】
2019151513.tif 000012
【図４】
2019151513.tif 000013
【図５】
2019151513.tif 000014
【図６】
2019151513.tif 000015
【図７】
2019151513.tif 000016
【図８】
2019151513.tif 000017
【図９】
2019151513.tif 000018
【図１０】
2019151513.tif 000019
【図１１】
2019151513.tif 000020
【図１２】
2019151513.tif 000021
【図１３】
2019151513.tif 000022
【図１４】
2019151513.tif 000023
【図１５】
2019151513.tif 000024
【図１６】
2019151513.tif 000025
【図１７】
2019151513.tif 000026
【図１８】
2019151513.tif 000027
【図１９】
2019151513.tif 000028
【図２０】
2019151513.tif 000029
【図２１】
2019151513.tif 000030
【図２２】
2019151513.tif 000031
【図２３】
2019151513.tif 000032
【図２４】
2019151513.tif 000033
【図２５】
2019151513.tif 000034
【図２６】
2019151513.tif 000035
【図２７】
2019151513.tif 000036
【図２８】
2019151513.tif 000037
【図２９】
2019151513.tif 000038
【図３０】
2019151513.tif 000039
【図３１】
2019151513.tif 000040
【図３２】
2019151513.tif 000041
【図３３】
2019151513.tif 000042
【図３４】
2019151513.tif 000043
【図３５】
2019151513.tif 000044
【図３６】
2019151513.tif 000045
【図３７】
2019151513.tif 000046
【図３８】
2019151513.tif 000047
【図３９】
2019151513.tif 000048
【図４０】
2019151513.tif 000049
【図４１】
2019151513.tif 000050
【図４２】
2019151513.tif 000051
【図４３】
2019151513.tif 000052
【図４４】
2019151513.tif 000053
【図４５】
2019151513.tif 000054
【図４６】
2019151513.tif 000055
【図４７】
2019151513.tif 000056
【図４８】
2019151513.tif 000057
【図４９】
2019151513.tif 000058
【図５０】
2019151513.tif 000059
【図５１】
2019151513.tif 000060
【図５２】
2019151513.tif 000061
【図５３】
2019151513.tif 000062
【図５４】
2019151513.tif 000063
【図５５】
2019151513.tif 000064
【図５６】
2019151513.tif 000065
【図５７】
2019151513.tif 000066
【図５８】
2019151513.tif 000067
【図５９】
2019151513.tif 000068
【図６０】
2019151513.tif 000069
【図６１】
2019151513.tif 000070
【図６２】
2019151513.tif 000071
【図６３】
2019151513.tif 000072
【図６４】
2019151513.tif 000073
【図６５】
2019151513.tif 000074
【図６６】
2019151513.tif 000075
【図６７】
2019151513.tif 000076
【図６８】
2019151513.tif 000077
【図６９】
2019151513.tif 000078
【図７０】
2019151513.tif 000079
【図７１】
2019151513.tif 000080
【図７２】
2019151513.tif 000081
【図７３】
2019151513.tif 000082
【図７４】
2019151513.tif 000083
【図７５】
2019151513.tif 000084
【図７６】
2019151513.tif 000085
【図７７】
2019151513.tif 000086
【図７８】
2019151513.tif 000087
【図７９】
2019151513.tif 000088
【図８０】
2019151513.tif 000089
【図８１】
2019151513.tif 000090
【図８２】
2019151513.tif 000091
【図８３】
2019151513.tif 000092
【国際調査報告】
2019151513.tif 000093
2019151513.tif 000094
2019151513.tif 000095